(57)【要約】【課題】肥満に関連するミトコンドリアゲノム多型を探索することにより、肥満の予防に資することを目的とする。【解決手段】各々９６名の若年男性肥満者および非肥満者におけるミトコンドリアゲノム全塩基配列を直接塩基配列決定法により解析した。その結果、肥満群と非肥満群の多型頻度を比較した結果、Ｈａｐｌｏｇｒｏｕｐ  Ｍ７ｂ２を代表とするＴ１２８１１Ｃ  （ＮＤ５，  Ｔｙｒ１５９Ｈｉｓ）と他の４つの多型、およびｈａｐｌｏｇｒｏｕｐ  Ａ１ａを代表とする２１５１ｉｎｓＡ  （１６Ｓ  ｒＲＮＡ）と他の４つの多型は有意に肥満と関連していた（ｐ＜０．０５）。対照的に、ｈａｐｌｏｇｒｏｕｐ  Ｆ１ｂを代表とするＧ１３９２８Ａ  （ＮＤ５，  Ｓｅｒ５３１Ｔｈｒ）と他の３つの多型は、有意にるい痩と関連していた。【選択図】        なし【特許請求の範囲】
【請求項１】
ヒトミトコンドリアＤＮＡにおいて、Ｔ１０Ｃ  ，  Ｃ４１Ｔ  ，  ４２ｉｎｓＣ  ，  Ｃ６４Ｔ  ，  ６５ｉｎｓＧ  ，  Ｇ６８Ａ  ，  Ｇ７５Ａ  ，  Ａ９３Ｇ  ，  Ｇ９４Ａ  ，  Ｇ１０３Ａ  ，  Ｔ１３１Ｃ  ，  Ｇ１４３Ａ  ，  Ｔ１４６Ｃ  ，  Ｃ１５０Ｔ  ，  Ｃ１５１Ｔ  ，  Ｔ１５２Ｃ  ，  Ａ１５３Ｇ  ，  Ｔ１５４Ｃ  ，  Ａ１８３Ｇ  ，  Ａ１８９Ｇ  ，  １９０ｉｎｓＡ  ，  Ｃ１９４Ｔ  ，  Ｔ１９５Ａ  ，  Ｔ１９５Ｃ  ，  Ｔ１９９Ｃ  ，  Ａ２００Ｇ  ，  Ａ２０２Ｇ  ，  Ｇ２０３Ａ  ，  Ｔ２０４Ｃ  ，  Ｇ２０５Ａ  ，  Ｇ２０７Ａ  ，  Ｔ２０９Ｃ  ，  Ａ２１０Ｇ  ，  Ａ２１４Ｇ  ，  Ａ２１５Ｇ  ，  Ａ２３５Ｇ  ，  Ｔ２３９Ｃ  ，  Ａ２４８ｄｅｌ  ，  Ｇ２５５Ａ  ，  Ａ２５７Ｇ  ，  Ｇ２６０Ａ  ，  Ｔ２７９Ｃ  ，  Ｃ２８０Ｔ  ，  Ａ２８４Ｇ  ，  ２８５ｉｎｓＡ  ，  Ａ２９７Ｇ  ，  Ｗ３０３−３１７ｈｖｒ１  ，  Ｔ３１８Ｃ  ，  Ｇ３２２Ａ  ，  Ａ３２６Ｇ  ，  Ｔ３３４Ｃ  ，  Ｃ３３８Ｔ  ，  Ｃ３４５Ｔ  ，  Ａ３６１Ｇ  ，  Ａ３８４Ｇ  ，  Ａ３８５Ｇ  ，  Ｔ４０８Ａ  ，  Ｃ４３１Ｔ  ，  Ｃ４３７Ｔ  ，  Ｃ４５６Ｔ  ，  Ｃ４８１Ｔ  ，  Ｔ４８２Ｃ  ，  Ｔ４８５Ｃ  ，  Ｔ４８９Ｃ  ，  Ｇ４９９Ａ  ，  Ａ５０８Ｇ  ，  Ｇ５１３Ａ  ，  Ｗ５１４ｉｎｓＣＡ２  ，  Ｗ５１４ｄｅｌＣＡ２  ，  Ｇ５４５Ａ  ，  Ａ５４６Ｇ  ，  Ｗ５６８Ｃｎ−ｉｎｓ  ，  Ｔ５９３Ｃ  ，  ５９６ｉｎｓＣ  ，  Ａ６０３Ｇ  ，  Ａ６６３Ｇ  ，  Ｔ６８１Ｃ  ，  Ｃ７０２Ｔ  ，  Ｇ７０９Ａ  ，  Ｃ７５２Ｔ  ，  Ａ８１４Ｇ  ，  Ａ８２７Ｇ  ，  Ａ８５６Ｇ  ，  Ｇ９５１Ａ  ，  Ｗ９５６Ｃｎ−ｉｎｓ  ，  Ｔ９６１Ｃ  ，  Ｔ１００５Ｃ  ，  Ａ１０４１Ｇ  ，  Ｃ１０４８Ｔ  ，  Ｔ１０９５Ｃ  ，  Ｔ１１０７Ｃ  ，  Ｔ１１１９Ｃ  ，  Ｔ１１８９Ｃ  ，  Ａ１２９９Ｇ  ，  Ｇ１３０３Ａ  ，  Ｃ１３１０Ｔ  ，  Ａ１３１３Ｇ  ，  Ａ１３８２Ｃ  ，  Ｔ１３９１Ｃ  ，  Ｇ１３９３Ａ  ，  Ｇ１４３８Ａ  ，  Ｇ１４４２Ａ  ，  Ｃ１５０８Ｔ  ，  Ｔ１５２０Ｃ  ，  Ｇ１５９８Ａ  ，  Ｇ１６６４Ａ  ，  Ｇ１７０９Ａ  ，  Ａ１７３６Ｇ  ，  Ｔ１７３８Ｃ  ，  Ｔ１７６６Ｃ  ，  Ｔ１８１９Ｃ  ，  Ｔ１８２２Ｃ  ，  Ｔ１８２４Ｃ  ，  Ｇ１８８８Ａ  ，  Ａ１８９２Ｇ  ，  Ｔ１９７７Ｃ  ，  Ａ１９７８Ｇ  ，  Ｇ２０５６Ａ  ，  Ｃ２０７９Ｔ  ，  Ｔ２０８０Ｃ  ，  Ｇ２１４０Ａ  ，  ２１５０Ａｉｎｓ  ，  Ａ２２２３Ｇ  ，  Ｇ２３６１Ａ  ，  Ａ２５５０Ｔ  ，  Ｔ２６２６Ｃ  ，  Ｇ２７０６Ａ  ，  Ｃ２７６６Ｔ  ，  Ｃ２７７２Ｔ  ，  Ｇ２８３１Ａ  ，  Ｃ２８３５Ｔ  ，  Ａ２８５１Ｇ  ，  Ｔ２８８７Ｃ  ，  Ｇ３０１０Ａ  ，  Ｔ３０８３Ｃ  ，  ３１６７Ｃｉｎｓ  ，  Ｇ３１９６Ｃ  ，  Ｃ３２０４Ｔ  ，  Ｃ３２０６Ｔ  ，  Ａ３２２１Ｇ  ，  Ｔ３２９０Ｃ  ，  Ｇ３３１６Ａ  ，  Ｔ３３３６Ｃ  ，  Ｇ３３３７Ａ  ，  Ｔ３３３８Ｃ  ，  Ｇ３３５７Ａ  ，  Ｇ３３９１Ａ  ，  Ｔ３３９４Ｃ  ，  Ａ３３９５Ｇ  ，  Ｇ３４２１Ａ  ，  Ｇ３４９６Ｔ  ，  Ｃ３４９７Ｔ  ，  Ｔ３５０４Ｃ  ，  Ａ３５３７Ｇ  ，  Ｔ３５５２Ａ  ，  Ｔ３５９３Ｃ  ，  Ｔ３６４４Ｃ  ，  Ｇ３７０５Ａ  ，  Ａ３７４４Ｇ  ，  Ｇ３７４５Ａ  ，  Ｔ３７８６Ｃ  ，  Ｔ３８０１Ｃ  ，  Ａ３８１６Ｇ  ，  Ｇ３８８２Ａ  ，  Ｇ３９１５Ａ  ，  Ｃ３９６０Ｔ  ，  Ｃ３９７０Ｔ  ，  Ａ３９８１Ｇ  ，  Ｃ４０２５Ｔ  ，  Ｔ４０４７Ｃ  ，  Ｇ４０４８Ａ  ，  Ｃ４０７１Ｔ  ，  Ｃ４０８６Ｔ  ，  Ｇ４１１３Ａ  ，  Ｔ４１１７Ｃ  ，  Ａ４１２９Ｇ  ，  Ｃ４１４０Ｔ  ，  Ｃ４１６１Ｔ  ，  Ａ４１６４Ｇ  ，  Ｃ４１８６Ｔ  ，  Ａ４２０３Ｇ  ，  Ｔ４２０９Ｃ  ，  Ｔ４２４８Ｃ  ，  Ａ４３４３Ｇ  ，  Ｔ４３８６Ｃ  ，  Ｇ４４９１Ａ  ，  Ｃ４５０５Ｔ  ，  Ｃ４５３８Ｔ  ，  Ｇ４５４１Ａ  ，  Ａ４５６２Ｇ  ，  Ｃ４６２５Ｔ  ，  Ｇ４６５５Ａ  ，  Ｔ４６７９Ｃ  ，  Ａ４７０４Ｃ  ，  Ｔ４７０５Ｃ  ，  Ｃ４７１２Ｔ  ，  Ａ４７１５Ｇ  ，  Ａ４７３２Ｇ  ，  Ａ４７９３Ｇ  ，  Ｇ４８２０Ａ  ，  Ａ４８２４Ｇ  ，  Ａ４８３３Ｇ  ，  Ｃ４８５０Ｔ  ，  Ｔ４８５９Ｃ  ，  Ｃ４８８３Ｔ  ，  Ａ４８９５Ｇ  ，  Ｔ４９０７Ｃ  ，  Ａ４９５８Ｇ  ，  Ｇ４９５９Ａ  ，  Ｇ４９９１Ａ  ，  Ｔ５０４８Ｃ  ，  Ｃ５０４９Ｔ  ，  Ａ５０５１Ｇ  ，  Ａ５０８４Ｇ  ，  Ｔ５１０８Ｃ  ，  Ｇ５１４７Ａ  ，  Ａ５１５３Ｇ  ，  Ｃ５１７８Ｔ  ，  Ｃ５１７８Ａ  ，  Ｇ５２３１Ａ  ，  Ｇ５２３７Ａ  ，  Ｇ５２６１Ａ  ，  Ｃ５２６３Ｔ  ，  Ａ５３０１Ｇ  ，  Ａ５３１９Ｇ  ，  Ａ５３５１Ｇ  ，  Ｇ５４１７Ａ  ，  Ｔ５４１８Ｃ  ，  Ｃ５４３５Ｔ  ，  Ａ５４４１Ｇ  ，  Ｔ５４４２Ｃ  ，  Ｇ５４６０Ａ  ，  Ｔ５４６５Ｃ  ，  Ａ５５３９Ｇ  ，  Ａ５５８２Ｇ  ，  Ｇ５５８５Ａ  ，  Ａ５５９２Ｇ  ，  Ｃ５６０１Ｔ  ，  Ｇ５７４４Ａ  ，  Ｇ５７７３Ａ  ，  Ｇ５７７７Ａ  ，  Ｇ５８０９Ａ  ，  Ｇ５８２２Ａ  ，  Ｇ５８２４Ａ  ，  Ａ５８４３Ｇ  ，  Ｗ５８９５Ｃｎ−ｉｎｓ  ，  Ｃ５８９９Ｔ  ，  Ｔ５９６４Ｃ  ，  Ｃ６００５Ｔ  ，  Ｇ６０１８Ａ  ，  Ｇ６０２３Ａ  ，  Ｔ６０８６Ｃ  ，  Ｃ６１６４Ｔ  ，  Ｇ６１７９Ａ  ，  Ｔ６１８５Ｃ  ，  Ｔ６２１６Ｃ  ，  Ｔ６２２１Ｃ  ，  Ｔ６２５３Ｃ  ，  Ｇ６２６０Ａ  ，  Ｔ６２８６Ｃ  ，  Ｔ６２９３Ｃ  ，  Ｔ６３９２Ｃ  ，  Ｃ６４１０Ｔ  ，  Ｔ６４１３Ｃ  ，  Ｃ６４５５Ｔ  ，  Ａ６５０３Ｃ  ，  Ｃ６５３１Ｔ  ，  Ｃ６５５１Ｔ  ，  Ａ６５９９Ｇ  ，  Ｔ６６２０Ｃ  ，  Ｔ６６８０Ｃ  ，  Ｃ６６８９Ｔ  ，  Ｃ６７１３Ｔ  ，  Ｔ６７１９Ｃ  ，  Ａ６７３７Ｇ  ，  Ａ６７５２Ｇ  ，  Ｔ６８４２Ｃ  ，  Ｔ６９４１Ｃ  ，  Ｔ６９５６Ｃ  ，  Ｇ６９６２Ａ  ，  Ｃ７０４３Ｔ  ，  Ａ７０８３Ｇ  ，  Ａ７０９１Ｇ  ，  Ｔ７１４２Ｃ  ，  Ｃ７１９６Ａ  ，  Ａ７２５０Ｇ  ，  Ｔ７２７０Ｃ  ，  Ａ７３０４Ｇ  ，  Ｇ７３３７Ａ  ，  Ａ７３６４Ｇ  ，  Ａ７４０３Ｇ  ，  ７４６５Ｃｉｎｓ  ，  Ｇ７５２１Ａ  ，  Ｃ７５３３Ｔ  ，  Ｇ７６００Ａ  ，  Ｔ７６２１Ｃ  ，  Ｇ７６４２Ａ  ，  Ｔ７６６０Ｃ  ，  Ｇ７６６４Ａ  ，  Ａ７６７３Ｇ  ，  Ｔ７６８４Ｃ  ，  Ｇ７７５７Ａ  ，  Ｇ７７８９Ａ  ，  Ｇ７８０５Ａ  ，  Ａ７８２２Ｇ  ，  Ａ７８２８Ｇ  ，  Ｇ７８３０Ａ  ，  Ｇ７８５２Ａ  ，  Ｇ７８５３Ａ  ，  Ｇ７８５９Ａ  ，  Ｔ７８６１Ｃ  ，  Ｃ７８６７Ｔ  ，  Ｃ７９２７Ｔ  ，  Ｃ７９４８Ｔ  ，  Ｇ８０２０Ａ  ，  Ｇ８０７５Ａ  ，  Ａ８１０８Ｇ  ，  Ａ８１４９Ｇ  ，  Ｔ８１６７Ｃ  ，  Ｔ８１７６Ｃ  ，  Ｔ８２００Ｃ  ，  Ｇ８２０６Ａ  ，  Ｃ８２１５Ａ  ，  Ｇ８２５１Ａ  ，  Ｃ８２６４Ｔ  ，  Ｗ８２７２−ｄｅｌ  ，  Ｔ８３８３Ｃ  ，  Ｇ８３９２Ａ  ，  Ｃ８４１４Ｔ  ，  Ｔ８４１９Ｃ  ，  Ａ８４３５Ｇ  ，  Ａ８４５３Ｇ  ，  Ａ８４７０Ｇ  ，  Ｔ８４７３Ｃ  ，  Ａ８５３７Ｇ  ，  Ａ８５６３Ｇ  ，  Ｇ８５８４Ａ  ，  Ｔ８６１４Ｃ  ，  Ｔ８６１８Ｃ  ，  Ｃ８６２８Ｔ  ，  Ｇ８６６９Ｃ  ，  Ａ８６７９Ｇ  ，  Ｃ８６８４Ｔ  ，  Ａ８７０１Ｇ  ，  Ｔ８７０５Ｃ  ，  Ａ８７１８Ｇ  ，  Ｇ８７６４Ａ  ，  Ｃ８７７６Ｔ  ，  Ａ８７８４Ｇ  ，  Ｔ８７９３Ｃ  ，  Ｃ８７９４Ｔ  ，  Ｃ８８２９Ｔ  ，  Ｃ８８４４Ｔ  ，  Ｇ８８５６Ａ  ，  Ｔ８８８８Ｃ  ，  Ａ８８９４Ｔ  ，  Ａ８９１９Ｇ  ，  Ｇ８９５０Ａ  ，  Ｔ８９５５Ｃ  ，  Ｃ８９６４Ｔ  ，  Ｃ８９９１Ｔ  ，  Ｃ９００４Ｔ  ，  Ｇ９０５３Ａ  ，  Ａ９０５８Ｇ  ，  Ｔ９０９０Ｃ  ，  Ｃ９０９９Ｔ  ，  Ｔ９１１７Ｃ  ，  Ａ９１２０Ｇ  ，  Ｇ９１２３Ａ  ，  Ｔ９１２８Ｃ  ，  Ａ９１８０Ｇ  ，  Ｇ９１８２Ａ  ，  Ａ９１９７Ｇ  ，  Ａ９２０２Ｃ  ，  Ａ９２４２Ｇ  ，  Ａ９２５４Ｇ  ，  Ｃ９２９６Ｔ  ，  Ａ９２９９Ｇ  ，  Ａ９３７７Ｇ  ，  Ｔ９３８６Ｃ  ，  Ａ９３８９Ｇ  ，  Ａ９４１０Ｇ  ，  Ｃ９４３１Ｔ  ，  Ｇ９４７７Ａ  ，  Ｔ９４７９Ｃ  ，  Ｇ９４８９Ａ  ，  Ｔ９４９５Ｃ  ，  Ｔ９４９８Ｃ  ，  Ｃ９５３６Ｔ  ，  Ｔ９５４０Ｃ  ，  Ａ９５４５Ｇ  ，  Ｇ９５４８Ａ  ，  Ｇ９５５４Ａ  ，  Ｇ９５７５Ａ  ，  Ｔ９６６１Ｃ  ，  Ａ９６６４Ｔ  ，  Ａ９６７０Ｇ  ，  Ｔ９７０８Ａ  ，  Ｇ９７１３Ａ  ，  Ｇ９７５５Ａ  ，  Ｔ９８２４Ａ  ，  Ｔ９８２４Ｃ  ，  Ｃ９８５１Ｔ  ，  Ｇ９９３２Ａ  ，  Ｔ９９３８Ｃ  ，  Ｔ９９４４Ｃ  ，  Ｔ９９５０Ｃ  ，  Ｇ９９６２Ａ  ，  Ｔ９９７７Ｃ  ，  Ａ１００４４Ｇ  ，  Ｔ１００８４Ｃ  ，  Ａ１０１０３Ｇ  ，  Ｃ１０１０４Ｔ  ，  Ｃ１０１８１Ｔ  ，  Ａ１０１９０Ｇ  ，  Ｔ１０２３５Ｃ  ，  Ｔ１０２３８Ｃ  ，  Ｔ１０２４８Ｃ  ，  Ｇ１０３１０Ａ  ，  Ｇ１０３２０Ａ  ，  Ｔ１０３４５Ｃ  ，  Ｇ１０３７３Ａ  ，  Ａ１０３９７Ｇ  ，  Ａ１０３９８Ｇ  ，  Ｃ１０４００Ｔ  ，  Ｔ１０４１０Ｃ  ，  Ａ１０４１１Ｇ  ，  Ｔ１０４５４Ｃ  ，  Ｔ１０５３５Ｃ  ，  Ｇ１０５８６Ａ  ，  Ｃ１０６０７Ｔ  ，  Ｔ１０６０９Ｃ  ，  Ｇ１０６４６Ａ  ，  Ａ１０６５８Ｇ  ，  Ｇ１０６８５Ａ  ，  Ｔ１０７９０Ｃ  ，  Ｇ１０８０１Ａ  ，  Ｔ１０８７３Ｃ  ，  Ｔ１０９０７Ｃ  ，  Ｔ１０９１５Ｃ  ，  Ｃ１０９７６Ｔ  ，  Ｔ１１００９Ｃ  ，  Ｇ１１０１６Ａ  ，  Ｔ１１０１７Ｃ  ，  Ａ１１０３８Ｇ  ，  Ａ１１０８４Ｇ  ，  Ａ１１０９２Ｇ  ，  Ａ１１１０１Ｇ  ，  Ｃ１１１４６Ｔ  ，  Ｔ１１１４７Ｃ  ，  Ｇ１１１４９Ａ  ，  Ｃ１１１５１Ｔ  ，  Ａ１１１６７Ｇ  ，  Ｃ１１１９１Ｔ  ，  Ｃ１１２１５Ｔ  ，  Ｔ１１２５３Ｃ  ，  Ｔ１１２５５Ｃ  ，  Ｃ１１２５７Ｔ  ，  Ｔ１１３６８Ｃ  ，  Ｔ１１３８３Ｃ  ，  Ｔ１１４３７Ｃ  ，  Ｃ１１５３６Ｔ  ，  Ｔ１１５６９Ｃ  ，  Ｃ１１６４７Ｔ  ，  Ｃ１１６６５Ｔ  ，  Ｃ１１６６８Ｔ  ，  Ｇ１１６９６Ａ  ，  Ｔ１１７０１Ｃ  ，  Ｔ１１７２２Ｃ  ，  Ａ１１７４６Ｇ  ，  Ａ１１８２４Ｇ  ，  Ｃ１１８６９Ｔ  ，  Ｇ１１９１４Ａ  ，  Ａ１１９２６Ｇ  ，  Ｔ１１９４４Ｃ  ，  Ａ１１９５９Ｇ  ，  Ｇ１１９６３Ａ  ，  Ｇ１１９６９Ａ  ，  Ｇ１２００７Ａ  ，  Ａ１２０２６Ｇ  ，  Ａ１２０３３Ｇ  ，  Ｃ１２０８５Ｔ  ，  Ｔ１２０９１Ｃ  ，  Ｃ１２１３５Ｔ  ，  Ｃ１２１５３Ｔ  ，  Ａ１���１７２Ｇ  ，  Ａ１２２３４Ｇ  ，  Ｇ１２２３６Ａ  ，  １２２３６Ｃｉｎｓ  ，  Ａ１２２８０Ｇ  ，  Ｔ１２３１１Ｃ  ，  Ｔ１２３３８Ｃ  ，  Ｔ１２３５４Ｃ  ，  Ａ１２３５８Ｇ  ，  Ｃ１２３６０Ｔ  ，  Ａ１２３６１Ｇ  ，  Ｇ１２３７２Ａ  ，  Ｔ１２３９６Ｃ  ，  Ｃ１２４０５Ｔ  ，  Ｇ１２４０６Ａ  ，  Ｔ１２４０８Ｃ  ，  Ａ１２４５１Ｇ  ，  Ｇ１２５０１Ａ  ，  Ｃ１２５４９Ｔ  ，  Ａ１２６１２Ｇ  ，  Ｇ１２６３０Ａ  ，  Ｃ１２６３３Ｔ  ，  Ｔ１２６９６Ｃ  ，  Ｃ１２７０５Ｔ  ，  Ａ１２７１５Ｇ  ，  Ｇ１２７７１Ａ  ，  Ｔ１２８１１Ｃ  ，  Ｃ１２８１６Ｔ  ，  Ｃ１２８５３Ｔ  ，  Ｔ１２８８０Ｃ  ，  Ｃ１２８８２Ｔ  ，  Ｃ１２９８４Ｔ  ，  Ｃ１３０２９Ｔ  ，  Ａ１３０７４Ｇ  ，  Ａ１３０８３Ｔ  ，  Ａ１３１０４Ｇ  ，  Ｃ１３１１０Ｔ  ，  Ｇ１３１３５Ａ  ，  Ｔ１３１４３Ｃ  ，  Ａ１３１５２Ｇ  ，  Ａ１３１８３Ｇ  ，  Ａ１３２２１Ｇ  ，  Ａ１３２６３Ｇ  ，  Ａ１３２７８Ｇ  ，  Ａ１３２９９Ｇ  ，  Ｔ１３４３７Ｃ  ，  Ｇ１３４７７Ａ  ，  Ａ１３５１２Ｇ  ，  Ａ１３５２７Ｇ  ，  Ａ１３５６３Ｇ  ，  Ｇ１３５９０Ａ  ，  Ｔ１３６０２Ｃ  ，  Ａ１３６２９Ｇ  ，  Ａ１３６５１Ｇ  ，  Ｔ１３６５６Ｃ  ，  Ｇ１３７０８Ａ  ，  Ａ１３７４８Ｇ  ，  Ｇ１３７５９Ａ  ，  Ｔ１３７６８Ｃ  ，  Ｃ１３８５５Ｔ  ，  Ａ１３８５７Ｇ  ，  Ｔ１３８７９Ｃ  ，  Ａ１３８８７Ｇ  ，  Ｃ１３８９０Ｔ  ，  Ｇ１３９２８Ｃ  ，  Ｃ１３９３４Ｔ  ，  Ａ１３９４２Ｇ  ，  Ｇ１３９６８Ａ  ，  Ａ１４００２Ｇ  ，  Ｃ１４００３Ｔ  ，  Ｃ１４０５２Ｔ  ，  Ｔ１４０６３Ｃ  ，  Ｔ１４０９４Ｃ  ，  Ａ１４１３３Ｇ  ，  Ｃ１４１４２Ｔ  ，  Ａ１４１４８Ｇ  ，  Ｃ１４１４９Ｔ  ，  Ｃ１４１５８Ｔ  ，  Ｔ１４１７８Ｃ  ，  Ａ１４１８５Ｔ  ，  Ｔ１４２００Ｃ  ，  Ａ１４２６０Ｇ  ，  Ｃ１４２８１Ｔ  ，  Ｔ１４２８７Ｃ  ，  Ｇ１４３０５Ａ  ，  Ｔ１４３０８Ｃ  ，  Ａ１４３１２Ｇ  ，  Ｔ１４３１８Ｃ  ，  Ｔ１４３２５Ｃ  ，  Ｃ１４３３７Ｔ  ，  Ｇ１４３６４Ａ  ，  Ａ１４４１７Ｇ  ，  Ｔ１４４７０Ｃ  ，  Ｇ１４４７６Ａ  ，  Ｔ１４５０２Ｃ  ，  Ｇ１４５６０Ｃ  ，  Ｇ１４５６９Ａ  ，  Ｔ１４５８４Ｃ  ，  Ａ１４６０５Ｇ  ，  Ｃ１４６２９Ｔ  ，  Ｔ１４６３４Ｇ  ，  Ｃ１４６６８Ｔ  ，  Ａ１４６９２Ｇ  ，  Ａ１４６９３Ｇ  ，  Ａ１４６９６Ｇ  ，  Ａ１４７５０Ｇ  ，  Ｔ１４７８３Ｃ  ，  Ａ１４７９０Ｇ  ，  Ｃ１４８６７Ｔ  ，  Ｇ１４８６９Ａ  ，  Ａ１４８９３Ｇ  ，  Ａ１４９１４Ｇ  ，  Ｃ１４９４４Ｔ  ，  Ｔ１４９６８Ｃ  ，  Ｔ１４９７１Ｃ  ，  Ｔ１４９７９Ｃ  ，  Ｃ１４９９０Ｔ  ，  Ｃ１５０４０Ｔ  ，  Ｇ１５０４３Ａ  ，  Ｇ１５０４７Ａ  ，  Ａ１５０６１Ｇ  ，  Ｔ１５０６７Ｃ  ，  Ｔ１５０７１Ｃ  ，  Ｔ１５０９０Ｃ  ，  Ｇ１５１１９Ａ  ，  Ｔ１５１３９Ｃ  ，  Ｇ１５１４８Ａ  ，  Ａ１５２１８Ｇ  ，  Ｇ１５２２１Ａ  ，  Ｃ１５２２３Ｔ  ，  Ａ１５２３５Ｇ  ，  Ａ１５２３６Ｇ  ，  Ａ１５２４４Ｇ  ，  Ｔ１５２９９Ｃ  ，  Ｇ１５３０１Ａ  ，  Ｇ１５３１４Ａ  ，  Ｇ１５３２３Ａ  ，  Ｃ１５３３１Ａ  ，  Ｇ１５３４６Ａ  ，  Ｇ１５３５５Ａ  ，  Ａ１５４２２Ｇ  ，  Ａ１５４２７Ｇ  ，  Ｔ１５４４０Ｃ  ，  Ｃ１５４５５Ｔ  ，  Ｔ１５４７９Ｃ  ，  Ａ１５４８７Ｔ  ，  Ｇ１��４９７Ａ  ，  Ｃ１５５０８Ｔ  ，  Ｃ１５５１８Ｔ  ，  Ａ１５５２４Ｇ  ，  Ｃ１５５３５Ｔ  ，  Ｇ１５５５３Ａ  ，  Ｔ１５５６５Ｃ  ，  Ｔ１５５８６Ｃ  ，  Ｃ１５６３２Ａ  ，  Ａ１５６６２Ｇ  ，  Ｔ１５６６３Ｃ  ，  Ｔ１５６７０Ｃ  ，  Ｔ１５６９７Ｃ  ，  Ａ１５７２４Ｇ  ，  Ａ１５７４６Ｇ  ，  Ｃ１５７５４Ａ  ，  Ａ１５７５８Ｇ  ，  Ａ１５７６６Ｇ  ，  Ｔ１５７７４Ｃ  ，  Ｔ１５７８４Ｃ  ，  Ｔ１５８５０Ｃ  ，  Ａ１５８５１Ｇ  ，  Ａ１５８６０Ｇ  ，  Ａ１５８７４Ｇ  ，  Ｇ１５８８４Ａ  ，  Ｃ１５８８６Ｔ  ，  Ａ１５９２４Ｇ  ，  Ｇ１５９２７Ａ  ，  Ｇ１５９２８Ａ  ，  Ｇ１５９３０Ａ  ，  Ａ１５９３６Ｇ  ，  Ｔ１５９４０Ｃ  ，  Ｔ１５９４１Ｃ  ，  Ａ１５９５１Ｇ  ，  Ａ１５９５４Ｇ  ，  Ｔ１５９８３Ｃ  ，  Ｇ１６０００Ａ  ，  Ａ１６０５１Ｇ  ，  Ａ１６０６６Ｇ  ，  Ｔ１６０８６Ｃ  ，  Ｔ１６０９２Ｃ  ，  Ｔ１６０９３Ｃ  ，  Ｔ１６１０２Ｃ  ，  Ｃ１６１１１Ｔ  ，  Ｃ１６１１４Ａ  ，  Ｔ１６１２６Ｃ  ，  Ｇ１６１２９Ａ  ，  Ｔ１６１３６Ｃ  ，  Ｔ１６１４０Ｃ  ，  Ｇ１６１４５Ａ  ，  Ｃ１６１５０Ｔ  ，  Ｔ１６１５４Ｃ  ，  Ａ１６１６０Ｇ  ，  Ａ１６１６２Ｇ  ，  Ａ１６１６４Ｇ  ，  Ｃ１６１６７Ｔ  ，  Ｃ１６１６９Ｔ  ，  Ｔ１６１７２Ｃ  ，  Ｃ１６１７４Ｔ  ，  Ｃ１６１７６Ｔ  ，  Ｗ１６１８０−９５−ｈｖｒ２  ，  Ａ１６２０３Ｇ  ，  Ａ１６２０７Ｇ  ，  Ｔ１６２０９Ｃ  ，  Ａ１６２１２Ｇ  ，  Ｇ１６２１３Ａ  ，  Ｃ１６２１４Ｔ  ，  Ｔ１６２１７Ｃ  ，  Ｃ１６２１８Ｔ  ，  Ｃ１６２２３Ｔ  ，  Ｔ１６２２４Ｃ  ，  Ａ１６２２７Ｇ  ，  Ｔ１６２２９Ｃ  ，  Ｔ１６２３１Ｃ  ，  Ｃ１６２３２Ａ  ，  Ｃ１６２３４Ｔ  ，  Ｃ１６２３９Ｔ  ，  Ａ１６２４１Ｇ  ，  Ｔ１６２４３Ｃ  ，  Ｃ１６２４５Ｔ  ，  Ｔ１６２４９Ｃ  ，  Ｃ１６２５０Ｔ  ，  Ａ１６２５４Ｇ  ，  Ｃ１６２５６Ｔ  ，  Ｃ１６２５７Ａ  ，  Ｃ１６２５９Ｔ  ，  Ｃ１６２６０Ｔ  ，  Ｃ１６２６１Ｔ  ，  Ｃ１６２６４Ｔ  ，  Ａ１６２６５Ｇ  ，  Ａ１６２６５Ｃ  ，  Ｃ１６２６６Ｔ  ，  Ｃ１６２６６Ａ  ，  Ｃ１６２６６Ｇ  ，  Ｃ１６２６８Ｔ  ，  Ｇ１６２７４Ａ  ，  Ｃ１６２７８Ｔ  ，  Ａ１６２８４Ｇ  ，  Ｃ１６２８７Ｔ  ，  Ｔ１６２８８Ｃ  ，  Ｃ１６２９０Ｔ  ，  Ｃ１６２９１Ｔ  ，  Ｃ１６２９２Ｔ  ，  Ｃ１６２９４Ｔ  ，  Ｔ１６２９７Ｃ  ，  Ｔ１６２９８Ｃ  ，  Ｔ１６３０４Ｃ  ，  Ａ１６３０９Ｇ  ，  Ｔ１６３１１Ｃ  ，  Ａ１６３１６Ｇ  ，  Ｇ１６３１９Ａ  ，  Ｃ１６３２０Ｔ  ，  Ｔ１６３２４Ｃ  ，  Ｔ１６３２５Ｃ  ，  Ｃ１６３２７Ｔ  ，  Ｃ１６３４４Ｔ  ，  Ｔ１６３５２Ｃ  ，  Ｃ１６３５５Ｔ  ，  Ｃ１６３５５Ａ  ，  Ｔ１６３５７Ｃ  ，  Ｃ１６３６０Ｔ  ，  Ｔ１６３６２Ｃ  ，  Ｔ１６３８１Ｃ  ，  Ｇ１６３９０Ａ  ，  Ａ１６３９９Ｇ  ，  Ａ１６４６３Ｇ  ，  Ａ１６４９７Ｇ  ，  Ｔ１６５１９Ｃ  ，  Ａ１６５２５Ｇのうちの少なくとも一つ、または二つ以上の塩基の変異に基づいて、個人識別することを特徴とするヒトミトコンドリア遺伝子変異に基づく個人識別法。
【請求項２】
ヒトミトコンドリアＤＮＡにおいて、Ｔ１０Ｃ  ，  Ｃ４１Ｔ  ，  ４２Ｃｉｎｓ  ，  Ｃ６４Ｔ  ，  ６５Ｇｉｎｓ  ，  Ｇ６８Ａ  ，  Ｇ７５Ａ  ，  Ａ９３Ｇ  ，  Ｇ９４Ａ  ，  Ｇ１０３Ａ  ，  Ｔ１３１Ｃ  ，  Ｔ１４６Ｃ  ，  Ｃ１５０Ｔ  ，  Ｔ１５２Ｃ  ，  Ａ１５３Ｇ  ，  Ａ１８３Ｇ  ，  Ａ１８９Ｇ  ，  Ｃ１９４Ｔ  ，  Ｔ１９５Ｃ  ，  Ｔ１９５Ａ  ，  Ｔ１９９Ｃ  ，  Ａ２００Ｇ  ，  Ａ２０２Ｇ  ，  Ｇ２０３Ａ  ，  Ｔ２０４Ｃ  ，  Ｇ２０７Ａ  ，  Ａ２１０Ｇ  ，  Ａ２１４Ｇ  ，  Ａ２３５Ｇ  ，  Ａ２４８ｄｅｌ  ，  Ｇ２５５Ａ  ，  Ｇ２６０Ａ  ，  Ｔ２７９Ｃ  ，  ２８５Ａｉｎｓ  ，  Ｗ３０３−３１７ｈｖｒ１  ，  Ｔ３１８Ｃ  ，  Ｇ３２２Ａ  ，  Ｃ３４５Ｔ  ，  Ａ３８４Ｇ  ，  Ｃ４３１Ｔ  ，  Ｃ４５６Ｔ  ，  Ｃ４８１Ｔ  ，  Ｔ４８９Ｃ  ，  Ｇ４９９Ａ  ，  Ｗ５１４ｉｎｓＣＡ２  ，  Ｗ５１４ｄｅｌＣＡ２  ，  Ｇ５４５Ａ  ，  Ｗ５６８Ｃｎ−ｉｎｓ  ，  Ｔ５９３Ｃ  ，  Ａ６６３Ｇ  ，  Ｔ６８１Ｃ  ，  Ｃ７０２Ｔ  ，  Ｇ７０９Ａ  ，  Ｃ７５２Ｔ  ，  Ａ８１４Ｇ  ，  Ａ８２７Ｇ  ，  Ａ８５６Ｇ  ，  Ｗ９５６Ｃｎ−ｉｎｓ  ，  Ｔ９６１Ｃ  ，  Ａ１０４１Ｇ  ，  Ｃ１０４８Ｔ  ，  Ｔ１１０７Ｃ  ，  Ｔ１１１９Ｃ  ，  Ｔ１１８９Ｃ  ，  Ａ１２９９Ｇ  ，  Ｇ１３０３Ａ  ，  Ｃ１３１０Ｔ  ，  Ａ１３８２Ｃ  ，  Ｔ１３９１Ｃ  ，  Ｇ１４３８Ａ  ，  Ｇ１４４２Ａ  ，  Ｃ１５０８Ｔ  ，  Ｇ１５９８Ａ  ，  Ｇ１６６４Ａ  ，  Ａ１７３６Ｇ  ，  Ｔ１７６６Ｃ  ，  Ｔ１８１９Ｃ  ，  Ｔ１８２２Ｃ  ，  Ｇ１８８８Ａ  ，  Ａ１８９２Ｇ  ，  Ａ１９７８Ｇ  ，  Ｇ２０５６Ａ  ，  Ｃ２０７９Ｔ  ，  ２１５０Ａ−ｉｎｓ  ，  Ａ２２２３Ｇ  ，  Ｇ２３６１Ａ  ，  Ａ２５５０Ｔ  ，  Ｔ２６２６Ｃ  ，  Ｇ２７０６Ａ  ，  Ｃ２７６６Ｔ  ，  Ｃ２７７２Ｔ  ，  Ｇ２８３１Ａ  ，  Ｔ２８８７Ｃ  ，  Ｇ３０１０Ａ  ，  ３１６７Ｃ−ｉｎｓ  ，  Ｃ３２０６Ｔ  ，  Ａ３２２１Ｇ  ，  Ｇ３３１６Ａ  ，  Ｔ３３３６Ｃ  ，  Ｇ３３３７Ａ  ，  Ｔ３３３８Ｃ  ，  Ｔ３３９４Ｃ  ，  Ａ３３９５Ｇ  ，  Ｇ３４９６Ｔ  ，  Ｃ３４９７Ｔ  ，  Ｔ３５０４Ｃ  ，  Ａ３５３７Ｇ  ，  Ｔ３５９３Ｃ  ，  Ｔ３６４４Ｃ  ，  Ａ３７４４Ｇ  ，  Ｔ３７８６Ｃ  ，  Ｔ３８０１Ｃ  ，  Ａ３８１６Ｇ  ，  Ｇ３９１５Ａ  ，  Ｃ３９７０Ｔ  ，  Ａ３９８１Ｇ  ，  Ｃ４０２５Ｔ  ，  Ｇ４０４８Ａ  ，  Ｃ４０７１Ｔ  ，  Ｇ４１１３Ａ  ，  Ｔ４１１７Ｃ  ，  Ａ４１２９Ｇ  ，  Ｃ４１４０Ｔ  ，  Ｃ４１６１Ｔ  ，  Ａ４１６４Ｇ  ，  Ｃ４１８６Ｔ  ，  Ｔ４２０９Ｃ  ，  Ｔ４２４８Ｃ  ，  Ａ４３４３Ｇ  ，  Ｔ４３８６Ｃ  ，  Ｇ４４９１Ａ  ，  Ｃ４５３８Ｔ  ，  Ｃ４６２５Ｔ  ，  Ｇ４６５５Ａ  ，  Ａ４７０４Ｃ  ，  Ｃ４７１２Ｔ  ，  Ａ４７１５Ｇ  ，  Ａ４７３２Ｇ  ，  Ａ４７９３Ｇ  ，  Ｇ４８２０Ａ  ，  Ａ４８２４Ｇ  ，  Ａ４８３３Ｇ  ，  Ｔ４８５９Ｃ  ，  Ｃ４８８３Ｔ  ，  Ａ４８９５Ｇ  ，  Ｔ４９０７Ｃ  ，  Ａ４９５８Ｇ  ，  Ｇ４９９１Ａ  ，  Ｔ５０４８Ｃ  ，  Ｔ５１０８Ｃ  ，  Ｇ５１４７Ａ  ，  Ａ５１５３Ｇ  ，  Ｃ５１７８Ａ  ，  Ｃ５１７８Ｔ  ，  Ｇ５２３１Ａ  ，  Ｇ５２３７Ａ  ，  Ａ５３０１Ｇ  ，  Ａ５３１９Ｇ  ，  Ａ５３５１Ｇ  ，  Ｇ５４１７Ａ  ，  Ａ５４４１Ｇ  ，  Ｇ５４６０Ａ  ，  Ｔ５４６５Ｃ  ，  Ａ５５３９Ｇ  ，  Ｇ５５８５Ａ  ，  Ａ５５９２Ｇ  ，  Ｃ５６０１Ｔ  ，  Ｇ５７４４Ａ  ，  Ｇ５７７３Ａ  ，  Ｇ５７７７Ａ  ，  Ｗ５８９５Ｃｎ−ｉｎｓ  ，  Ｃ５８９９Ｔ  ，  Ｔ５９６４Ｃ  ，  Ｃ６００５Ｔ  ，  Ｇ６０２３Ａ  ，  Ｔ６１８５Ｃ  ，  Ｔ６２５３Ｃ  ，  Ｇ６２６０Ａ  ，  Ｔ６３９２Ｃ  ，  Ｃ６４１０Ｔ  ，  Ｔ６４１３Ｃ  ，  Ｃ６４５５Ｔ  ，  Ａ６５０３Ｃ  ，  Ｃ６５５１Ｔ  ，  Ａ６５９９Ｇ  ，  Ｔ６６２０Ｃ  ，  Ｔ６６８０Ｃ  ，  Ｃ６６８９Ｔ  ，  Ｃ６７１３Ｔ  ，  Ａ６７５２Ｇ  ，  Ｔ６９５６Ｃ  ，  Ｇ６９６２Ａ  ，  Ａ７０８３Ｇ  ，  Ａ７０９１Ｇ  ，  Ｃ７１９６Ａ  ，  Ａ７２５０Ｇ  ，  Ｔ７２７０Ｃ  ，  Ａ７３６４Ｇ  ，  Ｇ７６００Ａ  ，  Ｇ７６６４Ａ  ，  Ａ７６７３Ｇ  ，  Ｔ７６８４Ｃ  ，  Ｇ７７５７Ａ  ，  Ｇ７７８９Ａ  ，  Ａ７８２２Ｇ  ，  Ｇ７８５３Ａ  ，  Ｃ７８６７Ｔ  ，  Ｇ８０２０Ａ  ，  Ｇ８０７５Ａ  ，  Ａ８１４９Ｇ  ，  Ｔ８１６７Ｃ  ，  Ｔ８２００Ｃ  ，  Ｇ８２０６Ａ  ，  Ｇ８２５１Ａ  ，  Ｗ８２７２−ｄｅｌ  ，  Ｔ８３８３Ｃ  ，  Ｃ８４１４Ｔ  ，  Ｔ８４１９Ｃ  ，  Ａ８４３５Ｇ  ，  Ｔ８４７３Ｃ  ，  Ａ８５６３Ｇ  ，  Ｇ８５８４Ａ  ，  Ｔ８６１４Ｃ  ，  Ｃ８６２８Ｔ  ，  Ｇ８６６９Ｃ  ，  Ａ８７０１Ｇ  ，  Ｇ８７６４Ａ  ，  Ａ８７８４Ｇ  ，  Ｔ８７９３Ｃ  ，  Ｃ８７９４Ｔ  ，  Ｃ８８２９Ｔ  ，  Ｃ８８４４Ｔ  ，  Ｇ８８５６Ａ  ，  Ａ８８９４Ｔ  ，  Ａ８９１９Ｇ  ，  Ｇ８９５０Ａ  ，  Ｃ８９６４Ｔ  ，  Ｃ８９９１Ｔ  ，  Ｃ９００４Ｔ  ，  Ｇ９０５３Ａ  ，  Ｔ９０９０Ｃ  ，  Ｔ９１１７Ｃ  ，  Ｇ９１２３Ａ  ，  Ａ９１８０Ｇ  ，  Ｇ９１８２Ａ  ，  Ａ９１９７Ｇ  ，  Ａ９２４２Ｇ  ，  Ａ９２５４Ｇ  ，  Ｃ９２９６Ｔ  ，  Ａ９２９９Ｇ  ，  Ａ９３７７Ｇ  ，  Ａ９４１０Ｇ  ，  Ｃ９４３１Ｔ  ，  Ｇ９４７７Ａ  ，  Ｔ９４７９Ｃ  ，  Ｔ９４９８Ｃ  ，  Ｃ９５３６Ｔ  ，  Ｔ９５４０Ｃ  ，  Ｇ９５７５Ａ  ，  Ｔ９６６１Ｃ  ，  Ａ９６６４Ｔ  ，  Ｇ９７１３Ａ  ，  Ｔ９８２４Ｃ  ，  Ｔ９８２４Ａ  ，  Ｃ９８５１Ｔ  ，  Ｇ９９３２Ａ  ，  Ｔ９９３８Ｃ  ，  Ｔ９９５０Ｃ  ，  Ｇ９９６２Ａ  ，  Ｔ９９７７Ｃ  ，  Ｔ１００８４Ｃ  ，  Ａ１０１０３Ｇ  ，  Ｃ１０１０４Ｔ  ，  Ｃ１０１８１Ｔ  ，  Ｔ１０２３５Ｃ  ，  Ｔ１０２３８Ｃ  ，  Ｇ１０３１０Ａ  ，  Ｔ１０３４５Ｃ  ，  Ｇ１０３７３Ａ  ，  Ａ１０３９７Ｇ  ，  Ａ１０３９８Ｇ  ，  Ｃ１０４００Ｔ  ，  Ｔ１０４１０Ｃ  ，  Ａ１０４１１Ｇ  ，  Ｔ１０４５４Ｃ  ，  Ｃ１０６０７Ｔ  ，  Ｔ１０６０９Ｃ  ，  Ｇ１０６４６Ａ  ，  Ｇ１０６８５Ａ  ，  Ｔ１０７９０Ｃ  ，  Ｇ１０８０１Ａ  ，  Ｔ１０８７３Ｃ  ，  Ｔ１０９０７Ｃ  ，  Ｔ１０９１５Ｃ  ，  Ｃ１０９７６Ｔ  ，  Ｔ１１００９Ｃ  ，  Ｇ１１０１６Ａ  ，  Ｔ１１０１７Ｃ  ，  Ａ１１０８４Ｇ  ，  Ａ１１０９２Ｇ  ，  Ａ１１１０１Ｇ  ，  Ｃ１１１４６Ｔ  ，  Ｔ１１１４７Ｃ  ，  Ｇ１１１４９Ａ  ，  Ｃ１１１５１Ｔ  ，  Ａ１１１６７Ｇ  ，  Ｃ１１２１５Ｔ  ，  Ｔ１１２５３Ｃ  ，  Ｔ１１２５５Ｃ  ，  Ｔ１１４３７Ｃ  ，  Ｃ１１５３６Ｔ  ，  Ｔ１１５６９Ｃ  ，  Ｃ１１６４７Ｔ  ，  Ｃ１１６６８Ｔ  ，  Ｇ１１６９６Ａ  ，  Ｔ１１７０１Ｃ  ，  Ｔ１１７２２Ｃ  ，  Ａ１１７４６Ｇ  ，  Ｇ１１９１４Ａ  ，  Ｔ１１９４４Ｃ  ，  Ａ１１９５９Ｇ  ，  Ｇ１１９６３Ａ  ，  Ａ１２０２６Ｇ  ，  Ａ１２０３３Ｇ  ，  Ｃ１２０８５Ｔ  ，  Ａ１２１７２Ｇ  ，  Ａ１２２８０Ｇ  ，  Ｔ１２３５４Ｃ  ，  Ａ１２３５８Ｇ  ，  Ｃ１２３６０Ｔ  ，  Ａ１２３６１Ｇ  ，  Ｇ１２３７２Ａ  ，  Ｃ１２４０５Ｔ  ，  Ｇ１２４０６Ａ  ，  Ａ１２４５１Ｇ  ，  Ｇ１２５０１Ａ  ，  Ｃ１２５４９Ｔ  ，  Ａ１２６１２Ｇ  ，  Ｃ１２６３３Ｔ  ，  Ｃ１２７０５Ｔ  ，  Ｇ１２７７１Ａ  ，  Ｔ１２８１１Ｃ  ，  Ｃ１２８５３Ｔ  ，  Ｔ１２８８０Ｃ  ，  Ｃ１２８８２Ｔ  ，  Ｃ１３０２９Ｔ  ，  Ａ１３０８３Ｔ  ，  Ａ１３１０４Ｇ  ，  Ｇ１３１３５Ａ  ，  Ｔ１３１４３Ｃ  ，  Ａ１３１５２Ｇ  ，  Ａ１３１８３Ｇ  ，  Ａ１３２２１Ｇ  ，  Ａ１３２７８Ｇ  ，  Ｔ１３４３７Ｃ  ，  Ｇ１３４７７Ａ  ，  Ａ１３５１２Ｇ  ，  Ａ１３５２７Ｇ  ，  Ａ１３５６３Ｇ  ，  Ｇ１３５９０Ａ  ，  Ａ１３６２９Ｇ  ，  Ｇ１３７０８Ａ  ，  Ｇ１３７５９Ａ  ，  Ｃ１３８５５Ｔ  ，  Ａ１３８５７Ｇ  ，  Ｔ１３８７９Ｃ  ，  Ａ１３８８７Ｇ  ，  Ｇ１３９２８Ｃ  ，  Ｃ１３９３４Ｔ  ，  Ｇ１３９６８Ａ  ，  Ｃ１４００３Ｔ  ，  Ｃ１４０５２Ｔ  ，  Ｔ１４０６３Ｃ  ，  Ａ１４１３３Ｇ  ，  Ｃ１４１４２Ｔ  ，  Ｃ１４１４９Ｔ  ，  Ｃ１４１５８Ｔ  ，  Ｔ１４２００Ｃ  ，  Ｇ１４３０５Ａ  ，  Ｔ１４３０８Ｃ  ，  Ｔ１４３２５Ｃ  ，  Ｇ１４３６４Ａ  ，  Ｔ１４４７０Ｃ  ，  Ｇ１４４７６Ａ  ，  Ｔ１４５０２Ｃ  ，  Ｇ１４５６９Ａ  ，  Ａ１４６０５Ｇ  ，  Ｃ１４６２９Ｔ  ，  Ｔ１４６３４Ｇ  ，  Ｃ１４６６８Ｔ  ，  Ａ１４６９２Ｇ  ，  Ａ１４６９３Ｇ  ，  Ａ１４７５０Ｇ  ，  Ｔ１４７８３Ｃ  ，  Ａ１４８９３Ｇ  ，  Ｃ１４９４４Ｔ  ，  Ｔ１４９７１Ｃ  ，  Ｔ１４９７９Ｃ  ，  Ｃ１４９９０Ｔ  ，  Ｃ１５０４０Ｔ  ，  Ｇ１５０４３Ａ  ，  Ａ１５０６１Ｇ  ，  Ｔ１５０６７Ｃ  ，  Ｔ１５０７１Ｃ  ，  Ｇ１５２２１Ａ  ，  Ｃ１５２２３Ｔ  ，  Ａ１５２３５Ｇ  ，  Ａ１５２３６Ｇ  ，  Ａ１５２４４Ｇ  ，  Ｔ１５２９９Ｃ  ，  Ｇ１５３０１Ａ  ，  Ｇ１５３２３Ａ  ，  Ｃ１５３３１Ａ  ，  Ｇ１５３４６Ａ  ，  Ｇ１５３５５Ａ  ，  Ａ１５４２７Ｇ  ，  Ｔ１５４４０Ｃ  ，  Ｃ１５４５５Ｔ  ，  Ａ１５４８７Ｔ  ，  Ｇ１５４９７Ａ  ，  Ｃ１５５０８Ｔ  ，  Ｃ１５５１８Ｔ  ，  Ａ１５５２４Ｇ  ，  Ｃ１５５３５Ｔ  ，  Ｇ１５５５３Ａ  ，  Ｔ１５５８６Ｃ  ，  Ｃ１５６３２Ａ  ，  Ａ１５６６２Ｇ  ，  Ａ１５７２４Ｇ  ，  Ａ１５７５８Ｇ  ，  Ｔ１５７８４Ｃ  ，  Ｔ１５８５０Ｃ  ，  Ａ１５８５１Ｇ  ，  Ａ１５８６０Ｇ  ，  Ａ１５８７４Ｇ  ，  Ｇ１５８８４Ａ  ，  Ａ１５９２４Ｇ  ，  Ｇ１５９２７Ａ  ，  Ｇ１５９２８Ａ  ，  Ａ１５９３６Ｇ  ，  Ｔ１５９４０Ｃ  ，  Ｔ１５９４１Ｃ  ，  Ａ１５９５１Ｇ  ，  Ａ１５９５４Ｇ  ，  Ｔ１５９８３Ｃ  ，  Ａ１６０６６Ｇ  ，  Ｔ１６０８６Ｃ  ，  Ｔ１６０９２Ｃ  ，  Ｔ１６０９３Ｃ  ，  Ｔ１６１０２Ｃ  ，  Ｃ１６１１１Ｔ  ，  Ｇ１６１２９Ａ  ，  Ｔ１６１３６Ｃ  ，  Ｔ１６１４０Ｃ  ，  Ｇ１６１４５Ａ  ，  Ｔ１６１５４Ｃ  ，  Ａ１６１６０Ｇ  ，  Ａ１６１６４Ｇ  ，  Ｃ１６１６７Ｔ  ，  Ｔ１６１７２Ｃ  ，  Ｃ１６１７４Ｔ  ，  Ｃ１６１７６Ｔ  ，  Ｗ１６１８０−９５−ｈｖｒ２  ，  Ｔ１６２０９Ｃ  ，  Ａ１６２１２Ｇ  ，  Ｃ１６２１４Ｔ  ，  Ｔ１６２１７Ｃ  ，  Ｃ���６２１８Ｔ  ，  Ｃ１６２２３Ｔ  ，  Ｔ１６２２４Ｃ  ，  Ａ１６２２７Ｇ  ，  Ｔ１６２３１Ｃ  ，  Ｃ１６２３２Ａ  ，  Ｃ１６２３４Ｔ  ，  Ａ１６２４１Ｇ  ，  Ｔ１６２４３Ｃ  ，  Ｃ１６２４５Ｔ  ，  Ｔ１６２４９Ｃ  ，  Ｃ１６２５０Ｔ  ，  Ａ１６２５４Ｇ  ，  Ｃ１６２５６Ｔ  ，  Ｃ１６２５７Ａ  ，  Ｃ１６２５９Ｔ  ，  Ｃ１６２６０Ｔ  ，  Ｃ１６２６１Ｔ  ，  Ａ１６２６５Ｇ  ，  Ａ１６２６５Ｃ  ，  Ｃ１６２６６Ｔ  ，  Ｃ１６２６６Ａ  ，  Ｃ１６２６８Ｔ  ，  Ｇ１６２７４Ａ  ，  Ｃ１６２７８Ｔ  ，  Ａ１６２８４Ｇ  ，  Ｃ１６２８７Ｔ  ，  Ｔ１６２８８Ｃ  ，  Ｃ１６２９０Ｔ  ，  Ｃ１６２９１Ｔ  ，  Ｃ１６２９２Ｔ  ，  Ｃ１６２９４Ｔ  ，  Ｔ１６２９７Ｃ  ，  Ｔ１６２９８Ｃ  ，  Ｔ１６３０４Ｃ  ，  Ａ１６３０９Ｇ  ，  Ｔ１６３１１Ｃ  ，  Ａ１６３１６Ｇ  ，  Ｇ１６３１９Ａ  ，  Ｃ１６３２０Ｔ  ，  Ｔ１６３２４Ｃ  ，  Ｔ１６３２５Ｃ  ，  Ｃ１６３４４Ｔ  ，  Ｔ１６３５２Ｃ  ，  Ｃ１６３５５Ｔ  ，  Ｔ１６３５７Ｃ  ，  Ｃ１６３６０Ｔ  ，  Ｔ１６３６２Ｃ  ，  Ｔ１６３８１Ｃ  ，  Ｇ１６３９０Ａ  ，  Ａ１６３９９Ｇ  ，  Ａ１６４６３Ｇ  ，  Ａ１６４９７Ｇ  ，  Ｔ１６５１９Ｃのうちの少なくとも一つ、または二つ以上の塩基の変異に基づいて、その者が肥満となるか否かについての判断資料を与えることを特徴とするヒトミトコンドリア遺伝子変異に基づく遺伝子検出法。
【請求項３】
ヒトミトコンドリアＤＮＡにおいて、  Ｃ３４９７Ｔ  ，  Ｔ３６４４Ｃ  ，  Ｇ４０４８Ａ  ，  Ａ４８２４Ｇ  ，  Ｃ５１７８Ａ  ，  Ａ５３０１Ｇ  ，  Ｇ５４６０Ａ  ，  Ｔ６２５３Ｃ  ，  Ｇ７８５３Ａ  ，  Ａ８５６３Ｇ  ，  Ｇ８５８４Ａ  ，  Ｃ８７９４Ｔ  ，  Ｔ１０３４５Ｃ  ，  Ｇ１１０１６Ａ  ，  Ａ１２３６１Ｇ  ，  Ｔ１２８１１Ｃ  ，  Ｔ１２８８０Ｃ  ，  Ａ１３１８３Ｇ  ，  Ｔ１４９７９Ｃ  ，  Ｇ１５３２３Ａ  ，  Ｇ１５４９７Ａ  ，  Ａ１５６６２Ｇ  ，  Ａ１５８５１Ｇ  ，  Ａ１５８６０Ｇ  ，  Ａ３３９５Ｇ  ，  Ｇ７７５７Ａ  ，  Ｇ８０７５Ａ  ，  Ｇ８６６９Ｃ  ，  Ｇ９１８２Ａ  ，  Ａ９１９７Ｇ  ，  Ｇ９４７７Ａ  ，  Ｔ９４９８Ｃ  ，  Ｔ９６６１Ｃ  ，  Ａ９６６４Ｔ  ，  Ａ１２０３３Ｇ  ，  Ａ１４７５０Ｇ  ，  Ｃ１５４５５Ｔ  ，  Ａ１２０２６Ｇ  ，  Ｔ１４３２５Ｃ  ，  Ｇ３３３７Ａ  ，  Ｔ３３３８Ｃ  ，  Ｇ３４９６Ｔ  ，  Ｔ３５９３Ｃ  ，  Ｃ４０２５Ｔ  ，  Ａ４１２９Ｇ  ，  Ａ４７０４Ｃ  ，  Ａ５３１９Ｇ  ，  Ａ７０８３Ｇ  ，  Ａ８４３５Ｇ  ，  Ａ８８９４Ｔ  ，  Ｇ８９５０Ａ  ，  Ｔ１０９０７Ｃ  ，  Ｃ１１１５１Ｔ  ，  Ｔ１１２５３Ｃ  ，  Ａ１２４５１Ｇ  ，  Ｇ１３４７７Ａ  ，  Ｔ１３８７９Ｃ  ，  Ｃ１４００３Ｔ  ，  Ｔ１４０６３Ｃ  ，  Ｔ１４６３４Ｇ  ，  Ｃ１４９９０Ｔ  ，  Ｇ１５２２１Ａ  ，  Ｃ１５６３２Ａ  のうちの少なくとも一つ、または二つ以上の塩基の変異に基づいて、その者が肥満となるか否かについての判断資料を与えることを特徴とする請求項２に記載のヒトミトコンドリア遺伝子変異に基づく遺伝子検出法。
【請求項４】
ヒトミトコンドリアＤＮＡにおいて、  Ｇ４０４８Ａ  ，  Ｃ４０７１Ｔ  ，  Ａ４１６４Ｇ  ，  Ａ５３５１Ｇ  ，  Ｇ５４６０Ａ  ，  Ｔ６６８０Ｃ  ，  Ｔ７６８４Ｃ  ，  Ｇ７８５３Ａ  ，  Ｔ１０３４５Ｃ  ，  Ｃ１２４０５Ｔ  ，  Ｔ１２８１１Ｃ  のうちの少なくとも一つ、または二つ以上の塩基の変異に基づいて、その者が肥満となるか否かについての判断資料を与えることを特徴とする請求項２に記載のヒトミトコンドリア遺伝子変異に基づく遺伝子検出法。
【請求項５】
ヒトミトコンドリアＤＮＡにおいて、  Ａ６６３Ｇ  ，  Ａ１７３６Ｇ  ，  ２１５１ｉｎｓＡ  ，  Ｔ４２４８Ｃ  ，  Ａ４８２４Ｇ  ，  Ｇ４６５５Ａ  ，  Ｇ５７７３Ａ  ，  Ａ８５６３Ｇ  ，  Ｃ８７９４Ｔ  ，  Ｇ１０８０１Ａ  ，  Ｃ１１５３６Ｔ  ，  Ｃ１１６４７Ｔ  ，  Ｔ１２８８０Ｃ  ，  Ｃ１４９４４Ｔ  のうちの少なくとも一つ、または二つ以上の塩基の変異に基づいて、その者が肥満となるか否かについての判断資料を与えることを特徴とする請求項２に記載のヒトミトコンドリア遺伝子変異に基づく遺伝子検出法。
【請求項６】
ヒトミトコンドリアＤＮＡにおいて、  Ａ８５６Ｇ  ，  Ｃ２７６６Ｔ  ，  Ａ１４６９２Ｇ  ，  Ｔ１６２２４Ｃ  ，  Ｃ１６２９２Ｔ  のうちの少なくとも一つ、または二つ以上の塩基の変異に基づいて、その者が肥満となるか否かについての判断資料を与えることを特徴とする請求項２に記載のヒトミトコンドリア遺伝子変異に基づく遺伝子検出法。
【請求項７】
ヒトミトコンドリアＤＮＡにおいて、  Ｔ２０４Ｃ  ，  Ｇ１５９８Ａ  ，  Ｇ８５８４Ａ  ，  Ｃ８８２９Ｔ  ，  Ｔ９９５０Ｃ  ，  Ａ１２３６１Ｇ  ，  Ｃ１５２２３Ｔ  ，  Ｃ１５５０８Ｔ  ，  Ａ１５６６２Ｇ  ，  Ａ１５８５１Ｇ  ，  Ｇ１５９２７Ａ  ，  Ｔ１６１４０Ｃ  ，  Ｔ１６２４３Ｃ  のうちの少なくとも一つ、または二つ以上の塩基の変異に基づいて、その者が肥満となるか否かについての判断資料を与えることを特徴とする請求項２に記載のヒトミトコンドリア遺伝子変異に基づく遺伝子検出法。
【請求項８】
ヒトミトコンドリアＤＮＡにおいて、  Ｔ２６２６Ｃ  ，  Ｃ２７７２Ｔ  ，  Ｔ４３８６Ｃ  ，  Ａ４９５８Ｇ  ，  Ｔ１１０１７Ｃ  ，  Ｇ１２７７１Ａ  ，  Ｇ１４３６４Ａ  ，  Ｃ３９７０Ｔ  ，  Ｃ４０８６Ｔ  ，  Ｔ６３９２Ｃ  ，  Ｇ６９６２Ａ  ，  Ｇ９０５３Ａ  ，  Ｇ１０３１０Ａ  ，  Ｔ１０６０９Ｃ  ，  Ｇ１２４０６Ａ  ，  Ｃ１２８８２Ｔ  ，  Ｇ１３７５９Ａ  ，  Ｇ１３９２８Ｃ  ，  Ｃ２８０Ｔ  ，  Ａ１３８２Ｃ  ，  Ｇ８０２０Ａ  ，  Ｃ８９６４Ｔ  ，  Ｔ９８２４Ａ  ，  Ａ１５５２４Ｇ  ，  Ｃ１６３５５Ｔ  のうちの少なくとも一つ、または二つ以上の塩基の変異に基づいて、その者がるい痩となるか否かについての判断資料を与えることを特徴とするヒトミトコンドリア遺伝子変異に基づく遺伝子検出法。
【請求項９】
ヒトミトコンドリアＤＮＡにおいて、ｈｖｒ１−３０３−３１７、ＣＡ−５１４−５２３、Ｃ１−５６８−５７３、１２Ｓ  ｒＲＮＡ−９５６−９６５、Ｃ２−５８９５−５８９９、９−ｂｐ  ｄｅｌ／ｉｎｓ−８２７２−８２８９、ｈｖｒ２−１６１８０−１６１９５のうちの少なくとも一つ、または二つ以上の塩基の変異に基づいて、個人識別することを特徴とするヒトミトコンドリア遺伝子変異に基づく個人識別法。
【発明の詳細な説明】
【０００１】
【発明の属する技術分野】
本発明は、ヒトミトコンドリアＤＮＡ（ｍｔＤＮＡ）の多型に関するものであり、そのｍｔＤＮＡ多型を利用して、ある人が肥満となり得るか否かに関して有用な情報を与える検出方法、或いは個人識別方法（例えば、法医学、親子鑑定、疫学調査、考古学調査等）などに応用することができる。
【０００２】
【従来の技術】
肥満は遺伝的素因を含む多因子性の疾患であり、先進国においてはとてもありふれた状態である。肥満が２型糖尿病、高血圧、高脂血症、および心臓血管系や呼吸器系の疾患のような様々な健康障害の一因になっていることは周知の事実である。肥満の防止は、公衆衛生の重要な最終目標地点である。遺伝学の研究や候補遺伝子の解析は、肥満になりやすいいくつかの量的形質遺伝子座や候補遺伝子を明らかにしている。アンカップリングプロテイン（ｕｎｃｏｕｐｌｉｎｇ  ｐｒｏｔｅｉｎ、ＵＣＰ１、ＵＣＰ２、およびＵＣＰ３）、β３およびβ２  アドレナリン作動性受容体、セロトニン２Ｃ受容体、アグーチシグナリングタンパク質（ａｇｏｕｔｉ  ｓｉｇｎａｌｉｎｇ  ｐｒｏｔｅｉｎ）、およびＣＣＡＡＴ／エンハンサー結合タンパク質β（ｅｎｈａｎｃｅｒ−ｂｉｎｄｉｎｇ  ｐｒｏｔｅｉｎβ）は、肥満の危険因子であることが疫学的研究により明らかにされているが、これらの結果は必ずしも一致するわけではなく論議の的となっている。関根ら［Ｓｅｋｉｎｅ  Ｍ，  Ｙａｍａｇａｍｉ  Ｔ，  Ｈａｎｄａ  Ｋ，  Ｓａｉｔｏ  Ｔ，  Ｎａｎｒｉ  Ｓ，  Ｋａｗａｍｉｎａｍｉ  Ｋ，  Ｔｏｋｕｉ  Ｎ，  Ｙｏｓｈｉｄａ  Ｋ，  Ｋａｇａｍｉｍｏｒｉ  Ｓ．  Ａ  ｄｏｓｅ−ｒｅｓｐｏｎｓｅ  ｒｅｌａｔｉｏｎｓｈｉｐ  ｂｅｔｗｅｅｎ  ｓｈｏｒｔ  ｓｌｅｅｐｉｎｇ  ｈｏｕｒｓ  ａｎｄ  ｃｈｉｌｄｈｏｏｄ  ｏｂｅｓｉｔｙ：  ｒｅｓｕｌｔｓ  ｏｆ  ｔｈｅ  Ｔｏｙａｍａ  Ｂｉｒｔｈ  Ｃｏｈｏｒｔ  Ｓｔｕｄｙ．  Ｃｈｉｌｄ  Ｃａｒｅ  Ｈｅａｌｔｈ  Ｄｅｖ．  ２００２  Ｍａｒ；２８（２）：１６３−７０．  ，  Ｓｅｋｉｎｅ  Ｍ，  Ｙａｍａｇａｍｉ  Ｔ，  Ｈａｍａｎｉｓｈｉ  Ｓ，  Ｋａｇａｍｉｍｏｒｉ  Ｓ．  Ａｃｃｕｒａｃｙ  ｏｆ  ｔｈｅ  ｅｓｔｉｍａｔｅｄ  ｐｒｅｖａｌｅｎｃｅ  ｏｆ  ｃｈｉｌｄｈｏｏｄ  ｏｂｅｓｉｔｙ  ｆｒｏｍ  ｈｅｉｇｈｔ  ａｎｄ  ｗｅｉｇｈｔ  ｖａｌｕｅｓ  ｒｅｐｏｒｔｅｄ  ｂｙ  ｐａｒｅｎｔｓ：  ｒｅｓｕｌｔｓ  ｏｆ  ｔｈｅ  Ｔｏｙａｍａ  Ｂｉｒｔｈ  Ｃｏｈｏｒｔ  ｓｔｕｄｙ．  Ｊ  Ｅｐｉｄｅｍｉｏｌ．  ２００２  Ｊａｎ；１２（１）：９−１３．  ，  Ｓｅｋｉｎｅ  Ｍ，  Ｙａｍａｇａｍｉ  Ｔ，  Ｈａｍａｎｉｓｈｉ  Ｓ，  Ｈａｎｄａ  Ｋ，  Ｓａｉｔｏ  Ｔ，  Ｎａｎｒｉ  Ｓ，  Ｋａｗａｍｉｎａｍｉ  Ｋ，  Ｔｏｋｕｉ  Ｎ，  Ｙｏｓｈｉｄａ  Ｋ，  Ｋａｇａｍｉｍｏｒｉ  Ｓ．  Ｐａｒｅｎｔａｌ  ｏｂｅｓｉｔｙ，  ｌｉｆｅｓｔｙｌｅ  ｆａｃｔｏｒｓ  ａｎｄ  ｏｂｅｓｉｔｙ  ｉｎ  ｐｒｅｓｃｈｏｏｌ  ｃｈｉｌｄｒｅｎ：  ｒｅｓｕｌｔｓ  ｏｆ  ｔｈｅ  Ｔｏｙａｍａ  Ｂｉｒｔｈ  Ｃｏｈｏｒｔ  ｓｔｕｄｙ．  Ｊ  Ｅｐｉｄｅｍｉｏｌ．  ２００２  Ｊａｎ；１２（１）：３３−９．］は、小児の肥満が母親の肥満が父親の肥満より影響が強いことを報告した。さらに、ステュンカードら［Ｓｔｕｎｋａｒｄ  ＡＪ，  Ｓｏｒｅｎｓｅｎ  ＴＩ，  Ｈａｎｉｓ  Ｃ，  Ｔｅａｓｄａｌｅ  ＴＷ，  Ｃｈａｋｒａｂｏｒｔｙ  Ｒ，  Ｓｃｈｕｌｌ  ＷＪ，  Ｓｃｈｕｌｓｉｎｇｅｒ  Ｆ  （１９８６）  Ａｎ  ａｄｏｐｔｉｏｎ  ｓｔｕｄｙ  ｏｆ  ｈｕｍａｎ  ｏｂｅｓｉｔｙ．  Ｎ  Ｅｎｇｌ  Ｊ  Ｍｅｄ  ３１４：１９３−８．］は、養子の体重は養父母よりも生物学���な父母の影響が強く、特に生物学的母親の影響が強いことを認めた。母性遺伝するミトコンドリアゲノムにコードされた呼吸鎖とＡＴＰ合成酵素も肥満の候補遺伝子である。
【０００３】
なお、本発明者らは、継続してｍｔＤＮＡの多型に関する研究を行っている者であるが（例えば、特開平１１−１１３５９７）、肥満と多型との詳細な関係を解析した従来技術については、確認していない。
【特許文献１】特開平１１−１１３５９７号公報
【非特許文献１】Ｓｅｋｉｎｅ  Ｍ，  Ｙａｍａｇａｍｉ  Ｔ，  Ｈａｎｄａ  Ｋ，  Ｓａｉｔｏ  Ｔ，  Ｎａｎｒｉ  Ｓ，  Ｋａｗａｍｉｎａｍｉ  Ｋ，  Ｔｏｋｕｉ  Ｎ，  Ｙｏｓｈｉｄａ  Ｋ，  Ｋａｇａｍｉｍｏｒｉ  Ｓ．  ，  Ａ  ｄｏｓｅ−ｒｅｓｐｏｎｓｅ  ｒｅｌａｔｉｏｎｓｈｉｐ  ｂｅｔｗｅｅｎ  ｓｈｏｒｔ  ｓｌｅｅｐｉｎｇ  ｈｏｕｒｓ  ａｎｄ  ｃｈｉｌｄｈｏｏｄ  ｏｂｅｓｉｔｙ：  ｒｅｓｕｌｔｓ  ｏｆ  ｔｈｅ  Ｔｏｙａｍａ  Ｂｉｒｔｈ  Ｃｏｈｏｒｔ  Ｓｔｕｄｙ．  Ｃｈｉｌｄ  Ｃａｒｅ  Ｈｅａｌｔｈ  Ｄｅｖ．  ２００２  Ｍａｒ；２８（２）：１６３−７０．
【非特許文献２】Ｓｅｋｉｎｅ  Ｍ，  Ｙａｍａｇａｍｉ  Ｔ，  Ｈａｍａｎｉｓｈｉ  Ｓ，  Ｋａｇａｍｉｍｏｒｉ  Ｓ．  Ａｃｃｕｒａｃｙ  ｏｆ  ｔｈｅ  ｅｓｔｉｍａｔｅｄ  ｐｒｅｖａｌｅｎｃｅ  ｏｆ  ｃｈｉｌｄｈｏｏｄ  ｏｂｅｓｉｔｙ  ｆｒｏｍ  ｈｅｉｇｈｔ  ａｎｄ  ｗｅｉｇｈｔ  ｖａｌｕｅｓ  ｒｅｐｏｒｔｅｄ  ｂｙ  ｐａｒｅｎｔｓ：  ｒｅｓｕｌｔｓ  ｏｆ  ｔｈｅ  Ｔｏｙａｍａ  Ｂｉｒｔｈ  Ｃｏｈｏｒｔ  ｓｔｕｄｙ．  Ｊ  Ｅｐｉｄｅｍｉｏｌ．  ２００２  Ｊａｎ；１２（１）：９−１３．
【非特許文献３】Ｓｅｋｉｎｅ  Ｍ，  Ｙａｍａｇａｍｉ  Ｔ，  Ｈａｍａｎｉｓｈｉ  Ｓ，  Ｈａｎｄａ  Ｋ，  Ｓａｉｔｏ  Ｔ，  Ｎａｎｒｉ  Ｓ，  Ｋａｗａｍｉｎａｍｉ  Ｋ，  Ｔｏｋｕｉ  Ｎ，  Ｙｏｓｈｉｄａ  Ｋ，  Ｋａｇａｍｉｍｏｒｉ  Ｓ．  Ｐａｒｅｎｔａｌ  ｏｂｅｓｉｔｙ，  ｌｉｆｅｓｔｙｌｅ  ｆａｃｔｏｒｓ  ａｎｄ  ｏｂｅｓｉｔｙ  ｉｎ  ｐｒｅｓｃｈｏｏｌ  ｃｈｉｌｄｒｅｎ：  ｒｅｓｕｌｔｓ  ｏｆ  ｔｈｅ  Ｔｏｙａｍａ  Ｂｉｒｔｈ  Ｃｏｈｏｒｔ  ｓｔｕｄｙ．  Ｊ  Ｅｐｉｄｅｍｉｏｌ．  ２００２  Ｊａｎ；１２（１）：３３−９．
【非特許文献４】Ｓｔｕｎｋａｒｄ  ＡＪ，  Ｓｏｒｅｎｓｅｎ  ＴＩ，  Ｈａｎｉｓ  Ｃ，  Ｔｅａｓｄａｌｅ  ＴＷ，  Ｃｈａｋｒａｂｏｒｔｙ  Ｒ，  Ｓｃｈｕｌｌ  ＷＪ，  Ｓｃｈｕｌｓｉｎｇｅｒ  Ｆ  （１９８６）  Ａｎ  ａｄｏｐｔｉｏｎ  ｓｔｕｄｙ  ｏｆ  ｈｕｍａｎ  ｏｂｅｓｉｔｙ．  Ｎ  Ｅｎｇｌ  Ｊ  Ｍｅｄ  ３１４：１９３−８．
【０００４】
【発明が解決しようとする課題】
ゲノム多型は、人種や民族により異なるので、各々の人種や民族で肥満に関連したミトコンドリアゲノム多型データベースの構築をすることは重要である。
本発明は、上記した事情に鑑みてなされたものであり、その目的は肥満に関連するミトコンドリアゲノム多型を探索することにより、肥満の予防に貢献することにある。
【０００５】
【課題を解決するための手段、発明の作用、及び発明の効果】
本発明者らは、それぞれ９６名づつの肥満者、及び非肥満者のヒトミトコンドリアＤＮＡの全塩基配列（１６５６９塩基対）を全て解読し、変異（置換、欠失、付加）を解析することにより、基本的には本発明を完成するに至った。
【０００６】
上記の課題を解決するために第１の発明は、ヒトミトコンドリアＤＮＡにおいて、Ｔ１０Ｃ  ，  Ｃ４１Ｔ  ，  ４２ｉｎｓＣ  ，  Ｃ６４Ｔ  ，  ６５ｉｎｓＧ  ，  Ｇ６８Ａ  ，  Ｇ７５Ａ  ，  Ａ９３Ｇ  ，  Ｇ９４Ａ  ，  Ｇ１０３Ａ  ，  Ｔ１３１Ｃ  ，  Ｇ１４３Ａ  ，  Ｔ１４６Ｃ  ，  Ｃ１５０Ｔ  ，  Ｃ１５１Ｔ  ，  Ｔ１５２Ｃ  ，  Ａ１５３Ｇ  ，  Ｔ１５４Ｃ  ，  Ａ１８３Ｇ  ，  Ａ１８９Ｇ  ，  １９０ｉｎｓＡ  ，  Ｃ１９４Ｔ  ，  Ｔ１９５Ａ  ，  Ｔ１９５Ｃ  ，  Ｔ１９９Ｃ  ，  Ａ２００Ｇ  ，  Ａ２０２Ｇ  ，  Ｇ２０３Ａ  ，  Ｔ２０４Ｃ  ，  Ｇ２０５Ａ  ，  Ｇ２０７Ａ  ，  Ｔ２０９Ｃ  ，  Ａ２１０Ｇ  ，  Ａ２１４Ｇ  ，  Ａ２１５Ｇ  ，  Ａ２３５Ｇ  ，  Ｔ２３９Ｃ  ，  Ａ２４８ｄｅｌ  ，  Ｇ２５５Ａ  ，  Ａ２５７Ｇ  ，  Ｇ２６０Ａ  ，  Ｔ２７９Ｃ  ，  Ｃ２８０Ｔ  ，  Ａ２８４Ｇ  ，  ２８５ｉｎｓＡ  ，  Ａ２９７Ｇ  ，  Ｗ３０３−３１７ｈｖｒ１  ，  Ｔ３１８Ｃ  ，  Ｇ３２２Ａ  ，  Ａ３２６Ｇ  ，  Ｔ３３４Ｃ  ，  Ｃ３３８Ｔ  ，  Ｃ３４５Ｔ  ，  Ａ３６１Ｇ  ，  Ａ３８４Ｇ  ，  Ａ３８５Ｇ  ，  Ｔ４０８Ａ  ，  Ｃ４３１Ｔ  ，  Ｃ４３７Ｔ  ，  Ｃ４５６Ｔ  ，  Ｃ４８１Ｔ  ，  Ｔ４８２Ｃ  ，  Ｔ４８５Ｃ  ，  Ｔ４８９Ｃ  ，  Ｇ４９９Ａ  ，  Ａ５０８Ｇ  ，  Ｇ５１３Ａ  ，  Ｗ５１４ｉｎｓＣＡ２  ，  Ｗ５１４ｄｅｌＣＡ２  ，  Ｇ５４５Ａ  ，  Ａ５４６Ｇ  ，  Ｗ５６８Ｃｎ−ｉｎｓ  ，  Ｔ５９３Ｃ  ，  ５９６ｉｎｓＣ  ，  Ａ６０３Ｇ  ，  Ａ６６３Ｇ  ，  Ｔ６８１Ｃ  ，  Ｃ７０２Ｔ  ，  Ｇ７０９Ａ  ，  Ｃ７５２Ｔ  ，  Ａ８１４Ｇ  ，  Ａ８２７Ｇ  ，  Ａ８５６Ｇ  ，  Ｇ９５１Ａ  ，  Ｗ９５６Ｃｎ−ｉｎｓ  ，  Ｔ９６１Ｃ  ，  Ｔ１００５Ｃ  ，  Ａ１０４１Ｇ  ，  Ｃ１０４８Ｔ  ，  Ｔ１０９５Ｃ  ，  Ｔ１１０７Ｃ  ，  Ｔ１１１９Ｃ  ，  Ｔ１１８９Ｃ  ，  Ａ１２９９Ｇ  ，  Ｇ１３０３Ａ  ，  Ｃ１３１０Ｔ  ，  Ａ１３１３Ｇ  ，  Ａ１３８２Ｃ  ，  Ｔ１３９１Ｃ  ，  Ｇ１３９３Ａ  ，  Ｇ１４３８Ａ  ，  Ｇ１４４２Ａ  ，  Ｃ１５０８Ｔ  ，  Ｔ１５２０Ｃ  ，  Ｇ１５９８Ａ  ，  Ｇ１６６４Ａ  ，  Ｇ１７０９Ａ  ，  Ａ１７３６Ｇ  ，  Ｔ１７３８Ｃ  ，  Ｔ１７６６Ｃ  ，  Ｔ１８１９Ｃ  ，  Ｔ１８２２Ｃ  ，  Ｔ１８２４Ｃ  ，  Ｇ１８８８Ａ  ，  Ａ１８９２Ｇ  ，  Ｔ１９７７Ｃ  ，  Ａ１９７８Ｇ  ，  Ｇ２０５６Ａ  ，  Ｃ２０７９Ｔ  ，  Ｔ２０８０Ｃ  ，  Ｇ２１４０Ａ  ，  ２１５０Ａｉｎｓ  ，  Ａ２２２３Ｇ  ，  Ｇ２３６１Ａ  ，  Ａ２５５０Ｔ  ，  Ｔ２６２６Ｃ  ，  Ｇ２７０６Ａ  ，  Ｃ２７６６Ｔ  ，  Ｃ２７７２Ｔ  ，  Ｇ２８３１Ａ  ，  Ｃ２８３５Ｔ  ，  Ａ２８５１Ｇ  ，  Ｔ２８８７Ｃ  ，  Ｇ３０１０Ａ  ，  Ｔ３０８３Ｃ  ，  ３１６７Ｃｉｎｓ  ，  Ｇ３１９６Ｃ  ，  Ｃ３２０４Ｔ  ，  Ｃ３２０６Ｔ  ，  Ａ３２２１Ｇ  ，  Ｔ３２９０Ｃ  ，  Ｇ３３１６Ａ  ，  Ｔ３３３６Ｃ  ，  Ｇ３３３７Ａ  ，  Ｔ３３３８Ｃ  ，  Ｇ３３５７Ａ  ，  Ｇ３３９１Ａ  ，  Ｔ３３９４Ｃ  ，  Ａ３３９５Ｇ  ，  Ｇ３４２１Ａ  ，  Ｇ３４９６Ｔ  ，  Ｃ３４９７Ｔ  ，  Ｔ３５０４Ｃ  ，  Ａ３５３７Ｇ  ，  Ｔ３５５２Ａ  ，  Ｔ３５９３Ｃ  ，  Ｔ３６４４Ｃ  ，  Ｇ３７０５Ａ  ，  Ａ３７４４Ｇ  ，  Ｇ３７４５Ａ  ，  Ｔ３７８６Ｃ  ，  Ｔ３８０１Ｃ  ，  Ａ３８１６Ｇ  ，  Ｇ３８８２Ａ  ，  Ｇ３９１５Ａ  ，  Ｃ３９６０Ｔ  ，  Ｃ３９７０Ｔ  ，  Ａ３９８１Ｇ  ，  Ｃ４０２５Ｔ  ，  Ｔ４０４７Ｃ  ，  Ｇ４０４８Ａ  ，  Ｃ４０７１Ｔ  ，  Ｃ４０８６Ｔ  ，  Ｇ４１１３Ａ  ，  Ｔ４１１７Ｃ  ，  Ａ４１２９Ｇ  ，  Ｃ４１４０Ｔ  ，  Ｃ４１６１Ｔ  ，  Ａ４１６４Ｇ  ，  Ｃ４１８６Ｔ  ，  Ａ４２０３Ｇ  ，  Ｔ４２０９Ｃ  ，  Ｔ４２４８Ｃ  ，  Ａ４３４３Ｇ  ，  Ｔ４３８６Ｃ  ，  Ｇ４４９１Ａ  ，  Ｃ４５０５Ｔ  ，  Ｃ４５３８Ｔ  ，  Ｇ４５４１Ａ  ，  Ａ４５６２Ｇ  ，  Ｃ４６２５Ｔ  ，  Ｇ４６５５Ａ  ，  Ｔ４６７９Ｃ  ，  Ａ４７０４Ｃ  ，  Ｔ４７０５Ｃ  ，  Ｃ４７１２Ｔ  ，  Ａ４７１５Ｇ  ，  Ａ４７３２Ｇ  ，  Ａ４７９３Ｇ  ，  Ｇ４８２０Ａ  ，  Ａ４８２４Ｇ  ，  Ａ４８３３Ｇ  ，  Ｃ４８５０Ｔ  ，  Ｔ４８５９Ｃ  ，  Ｃ４８８３Ｔ  ，  Ａ４８９５Ｇ  ，  Ｔ４９０７Ｃ  ，  Ａ４９５８Ｇ  ，  Ｇ４９５９Ａ  ，  Ｇ４９９１Ａ  ，  Ｔ５０４８Ｃ  ，  Ｃ５０４９Ｔ  ，  Ａ５０５１Ｇ  ，  Ａ５０８４Ｇ  ，  Ｔ５１０８Ｃ  ，  Ｇ５１４７Ａ  ，  Ａ５１５３Ｇ  ，  Ｃ５１７８Ｔ  ，  Ｃ５１７８Ａ  ，  Ｇ５２３１Ａ  ，  Ｇ５２３７Ａ  ，  Ｇ５２６１Ａ  ，  Ｃ５２６３Ｔ  ，  Ａ５３０１Ｇ  ，  Ａ５３１９Ｇ  ，  Ａ５３５１Ｇ  ，  Ｇ５４１７Ａ  ，  Ｔ５４１８Ｃ  ，  Ｃ５４３５Ｔ  ，  Ａ５４４１Ｇ  ，  Ｔ５４４２Ｃ  ，  Ｇ５４６０Ａ  ，  Ｔ５４６５Ｃ  ，  Ａ５５３９Ｇ  ，  Ａ５５８２Ｇ  ，  Ｇ５５８５Ａ  ，  Ａ５５９２Ｇ  ，  Ｃ５６０１Ｔ  ，  Ｇ５７４４Ａ  ，  Ｇ５７７３Ａ  ，  Ｇ５７７７Ａ  ，  Ｇ５８０９Ａ  ，  Ｇ５８２２Ａ  ，  Ｇ５８２４Ａ  ，  Ａ５８４３Ｇ  ，  Ｗ５８９５Ｃｎ−ｉｎｓ  ，  Ｃ５８９９Ｔ  ，  Ｔ５９６４Ｃ  ，  Ｃ６００５Ｔ  ，  Ｇ６０１８Ａ  ，  Ｇ６０２３Ａ  ，  Ｔ６０８６Ｃ  ，  Ｃ６１６４Ｔ  ，  Ｇ６１７９Ａ  ，  Ｔ６１８５Ｃ  ，  Ｔ６２１６Ｃ  ，  Ｔ６２２１Ｃ  ，  Ｔ６２５３Ｃ  ，  Ｇ６２６０Ａ  ，  Ｔ６２８６Ｃ  ，  Ｔ６２９３Ｃ  ，  Ｔ６３９２Ｃ  ，  Ｃ６４１０Ｔ  ，  Ｔ６４１３Ｃ  ，  Ｃ６４５５Ｔ  ，  Ａ６５０３Ｃ  ，  Ｃ６５３１Ｔ  ，  Ｃ６５５１Ｔ  ，  Ａ６５９９Ｇ  ，  Ｔ６６２０Ｃ  ，  Ｔ６６８０Ｃ  ，  Ｃ６６８９Ｔ  ，  Ｃ６７１３Ｔ  ，  Ｔ６７１９Ｃ  ，  Ａ６７３７Ｇ  ，  Ａ６７５２Ｇ  ，  Ｔ６８４２Ｃ  ，  Ｔ６９４１Ｃ  ，  Ｔ６９５６Ｃ  ，  Ｇ６９６２Ａ  ，  Ｃ７０４３Ｔ  ，  Ａ７０８３Ｇ  ，  Ａ７０９１Ｇ  ，  Ｔ７１４２Ｃ  ，  Ｃ７１９６Ａ  ，  Ａ７２５０Ｇ  ，  Ｔ７２７０Ｃ  ，  Ａ７３０４Ｇ  ，  Ｇ７３３７Ａ  ，  Ａ７３６４Ｇ  ，  Ａ７４０３Ｇ  ，  ７４６５Ｃｉｎｓ  ，  Ｇ７５２１Ａ  ，  Ｃ７５３３Ｔ  ，  Ｇ７６００Ａ  ，  Ｔ７６２１Ｃ  ，  Ｇ７６４２Ａ  ，  Ｔ７６６０Ｃ  ，  Ｇ７６６４Ａ  ，  Ａ７６７３Ｇ  ，  Ｔ７６８４Ｃ  ，  Ｇ７７５７Ａ  ，  Ｇ７７８９Ａ  ，  Ｇ７８０５Ａ  ，  Ａ７８２２Ｇ  ，  Ａ７８２８Ｇ  ，  Ｇ７８３０Ａ  ，  Ｇ７８５２Ａ  ，  Ｇ７８５３Ａ  ，  Ｇ７８５９Ａ  ，  Ｔ７８６１Ｃ  ，  Ｃ７８６７Ｔ  ，  Ｃ７９２７Ｔ  ，  Ｃ７９４８Ｔ  ，  Ｇ８０２０Ａ  ，  Ｇ８０７５Ａ  ，  Ａ８１０８Ｇ  ，  Ａ８１４９Ｇ  ，  Ｔ８１６７Ｃ  ，  Ｔ８１７６Ｃ  ，  Ｔ８２００Ｃ  ，  Ｇ８２０６Ａ  ，  Ｃ８２１５Ａ  ，  Ｇ８２５１Ａ  ，  Ｃ８２６４Ｔ  ，  Ｗ８２７２−ｄｅｌ  ，  Ｔ８３８３Ｃ  ，  Ｇ８３９２Ａ  ，  Ｃ��４１４Ｔ  ，  Ｔ８４１９Ｃ  ，  Ａ８４３５Ｇ  ，  Ａ８４５３Ｇ  ，  Ａ８４７０Ｇ  ，  Ｔ８４７３Ｃ  ，  Ａ８５３７Ｇ  ，  Ａ８５６３Ｇ  ，  Ｇ８５８４Ａ  ，  Ｔ８６１４Ｃ  ，  Ｔ８６１８Ｃ  ，  Ｃ８６２８Ｔ  ，  Ｇ８６６９Ｃ  ，  Ａ８６７９Ｇ  ，  Ｃ８６８４Ｔ  ，  Ａ８７０１Ｇ  ，  Ｔ８７０５Ｃ  ，  Ａ８７１８Ｇ  ，  Ｇ８７６４Ａ  ，  Ｃ８７７６Ｔ  ，  Ａ８７８４Ｇ  ，  Ｔ８７９３Ｃ  ，  Ｃ８７９４Ｔ  ，  Ｃ８８２９Ｔ  ，  Ｃ８８４４Ｔ  ，  Ｇ８８５６Ａ  ，  Ｔ８８８８Ｃ  ，  Ａ８８９４Ｔ  ，  Ａ８９１９Ｇ  ，  Ｇ８９５０Ａ  ，  Ｔ８９５５Ｃ  ，  Ｃ８９６４Ｔ  ，  Ｃ８９９１Ｔ  ，  Ｃ９００４Ｔ  ，  Ｇ９０５３Ａ  ，  Ａ９０５８Ｇ  ，  Ｔ９０９０Ｃ  ，  Ｃ９０９９Ｔ  ，  Ｔ９１１７Ｃ  ，  Ａ９１２０Ｇ  ，  Ｇ９１２３Ａ  ，  Ｔ９１２８Ｃ  ，  Ａ９１８０Ｇ  ，  Ｇ９１８２Ａ  ，  Ａ９１９７Ｇ  ，  Ａ９２０２Ｃ  ，  Ａ９２４２Ｇ  ，  Ａ９２５４Ｇ  ，  Ｃ９２９６Ｔ  ，  Ａ９２９９Ｇ  ，  Ａ９３７７Ｇ  ，  Ｔ９３８６Ｃ  ，  Ａ９３８９Ｇ  ，  Ａ９４１０Ｇ  ，  Ｃ９４３１Ｔ  ，  Ｇ９４７７Ａ  ，  Ｔ９４７９Ｃ  ，  Ｇ９４８９Ａ  ，  Ｔ９４９５Ｃ  ，  Ｔ９４９８Ｃ  ，  Ｃ９５３６Ｔ  ，  Ｔ９５４０Ｃ  ，  Ａ９５４５Ｇ  ，  Ｇ９５４８Ａ  ，  Ｇ９５５４Ａ  ，  Ｇ９５７５Ａ  ，  Ｔ９６６１Ｃ  ，  Ａ９６６４Ｔ  ，  Ａ９６７０Ｇ  ，  Ｔ９７０８Ａ  ，  Ｇ９７１３Ａ  ，  Ｇ９７５５Ａ  ，  Ｔ９８２４Ａ  ，  Ｔ９８２４Ｃ  ，  Ｃ９８５１Ｔ  ，  Ｇ９９３２Ａ  ，  Ｔ９９３８Ｃ  ，  Ｔ９９４４Ｃ  ，  Ｔ９９５０Ｃ  ，  Ｇ９９６２Ａ  ，  Ｔ９９７７Ｃ  ，  Ａ１００４４Ｇ  ，  Ｔ１００８４Ｃ  ，  Ａ１０１０３Ｇ  ，  Ｃ１０１０４Ｔ  ，  Ｃ１０１８１Ｔ  ，  Ａ１０１９０Ｇ  ，  Ｔ１０２３５Ｃ  ，  Ｔ１０２３８Ｃ  ，  Ｔ１０２４８Ｃ  ，  Ｇ１０３１０Ａ  ，  Ｇ１０３２０Ａ  ，  Ｔ１０３４５Ｃ  ，  Ｇ１０３７３Ａ  ，  Ａ１０３９７Ｇ  ，  Ａ１０３９８Ｇ  ，  Ｃ１０４００Ｔ  ，  Ｔ１０４１０Ｃ  ，  Ａ１０４１１Ｇ  ，  Ｔ１０４５４Ｃ  ，  Ｔ１０５３５Ｃ  ，  Ｇ１０５８６Ａ  ，  Ｃ１０６０７Ｔ  ，  Ｔ１０６０９Ｃ  ，  Ｇ１０６４６Ａ  ，  Ａ１０６５８Ｇ  ，  Ｇ１０６８５Ａ  ，  Ｔ１０７９０Ｃ  ，  Ｇ１０８０１Ａ  ，  Ｔ１０８７３Ｃ  ，  Ｔ１０９０７Ｃ  ，  Ｔ１０９１５Ｃ  ，  Ｃ１０９７６Ｔ  ，  Ｔ１１００９Ｃ  ，  Ｇ１１０１６Ａ  ，  Ｔ１１０１７Ｃ  ，  Ａ１１０３８Ｇ  ，  Ａ１１０８４Ｇ  ，  Ａ１１０９２Ｇ  ，  Ａ１１１０１Ｇ  ，  Ｃ１１１４６Ｔ  ，  Ｔ１１１４７Ｃ  ，  Ｇ１１１４９Ａ  ，  Ｃ１１１５１Ｔ  ，  Ａ１１１６７Ｇ  ，  Ｃ１１１９１Ｔ  ，  Ｃ１１２１５Ｔ  ，  Ｔ１１２５３Ｃ  ，  Ｔ１１２５５Ｃ  ，  Ｃ１１２５７Ｔ  ，  Ｔ１１３６８Ｃ  ，  Ｔ１１３８３Ｃ  ，  Ｔ１１４３７Ｃ  ，  Ｃ１１５３６Ｔ  ，  Ｔ１１５６９Ｃ  ，  Ｃ１１６４７Ｔ  ，  Ｃ１１６６５Ｔ  ，  Ｃ１１６６８Ｔ  ，  Ｇ１１６９６Ａ  ，  Ｔ１１７０１Ｃ  ，  Ｔ１１７２２Ｃ  ，  Ａ１１７４６Ｇ  ，  Ａ１１８２４Ｇ  ，  Ｃ１１８６９Ｔ  ，  Ｇ１１９１４Ａ  ，  Ａ１１９２６Ｇ  ，  Ｔ１１９４４Ｃ  ，  Ａ１１９５９Ｇ  ，  Ｇ１１９６３Ａ  ，  Ｇ１１９６９Ａ  ，  Ｇ１２００７Ａ  ，  Ａ１２０２６Ｇ  ，  Ａ１２０３３Ｇ  ，  Ｃ１２０８５Ｔ  ，  Ｔ１２０９１Ｃ  ，  Ｃ１２１３５Ｔ  ，  Ｃ１２１５３Ｔ  ，  Ａ１２１７２Ｇ  ，  Ａ１２２３４Ｇ  ，  Ｇ１２２３６Ａ  ，  １２２３６Ｃｉｎｓ  ，  Ａ１２２８０Ｇ  ，  Ｔ１２３１１Ｃ  ，  Ｔ１２３３８Ｃ  ，  Ｔ１２３５４Ｃ  ，  Ａ１２３５８Ｇ  ，  Ｃ１２３６０Ｔ  ，  Ａ１２３６１Ｇ  ，  Ｇ１２３７２Ａ  ，  Ｔ１２３９６Ｃ  ，  Ｃ１２４０５Ｔ  ，  Ｇ１２４０６Ａ  ，  Ｔ１２４０８Ｃ  ，  Ａ１２４５１Ｇ  ，  Ｇ１２５０１Ａ  ，  Ｃ１２５４９Ｔ  ，  Ａ１２６１２Ｇ  ，  Ｇ１２６３０Ａ  ，  Ｃ１２６３３Ｔ  ，  Ｔ１２６９６Ｃ  ，  Ｃ１２７０５Ｔ  ，  Ａ１２７１５Ｇ  ，  Ｇ１２７７１Ａ  ，  Ｔ１２８１１Ｃ  ，  Ｃ１２８１６Ｔ  ，  Ｃ１２８５３Ｔ  ，  Ｔ１２８８０Ｃ  ，  Ｃ１２８８２Ｔ  ，  Ｃ１２９８４Ｔ  ，  Ｃ１３０２９Ｔ  ，  Ａ１３０７４Ｇ  ，  Ａ１３０８３Ｔ  ，  Ａ１３１０４Ｇ  ，  Ｃ１３１１０Ｔ  ，  Ｇ１３１３５Ａ  ，  Ｔ１３１４３Ｃ  ，  Ａ１３１５２Ｇ  ，  Ａ１３１８３Ｇ  ，  Ａ１３２２１Ｇ  ，  Ａ１３２６３Ｇ  ，  Ａ１３２７８Ｇ  ，  Ａ１３２９９Ｇ  ，  Ｔ１３４３７Ｃ  ，  Ｇ１３４７７Ａ  ，  Ａ１３５１２Ｇ  ，  Ａ１３５２７Ｇ  ，  Ａ１３５６３Ｇ  ，  Ｇ１３５９０Ａ  ，  Ｔ１３６０２Ｃ  ，  Ａ１３６２９Ｇ  ，  Ａ１３６５１Ｇ  ，  Ｔ１３６５６Ｃ  ，  Ｇ１３７０８Ａ  ，  Ａ１３７４８Ｇ  ，  Ｇ１３７５９Ａ  ，  Ｔ１３７６８Ｃ  ，  Ｃ１３８５５Ｔ  ，  Ａ１３８５７Ｇ  ，  Ｔ１３８７９Ｃ  ，  Ａ１３８８７Ｇ  ，  Ｃ１３８９０Ｔ  ，  Ｇ１３９２８Ｃ  ，  Ｃ１３９３４Ｔ  ，  Ａ１３９４２Ｇ  ，  Ｇ１３９６８Ａ  ，  Ａ１４００２Ｇ  ，  Ｃ１４００３Ｔ  ，  Ｃ１４０５２Ｔ  ，  Ｔ１４０６３Ｃ  ，  Ｔ１４０９４Ｃ  ，  Ａ１４１３３Ｇ  ，  Ｃ１４１４２Ｔ  ，  Ａ１４１４８Ｇ  ，  Ｃ１４１４９Ｔ  ，  Ｃ１４１５８Ｔ  ，  Ｔ１４１７８Ｃ  ，  Ａ１４１８５Ｔ  ，  Ｔ１４２００Ｃ  ，  Ａ１４２６０Ｇ  ，  Ｃ１４２８１Ｔ  ，  Ｔ１４２８７Ｃ  ，  Ｇ１４３０５Ａ  ，  Ｔ１４３０８Ｃ  ，  Ａ１４３１２Ｇ  ，  Ｔ１４３１８Ｃ  ，  Ｔ１４３２５Ｃ  ，  Ｃ１４３３７Ｔ  ，  Ｇ１４３６４Ａ  ，  Ａ１４４１７Ｇ  ，  Ｔ１４４７０Ｃ  ，  Ｇ１４４７６Ａ  ，  Ｔ１４５０２Ｃ  ，  Ｇ１４５６０Ｃ  ，  Ｇ１４５６９Ａ  ，  Ｔ１４５８４Ｃ  ，  Ａ１４６０５Ｇ  ，  Ｃ１４６２９Ｔ  ，  Ｔ１４６３４Ｇ  ，  Ｃ１４６６８Ｔ  ，  Ａ１４６９２Ｇ  ，  Ａ１４６９３Ｇ  ，  Ａ１４６９６Ｇ  ，  Ａ１４７５０Ｇ  ，  Ｔ１４７８３Ｃ  ，  Ａ１４７９０Ｇ  ，  Ｃ１４８６７Ｔ  ，  Ｇ１４８６９Ａ  ，  Ａ１４８９３Ｇ  ，  Ａ１４９１４Ｇ  ，  Ｃ１４９４４Ｔ  ，  Ｔ１４９６８Ｃ  ，  Ｔ１４９７１Ｃ  ，  Ｔ１４９７９Ｃ  ，  Ｃ１４９９０Ｔ  ，  Ｃ１５０４０Ｔ  ，  Ｇ１５０４３Ａ  ，  Ｇ１５０４７Ａ  ，  Ａ１５０６１Ｇ  ，  Ｔ１５０６７Ｃ  ，  Ｔ１５０７１Ｃ  ，  Ｔ１５０９０Ｃ  ，  Ｇ１５１１９Ａ  ，  Ｔ１５１３９Ｃ  ，  Ｇ１５１４８Ａ  ，  Ａ１５２１８Ｇ  ，  Ｇ１５２２１Ａ  ，  Ｃ１５２２３Ｔ  ，  Ａ１５２３５Ｇ  ，  Ａ１５２３６Ｇ  ，  Ａ１５２４４Ｇ  ，  Ｔ１５２９９Ｃ  ，  Ｇ１５３０１Ａ  ，  Ｇ１５３１４Ａ  ，  Ｇ１５３２３Ａ  ，  Ｃ１５３３１Ａ  ，  Ｇ１５３４６Ａ  ，  Ｇ１５３５５Ａ  ，  Ａ１５４２２Ｇ  ，  Ａ１５４２７Ｇ  ，  Ｔ１５４４０Ｃ  ，  Ｃ１５４５５Ｔ  ，  Ｔ���５４７９Ｃ  ，  Ａ１５４８７Ｔ  ，  Ｇ１５４９７Ａ  ，  Ｃ１５５０８Ｔ  ，  Ｃ１５５１８Ｔ  ，  Ａ１５５２４Ｇ  ，  Ｃ１５５３５Ｔ  ，  Ｇ１５５５３Ａ  ，  Ｔ１５５６５Ｃ  ，  Ｔ１５５８６Ｃ  ，  Ｃ１５６３２Ａ  ，  Ａ１５６６２Ｇ  ，  Ｔ１５６６３Ｃ  ，  Ｔ１５６７０Ｃ  ，  Ｔ１５６９７Ｃ  ，  Ａ１５７２４Ｇ  ，  Ａ１５７４６Ｇ  ，  Ｃ１５７５４Ａ  ，  Ａ１５７５８Ｇ  ，  Ａ１５７６６Ｇ  ，  Ｔ１５７７４Ｃ  ，  Ｔ１５７８４Ｃ  ，  Ｔ１５８５０Ｃ  ，  Ａ１５８５１Ｇ  ，  Ａ１５８６０Ｇ  ，  Ａ１５８７４Ｇ  ，  Ｇ１５８８４Ａ  ，  Ｃ１５８８６Ｔ  ，  Ａ１５９２４Ｇ  ，  Ｇ１５９２７Ａ  ，  Ｇ１５９２８Ａ  ，  Ｇ１５９３０Ａ  ，  Ａ１５９３６Ｇ  ，  Ｔ１５９４０Ｃ  ，  Ｔ１５９４１Ｃ  ，  Ａ１５９５１Ｇ  ，  Ａ１５９５４Ｇ  ，  Ｔ１５９８３Ｃ  ，  Ｇ１６０００Ａ  ，  Ａ１６０５１Ｇ  ，  Ａ１６０６６Ｇ  ，  Ｔ１６０８６Ｃ  ，  Ｔ１６０９２Ｃ  ，  Ｔ１６０９３Ｃ  ，  Ｔ１６１０２Ｃ  ，  Ｃ１６１１１Ｔ  ，  Ｃ１６１１４Ａ  ，  Ｔ１６１２６Ｃ  ，  Ｇ１６１２９Ａ  ，  Ｔ１６１３６Ｃ  ，  Ｔ１６１４０Ｃ  ，  Ｇ１６１４５Ａ  ，  Ｃ１６１５０Ｔ  ，  Ｔ１６１５４Ｃ  ，  Ａ１６１６０Ｇ  ，  Ａ１６１６２Ｇ  ，  Ａ１６１６４Ｇ  ，  Ｃ１６１６７Ｔ  ，  Ｃ１６１６９Ｔ  ，  Ｔ１６１７２Ｃ  ，  Ｃ１６１７４Ｔ  ，  Ｃ１６１７６Ｔ  ，  Ｗ１６１８０−９５−ｈｖｒ２  ，  Ａ１６２０３Ｇ  ，  Ａ１６２０７Ｇ  ，  Ｔ１６２０９Ｃ  ，  Ａ１６２１２Ｇ  ，  Ｇ１６２１３Ａ  ，  Ｃ１６２１４Ｔ  ，  Ｔ１６２１７Ｃ  ，  Ｃ１６２１８Ｔ  ，  Ｃ１６２２３Ｔ  ，  Ｔ１６２２４Ｃ  ，  Ａ１６２２７Ｇ  ，  Ｔ１６２２９Ｃ  ，  Ｔ１６２３１Ｃ  ，  Ｃ１６２３２Ａ  ，  Ｃ１６２３４Ｔ  ，  Ｃ１６２３９Ｔ  ，  Ａ１６２４１Ｇ  ，  Ｔ１６２４３Ｃ  ，  Ｃ１６２４５Ｔ  ，  Ｔ１６２４９Ｃ  ，  Ｃ１６２５０Ｔ  ，  Ａ１６２５４Ｇ  ，  Ｃ１６２５６Ｔ  ，  Ｃ１６２５７Ａ  ，  Ｃ１６２５９Ｔ  ，  Ｃ１６２６０Ｔ  ，  Ｃ１６２６１Ｔ  ，  Ｃ１６２６４Ｔ  ，  Ａ１６２６５Ｇ  ，  Ａ１６２６５Ｃ  ，  Ｃ１６２６６Ｔ  ，  Ｃ１６２６６Ａ  ，  Ｃ１６２６６Ｇ  ，  Ｃ１６２６８Ｔ  ，  Ｇ１６２７４Ａ  ，  Ｃ１６２７８Ｔ  ，  Ａ１６２８４Ｇ  ，  Ｃ１６２８７Ｔ  ，  Ｔ１６２８８Ｃ  ，  Ｃ１６２９０Ｔ  ，  Ｃ１６２９１Ｔ  ，  Ｃ１６２９２Ｔ  ，  Ｃ１６２９４Ｔ  ，  Ｔ１６２９７Ｃ  ，  Ｔ１６２９８Ｃ  ，  Ｔ１６３０４Ｃ  ，  Ａ１６３０９Ｇ  ，  Ｔ１６３１１Ｃ  ，  Ａ１６３１６Ｇ  ，  Ｇ１６３１９Ａ  ，  Ｃ１６３２０Ｔ  ，  Ｔ１６３２４Ｃ  ，  Ｔ１６３２５Ｃ  ，  Ｃ１６３２７Ｔ  ，  Ｃ１６３４４Ｔ  ，  Ｔ１６３５２Ｃ  ，  Ｃ１６３５５Ｔ  ，  Ｃ１６３５５Ａ  ，  Ｔ１６３５７Ｃ  ，  Ｃ１６３６０Ｔ  ，  Ｔ１６３６２Ｃ  ，  Ｔ１６３８１Ｃ  ，  Ｇ１６３９０Ａ  ，  Ａ１６３９９Ｇ  ，  Ａ１６４６３Ｇ  ，  Ａ１６４９７Ｇ  ，  Ｔ１６５１９Ｃ  ，  Ａ１６５２５Ｇのうちの少なくとも一つ、または二つ以上の塩基の変異に基づいて、個人識別することを特徴とするヒトミトコンドリア遺伝子変異に基づく個人識別法である。
【０００７】
肥満者群においては５２１個の変異が、非肥満者群においては５５２個の変異が確認された。上記の７６０個の変異は、それらの重複ヶ所を除いた全てのものである。
本発明において、変異とは、いわゆる「改訂版ケンブリッジ標準配列」、或いは本発明者らが見出した日本人におけるコンセンサスシークエンス（ＪＣＳ：表２を参照）に比べて、特定の塩基が変異していることを意味している。なお、本明細書中において、「変異」とは、塩基の置換、挿入、または欠失を含む。
【０００８】
また、本明細書中においては、塩基置換については、▲１▼数字の後ろに二つの英文字が矢印（→）を挟んだ状態、又は▲２▼２種類の英文字が数字を挟んだ状態で示している。上記▲１▼の場合には、数字は塩基置換が行われた位置を示し、始めの英文字が置換前の塩基を後の英文字が置換後の塩基を示している。例えば、「１０２３５Ｔ→Ｃ」は、１０２３５番目のチミンがシトシンに変異したことを示している。また上記▲２▼の場合には、数字が塩基置換が行われた位置を示し、始めの英文字が置換前の塩基を後の英文字が置換後の塩基を示している。例えば、「Ｔ３３３６Ｃ」は、３３３６番目のチミンがシトシンに変異したことを示している。
【０００９】
また、塩基挿入については、例えば「７４６５  ｉｎｓ  Ｃ」、或いは「７４６５  Ｃ−ｉｎｓ」のように、挿入がなされた位置を数字で示した後に、挿入の意味を示す「ｉｎｓ」と、挿入された塩基とを記述して示す。塩基欠失については、例えば「２４８  ｄｅｌ  Ａ」、或いは「２４８  Ａ  ｄｅｌ」のように、欠失がなされた位置を数字で示した後に、欠失の意味を示す「ｄｅｌ」と、欠失された塩基とを記述して示す。
また、アミノ酸置換については、タンパク質の種類と、２種類の英文字（アミノ酸の３文字表記）が数字を挟んだ記号とで示している。この場合に、英文字と数字の意味は、始めの英文字が置換前のアミノ酸を示し、後ろの英文字が置換後のアミノ酸を示している。また、数字は、対象となるタンパク質において、アミノ酸置換が行われた位置を示している。例えば、「Ｃｙｔｂ，  Ｌｅｕ２３７Ｐｈｅ」は、Ｃｙｔｂにおいて、２３７番目のロイシンがフェニルアラニンに置換した変異であることを意味している。
また、「ｈｖｒ」は、高頻度変異部位（ｈｙｐｅｒ  ｖａｒｉａｂｌｅ  ｒｅｇｉｏｎ）を意味しており、ｈｖｒ１（３０３−３１７）及びｈｖｒ２（１６１８０−１６１９５）の２ヶ所がある。また、「Ｗ」は、野生型塩基配列（Ｗｉｌｄ−ｔｙｐｅ  ｓｅｑｕｅｎｃｅ）を意味しており、標準となる改訂版ケンブリッジリファレンスシークエンス（ｒＣＲＳ，  ｒｅｖｉｓｅｄ  Ｃａｍｂｒｉｄｇｅ  ｒｅｆｅｒｅｎｃｅ  ｓｅｑｕｅｎｃｅ  ；  Ａｎｄｒｅｗｓ  Ｒ．Ｍ．，  Ｋｕｂａｃｋａ  Ｉ．，  Ｃｈｉｎｎｅｒｙ  Ｐ．Ｆ．，  Ｌｉｇｈｔｏｗｌｅｒｓ  Ｒ．Ｎ．，  Ｔｕｒｎｂｕｌｌ  Ｄ．Ｍ．，  Ｈｏｗｅｌｌ  Ｎ．  Ｒｅａｎａｌｙｓｉｓ  ａｎｄ  ｒｅｖｉｓｉｏｎ  ｏｆ  ｔｈｅ  Ｃａｍｂｒｉｄｇｅ  ｒｅｆｅｒｅｎｃｅ  ｓｅｑｕｅｎｃｅ  ｆｏｒ  ｈｕｍａｎ  ｍｉｔｏｃｈｏｎｄｒｉａｌ  ＤＮＡ．  Ｎａｔ  Ｇｅｎｅｔ  １９９９；  ２３：  １４７．）と同じ配列を意味している。「Ｗ」を付した位置として、高頻度変異部位１（ｈｖｒ１−３０３−３１７）を「Ｗ３０３−３１７ｈｖｒ１」、ＣＡリピート（ＣＡ−５１４−５２３）を「Ｗ５１４ｉｎｓＣＡ２」または「Ｗ５１４ｄｅｌＣＡ２」、Ｃストレッチ１（Ｃ１−５６８−５７３）を「Ｗ５６８Ｃｎ−ｉｎｓ」、１２Ｓ  ｒＲＮＡ（９５６−９６５）を「Ｗ９５６Ｃｎ−ｉｎｓ」、Ｃストレッチ２（Ｃ２−５８９５−５８９９）を「Ｗ５８９５Ｃｎ−ｉｎｓ」、９ｂｐ欠失／挿入（９−ｂｐ  ｄｅｌ／ｉｎｓ−８２７２−８２８９）を「Ｗ８２７２−ｄｅｌ」、高頻度変異部位２（ｈｖｒ２−１６１８０−１６１９５）を「Ｗ１６１８０−９５−ｈｖｒ２」ということがある。これらの部位は、ｒＣＲＳと各個人との間に（或いは、各個人間においても）高度に変異が認められる（後述する）。
【００１０】
遺伝子変異を検出する方法としては、当業者にとって公知の方法、例えばＤＮＡシークエンス、多重ＡＰＬＰ法、ＤＮＡマイクロアレイ等を使用したハブリダイゼーション法、Ｉｎｖａｄｅｒ法、Ｔａｑｍａｎプローブ法、  Ｍａｓｓｃｏｄｅタグ法、対立遺伝子特異的ＰＣＲ法、ＲＦＬＰ法、多様固相蛍光ミニシークエンス法、免疫化シークエンス特異的オリゴヌクレオチドプローブアッセイ法などを例示することができるが、これらの方法に限定されることなく、将来的に開発される各種のＤＮＡ解析法を用いることが出来る。
第１の発明によれば、ヒトミトコンドリアＤＮＡの変異に基づいて、個人識別を行うことができる。
【００１１】
第２の発明は、ヒトミトコンドリアＤＮＡにおいて、Ｔ１０Ｃ  ，  Ｃ４１Ｔ  ，  ４２Ｃｉｎｓ  ，  Ｃ６４Ｔ  ，  ６５Ｇｉｎｓ  ，  Ｇ６８Ａ  ，  Ｇ７５Ａ  ，  Ａ９３Ｇ  ，  Ｇ９４Ａ  ，  Ｇ１０３Ａ  ，  Ｔ１３１Ｃ  ，  Ｔ１４６Ｃ  ，  Ｃ１５０Ｔ  ，  Ｔ１５２Ｃ  ，  Ａ１５３Ｇ  ，  Ａ１８３Ｇ  ，  Ａ１８９Ｇ  ，  Ｃ１９４Ｔ  ，  Ｔ１９５Ｃ  ，  Ｔ１９５Ａ  ，  Ｔ１９９Ｃ  ，  Ａ２００Ｇ  ，  Ａ２０２Ｇ  ，  Ｇ２０３Ａ  ，  Ｔ２０４Ｃ  ，  Ｇ２０７Ａ  ，  Ａ２１０Ｇ  ，  Ａ２１４Ｇ  ，  Ａ２３５Ｇ  ，  Ａ２４８ｄｅｌ  ，  Ｇ２５５Ａ  ，  Ｇ２６０Ａ  ，  Ｔ２７９Ｃ  ，  ２８５Ａｉｎｓ  ，  Ｗ３０３−３１７ｈｖｒ１  ，  Ｔ３１８Ｃ  ，  Ｇ３２２Ａ  ，  Ｃ３４５Ｔ  ，  Ａ３８４Ｇ  ，  Ｃ４３１Ｔ  ，  Ｃ４５６Ｔ  ，  Ｃ４８１Ｔ  ，  Ｔ４８９Ｃ  ，  Ｇ４９９Ａ  ，  Ｗ５１４ｉｎｓＣＡ２  ，  Ｗ５１４ｄｅｌＣＡ２  ，  Ｇ５４５Ａ  ，  Ｗ５６８Ｃｎ−ｉｎｓ  ，  Ｔ５９３Ｃ  ，  Ａ６６３Ｇ  ，  Ｔ６８１Ｃ  ，  Ｃ７０２Ｔ  ，  Ｇ７０９Ａ  ，  Ｃ７５２Ｔ  ，  Ａ８１４Ｇ  ，  Ａ８２７Ｇ  ，  Ａ８５６Ｇ  ，  Ｗ９５６Ｃｎ−ｉｎｓ  ，  Ｔ９６１Ｃ  ，  Ａ１０４１Ｇ  ，  Ｃ１０４８Ｔ  ，  Ｔ１１０７Ｃ  ，  Ｔ１１１９Ｃ  ，  Ｔ１１８９Ｃ  ，  Ａ１２９９Ｇ  ，  Ｇ１３０３Ａ  ，  Ｃ１３１０Ｔ  ，  Ａ１３８２Ｃ  ，  Ｔ１３９１Ｃ  ，  Ｇ１４３８Ａ  ，  Ｇ１４４２Ａ  ，  Ｃ１５０８Ｔ  ，  Ｇ１５９８Ａ  ，  Ｇ１６６４Ａ  ，  Ａ１７３６Ｇ  ，  Ｔ１７６６Ｃ  ，  Ｔ１８１９Ｃ  ，  Ｔ１８２２Ｃ  ，  Ｇ１８８８Ａ  ，  Ａ１８９２Ｇ  ，  Ａ１９７８Ｇ  ，  Ｇ２０５６Ａ  ，  Ｃ２０７９Ｔ  ，  ２１５０Ａ−ｉｎｓ  ，  Ａ２２２３Ｇ  ，  Ｇ２３６１Ａ  ，  Ａ２５５０Ｔ  ，  Ｔ２６２６Ｃ  ，  Ｇ２７０６Ａ  ，  Ｃ２７６６Ｔ  ，  Ｃ２７７２Ｔ  ，  Ｇ２８３１Ａ  ，  Ｔ２８８７Ｃ  ，  Ｇ３０１０Ａ  ，  ３１６７Ｃ−ｉｎｓ  ，  Ｃ３２０６Ｔ  ，  Ａ３２２１Ｇ  ，  Ｇ３３１６Ａ  ，  Ｔ３３３６Ｃ  ，  Ｇ３３３７Ａ  ，  Ｔ３３３８Ｃ  ，  Ｔ３３９４Ｃ  ，  Ａ３３９５Ｇ  ，  Ｇ３４９６Ｔ  ，  Ｃ３４９７Ｔ  ，  Ｔ３５０４Ｃ  ，  Ａ３５３７Ｇ  ，  Ｔ３５９３Ｃ  ，  Ｔ３６４４Ｃ  ，  Ａ３７４４Ｇ  ，  Ｔ３７８６Ｃ  ，  Ｔ３８０１Ｃ  ，  Ａ３８１６Ｇ  ，  Ｇ３９１５Ａ  ，  Ｃ３９７０Ｔ  ，  Ａ３９８１Ｇ  ，  Ｃ４０２５Ｔ  ，  Ｇ４０４８Ａ  ，  Ｃ４０７１Ｔ  ，  Ｇ４１１３Ａ  ，  Ｔ４１１７Ｃ  ，  Ａ４１２９Ｇ  ，  Ｃ４１４０Ｔ  ，  Ｃ４１６１Ｔ  ，  Ａ４１６４Ｇ  ，  Ｃ４１８６Ｔ  ，  Ｔ４２０９Ｃ  ，  Ｔ４２４８Ｃ  ，  Ａ４３４３Ｇ  ，  Ｔ４３８６Ｃ  ，  Ｇ４４９１Ａ  ，  Ｃ４５３８Ｔ  ，  Ｃ４６２５Ｔ  ，  Ｇ４６５５Ａ  ，  Ａ４７０４Ｃ  ，  Ｃ４７１２Ｔ  ，  Ａ４７１５Ｇ  ，  Ａ４７３２Ｇ  ，  Ａ４７９３Ｇ  ，  Ｇ４８２０Ａ  ，  Ａ４８２４Ｇ  ，  Ａ４８３３Ｇ  ，  Ｔ４８５９Ｃ  ，  Ｃ４８８３Ｔ  ，  Ａ４８９５Ｇ  ，  Ｔ４９０７Ｃ  ，  Ａ４９５８Ｇ  ，  Ｇ４９９１Ａ  ，  Ｔ５０４８Ｃ  ，  Ｔ５１０８Ｃ  ，  Ｇ５１４７Ａ  ，  Ａ５１５３Ｇ  ，  Ｃ５１７８Ａ  ，  Ｃ５１７８Ｔ  ，  Ｇ５２３１Ａ  ，  Ｇ５２３７Ａ  ，  Ａ５３０１Ｇ  ，  Ａ５３１９Ｇ  ，  Ａ５３５１Ｇ  ，  Ｇ５４１７Ａ  ，  Ａ５４４１Ｇ  ，  Ｇ５４６０Ａ  ，  Ｔ５４６５Ｃ  ，  Ａ５５３９Ｇ  ，  Ｇ���５８５Ａ  ，  Ａ５５９２Ｇ  ，  Ｃ５６０１Ｔ  ，  Ｇ５７４４Ａ  ，  Ｇ５７７３Ａ  ，  Ｇ５７７７Ａ  ，  Ｗ５８９５Ｃｎ−ｉｎｓ  ，  Ｃ５８９９Ｔ  ，  Ｔ５９６４Ｃ  ，  Ｃ６００５Ｔ  ，  Ｇ６０２３Ａ  ，  Ｔ６１８５Ｃ  ，  Ｔ６２５３Ｃ  ，  Ｇ６２６０Ａ  ，  Ｔ６３９２Ｃ  ，  Ｃ６４１０Ｔ  ，  Ｔ６４１３Ｃ  ，  Ｃ６４５５Ｔ  ，  Ａ６５０３Ｃ  ，  Ｃ６５５１Ｔ  ，  Ａ６５９９Ｇ  ，  Ｔ６６２０Ｃ  ，  Ｔ６６８０Ｃ  ，  Ｃ６６８９Ｔ  ，  Ｃ６７１３Ｔ  ，  Ａ６７５２Ｇ  ，  Ｔ６９５６Ｃ  ，  Ｇ６９６２Ａ  ，  Ａ７０８３Ｇ  ，  Ａ７０９１Ｇ  ，  Ｃ７１９６Ａ  ，  Ａ７２５０Ｇ  ，  Ｔ７２７０Ｃ  ，  Ａ７３６４Ｇ  ，  Ｇ７６００Ａ  ，  Ｇ７６６４Ａ  ，  Ａ７６７３Ｇ  ，  Ｔ７６８４Ｃ  ，  Ｇ７７５７Ａ  ，  Ｇ７７８９Ａ  ，  Ａ７８２２Ｇ  ，  Ｇ７８５３Ａ  ，  Ｃ７８６７Ｔ  ，  Ｇ８０２０Ａ  ，  Ｇ８０７５Ａ  ，  Ａ８１４９Ｇ  ，  Ｔ８１６７Ｃ  ，  Ｔ８２００Ｃ  ，  Ｇ８２０６Ａ  ，  Ｇ８２５１Ａ  ，  Ｗ８２７２−ｄｅｌ  ，  Ｔ８３８３Ｃ  ，  Ｃ８４１４Ｔ  ，  Ｔ８４１９Ｃ  ，  Ａ８４３５Ｇ  ，  Ｔ８４７３Ｃ  ，  Ａ８５６３Ｇ  ，  Ｇ８５８４Ａ  ，  Ｔ８６１４Ｃ  ，  Ｃ８６２８Ｔ  ，  Ｇ８６６９Ｃ  ，  Ａ８７０１Ｇ  ，  Ｇ８７６４Ａ  ，  Ａ８７８４Ｇ  ，  Ｔ８７９３Ｃ  ，  Ｃ８７９４Ｔ  ，  Ｃ８８２９Ｔ  ，  Ｃ８８４４Ｔ  ，  Ｇ８８５６Ａ  ，  Ａ８８９４Ｔ  ，  Ａ８９１９Ｇ  ，  Ｇ８９５０Ａ  ，  Ｃ８９６４Ｔ  ，  Ｃ８９９１Ｔ  ，  Ｃ９００４Ｔ  ，  Ｇ９０５３Ａ  ，  Ｔ９０９０Ｃ  ，  Ｔ９１１７Ｃ  ，  Ｇ９１２３Ａ  ，  Ａ９１８０Ｇ  ，  Ｇ９１８２Ａ  ，  Ａ９１９７Ｇ  ，  Ａ９２４２Ｇ  ，  Ａ９２５４Ｇ  ，  Ｃ９２９６Ｔ  ，  Ａ９２９９Ｇ  ，  Ａ９３７７Ｇ  ，  Ａ９４１０Ｇ  ，  Ｃ９４３１Ｔ  ，  Ｇ９４７７Ａ  ，  Ｔ９４７９Ｃ  ，  Ｔ９４９８Ｃ  ，  Ｃ９５３６Ｔ  ，  Ｔ９５４０Ｃ  ，  Ｇ９５７５Ａ  ，  Ｔ９６６１Ｃ  ，  Ａ９６６４Ｔ  ，  Ｇ９７１３Ａ  ，  Ｔ９８２４Ｃ  ，  Ｔ９８２４Ａ  ，  Ｃ９８５１Ｔ  ，  Ｇ９９３２Ａ  ，  Ｔ９９３８Ｃ  ，  Ｔ９９５０Ｃ  ，  Ｇ９９６２Ａ  ，  Ｔ９９７７Ｃ  ，  Ｔ１００８４Ｃ  ，  Ａ１０１０３Ｇ  ，  Ｃ１０１０４Ｔ  ，  Ｃ１０１８１Ｔ  ，  Ｔ１０２３５Ｃ  ，  Ｔ１０２３８Ｃ  ，  Ｇ１０３１０Ａ  ，  Ｔ１０３４５Ｃ  ，  Ｇ１０３７３Ａ  ，  Ａ１０３９７Ｇ  ，  Ａ１０３９８Ｇ  ，  Ｃ１０４００Ｔ  ，  Ｔ１０４１０Ｃ  ，  Ａ１０４１１Ｇ  ，  Ｔ１０４５４Ｃ  ，  Ｃ１０６０７Ｔ  ，  Ｔ１０６０９Ｃ  ，  Ｇ１０６４６Ａ  ，  Ｇ１０６８５Ａ  ，  Ｔ１０７９０Ｃ  ，  Ｇ１０８０１Ａ  ，  Ｔ１０８７３Ｃ  ，  Ｔ１０９０７Ｃ  ，  Ｔ１０９１５Ｃ  ，  Ｃ１０９７６Ｔ  ，  Ｔ１１００９Ｃ  ，  Ｇ１１０１６Ａ  ，  Ｔ１１０１７Ｃ  ，  Ａ１１０８４Ｇ  ，  Ａ１１０９２Ｇ  ，  Ａ１１１０１Ｇ  ，  Ｃ１１１４６Ｔ  ，  Ｔ１１１４７Ｃ  ，  Ｇ１１１４９Ａ  ，  Ｃ１１１５１Ｔ  ，  Ａ１１１６７Ｇ  ，  Ｃ１１２１５Ｔ  ，  Ｔ１１２５３Ｃ  ，  Ｔ１１２５５Ｃ  ，  Ｔ１１４３７Ｃ  ，  Ｃ１１５３６Ｔ  ，  Ｔ１１５６９Ｃ  ，  Ｃ１１６４７Ｔ  ，  Ｃ１１６６８Ｔ  ，  Ｇ１１６９６Ａ  ，  Ｔ１１７０１Ｃ  ，  Ｔ１１７２２Ｃ  ，  Ａ１１７４６Ｇ  ，  Ｇ１１９１４Ａ  ，  Ｔ１１９４４Ｃ  ，  Ａ１１９５９Ｇ  ��  Ｇ１１９６３Ａ  ，  Ａ１２０２６Ｇ  ，  Ａ１２０３３Ｇ  ，  Ｃ１２０８５Ｔ  ，  Ａ１２１７２Ｇ  ，  Ａ１２２８０Ｇ  ，  Ｔ１２３５４Ｃ  ，  Ａ１２３５８Ｇ  ，  Ｃ１２３６０Ｔ  ，  Ａ１２３６１Ｇ  ，  Ｇ１２３７２Ａ  ，  Ｃ１２４０５Ｔ  ，  Ｇ１２４０６Ａ  ，  Ａ１２４５１Ｇ  ，  Ｇ１２５０１Ａ  ，  Ｃ１２５４９Ｔ  ，  Ａ１２６１２Ｇ  ，  Ｃ１２６３３Ｔ  ，  Ｃ１２７０５Ｔ  ，  Ｇ１２７７１Ａ  ，  Ｔ１２８１１Ｃ  ，  Ｃ１２８５３Ｔ  ，  Ｔ１２８８０Ｃ  ，  Ｃ１２８８２Ｔ  ，  Ｃ１３０２９Ｔ  ，  Ａ１３０８３Ｔ  ，  Ａ１３１０４Ｇ  ，  Ｇ１３１３５Ａ  ，  Ｔ１３１４３Ｃ  ，  Ａ１３１５２Ｇ  ，  Ａ１３１８３Ｇ  ，  Ａ１３２２１Ｇ  ，  Ａ１３２７８Ｇ  ，  Ｔ１３４３７Ｃ  ，  Ｇ１３４７７Ａ  ，  Ａ１３５１２Ｇ  ，  Ａ１３５２７Ｇ  ，  Ａ１３５６３Ｇ  ，  Ｇ１３５９０Ａ  ，  Ａ１３６２９Ｇ  ，  Ｇ１３７０８Ａ  ，  Ｇ１３７５９Ａ  ，  Ｃ１３８５５Ｔ  ，  Ａ１３８５７Ｇ  ，  Ｔ１３８７９Ｃ  ，  Ａ１３８８７Ｇ  ，  Ｇ１３９２８Ｃ  ，  Ｃ１３９３４Ｔ  ，  Ｇ１３９６８Ａ  ，  Ｃ１４００３Ｔ  ，  Ｃ１４０５２Ｔ  ，  Ｔ１４０６３Ｃ  ，  Ａ１４１３３Ｇ  ，  Ｃ１４１４２Ｔ  ，  Ｃ１４１４９Ｔ  ，  Ｃ１４１５８Ｔ  ，  Ｔ１４２００Ｃ  ，  Ｇ１４３０５Ａ  ，  Ｔ１４３０８Ｃ  ，  Ｔ１４３２５Ｃ  ，  Ｇ１４３６４Ａ  ，  Ｔ１４４７０Ｃ  ，  Ｇ１４４７６Ａ  ，  Ｔ１４５０２Ｃ  ，  Ｇ１４５６９Ａ  ，  Ａ１４６０５Ｇ  ，  Ｃ１４６２９Ｔ  ，  Ｔ１４６３４Ｇ  ，  Ｃ１４６６８Ｔ  ，  Ａ１４６９２Ｇ  ，  Ａ１４６９３Ｇ  ，  Ａ１４７５０Ｇ  ，  Ｔ１４７８３Ｃ  ，  Ａ１４８９３Ｇ  ，  Ｃ１４９４４Ｔ  ，  Ｔ１４９７１Ｃ  ，  Ｔ１４９７９Ｃ  ，  Ｃ１４９９０Ｔ  ，  Ｃ１５０４０Ｔ  ，  Ｇ１５０４３Ａ  ，  Ａ１５０６１Ｇ  ，  Ｔ１５０６７Ｃ  ，  Ｔ１５０７１Ｃ  ，  Ｇ１５２２１Ａ  ，  Ｃ１５２２３Ｔ  ，  Ａ１５２３５Ｇ  ，  Ａ１５２３６Ｇ  ，  Ａ１５２４４Ｇ  ，  Ｔ１５２９９Ｃ  ，  Ｇ１５３０１Ａ  ，  Ｇ１５３２３Ａ  ，  Ｃ１５３３１Ａ  ，  Ｇ１５３４６Ａ  ，  Ｇ１５３５５Ａ  ，  Ａ１５４２７Ｇ  ，  Ｔ１５４４０Ｃ  ，  Ｃ１５４５５Ｔ  ，  Ａ１５４８７Ｔ  ，  Ｇ１５４９７Ａ  ，  Ｃ１５５０８Ｔ  ，  Ｃ１５５１８Ｔ  ，  Ａ１５５２４Ｇ  ，  Ｃ１５５３５Ｔ  ，  Ｇ１５５５３Ａ  ，  Ｔ１５５８６Ｃ  ，  Ｃ１５６３２Ａ  ，  Ａ１５６６２Ｇ  ，  Ａ１５７２４Ｇ  ，  Ａ１５７５８Ｇ  ，  Ｔ１５７８４Ｃ  ，  Ｔ１５８５０Ｃ  ，  Ａ１５８５１Ｇ  ，  Ａ１５８６０Ｇ  ，  Ａ１５８７４Ｇ  ，  Ｇ１５８８４Ａ  ，  Ａ１５９２４Ｇ  ，  Ｇ１５９２７Ａ  ，  Ｇ１５９２８Ａ  ，  Ａ１５９３６Ｇ  ，  Ｔ１５９４０Ｃ  ，  Ｔ１５９４１Ｃ  ，  Ａ１５９５１Ｇ  ，  Ａ１５９５４Ｇ  ，  Ｔ１５９８３Ｃ  ，  Ａ１６０６６Ｇ  ，  Ｔ１６０８６Ｃ  ，  Ｔ１６０９２Ｃ  ，  Ｔ１６０９３Ｃ  ，  Ｔ１６１０２Ｃ  ，  Ｃ１６１１１Ｔ  ，  Ｇ１６１２９Ａ  ，  Ｔ１６１３６Ｃ  ，  Ｔ１６１４０Ｃ  ，  Ｇ１６１４５Ａ  ，  Ｔ１６１５４Ｃ  ，  Ａ１６１６０Ｇ  ，  Ａ１６１６４Ｇ  ，  Ｃ１６１６７Ｔ  ，  Ｔ１６１７２Ｃ  ，  Ｃ１６１７４Ｔ  ，  Ｃ１６１７６Ｔ  ，  Ｗ１６１８０−９５−ｈｖｒ２  ，  Ｔ１６２０９Ｃ  ，  Ａ１６２１２Ｇ  ，  Ｃ１６２１４Ｔ  ，  Ｔ１６��１７Ｃ  ，  Ｃ１６２１８Ｔ  ，  Ｃ１６２２３Ｔ  ，  Ｔ１６２２４Ｃ  ，  Ａ１６２２７Ｇ  ，  Ｔ１６２３１Ｃ  ，  Ｃ１６２３２Ａ  ，  Ｃ１６２３４Ｔ  ，  Ａ１６２４１Ｇ  ，  Ｔ１６２４３Ｃ  ，  Ｃ１６２４５Ｔ  ，  Ｔ１６２４９Ｃ  ，  Ｃ１６２５０Ｔ  ，  Ａ１６２５４Ｇ  ，  Ｃ１６２５６Ｔ  ，  Ｃ１６２５７Ａ  ，  Ｃ１６２５９Ｔ  ，  Ｃ１６２６０Ｔ  ，  Ｃ１６２６１Ｔ  ，  Ａ１６２６５Ｇ  ，  Ａ１６２６５Ｃ  ，  Ｃ１６２６６Ｔ  ，  Ｃ１６２６６Ａ  ，  Ｃ１６２６８Ｔ  ，  Ｇ１６２７４Ａ  ，  Ｃ１６２７８Ｔ  ，  Ａ１６２８４Ｇ  ，  Ｃ１６２８７Ｔ  ，  Ｔ１６２８８Ｃ  ，  Ｃ１６２９０Ｔ  ，  Ｃ１６２９１Ｔ  ，  Ｃ１６２９２Ｔ  ，  Ｃ１６２９４Ｔ  ，  Ｔ１６２９７Ｃ  ，  Ｔ１６２９８Ｃ  ，  Ｔ１６３０４Ｃ  ，  Ａ１６３０９Ｇ  ，  Ｔ１６３１１Ｃ  ，  Ａ１６３１６Ｇ  ，  Ｇ１６３１９Ａ  ，  Ｃ１６３２０Ｔ  ，  Ｔ１６３２４Ｃ  ，  Ｔ１６３２５Ｃ  ，  Ｃ１６３４４Ｔ  ，  Ｔ１６３５２Ｃ  ，  Ｃ１６３５５Ｔ  ，  Ｔ１６３５７Ｃ  ，  Ｃ１６３６０Ｔ  ，  Ｔ１６３６２Ｃ  ，  Ｔ１６３８１Ｃ  ，  Ｇ１６３９０Ａ  ，  Ａ１６３９９Ｇ  ，  Ａ１６４６３Ｇ  ，  Ａ１６４９７Ｇ  ，  Ｔ１６５１９Ｃのうちの少なくとも一つ、または二つ以上の塩基の変異に基づいて、その者が肥満となるか否かについての判断資料を与えることを特徴とするヒトミトコンドリア遺伝子変異に基づく遺伝子検出法である。
【００１２】
肥満者群においては、５２１個の変異が確認された。第２の発明では、これら５２１ヶ所の変異のいずれか（一つ、または二つ以上）を検出することにより、その者が肥満となるか否かを判断するための資料を与えることができる。
なお、第２の発明において、好ましくは、  Ｃ３４９７Ｔ  ，  Ｔ３６４４Ｃ  ，  Ｇ４０４８Ａ  ，  Ａ４８２４Ｇ  ，  Ｃ５１７８Ａ  ，  Ａ５３０１Ｇ  ，  Ｇ５４６０Ａ  ，  Ｔ６２５３Ｃ  ，  Ｇ７８５３Ａ  ，  Ａ８５６３Ｇ  ，  Ｇ８５８４Ａ  ，  Ｃ８７９４Ｔ  ，  Ｔ１０３４５Ｃ  ，  Ｇ１１０１６Ａ  ，  Ａ１２３６１Ｇ  ，  Ｔ１２８１１Ｃ  ，  Ｔ１２８８０Ｃ  ，  Ａ１３１８３Ｇ  ，  Ｔ１４９７９Ｃ  ，  Ｇ１５３２３Ａ  ，  Ｇ１５４９７Ａ  ，  Ａ１５６６２Ｇ  ，  Ａ１５８５１Ｇ  ，  Ａ１５８６０Ｇ  ，  Ａ３３９５Ｇ  ，  Ｇ７７５７Ａ  ，  Ｇ８０７５Ａ  ，  Ｇ８６６９Ｃ  ，  Ｇ９１８２Ａ  ，  Ａ９１９７Ｇ  ，  Ｇ９４７７Ａ  ，  Ｔ９４９８Ｃ  ，  Ｔ９６６１Ｃ  ，  Ａ９６６４Ｔ  ，  Ａ１２０３３Ｇ  ，  Ａ１４７５０Ｇ  ，  Ｃ１５４５５Ｔ  ，  Ａ１２０２６Ｇ  ，  Ｔ１４３２５Ｃ  ，  Ｇ３３３７Ａ  ，  Ｔ３３３８Ｃ  ，  Ｇ３４９６Ｔ  ，  Ｔ３５９３Ｃ  ，  Ｃ４０２５Ｔ  ，  Ａ４１２９Ｇ  ，  Ａ４７０４Ｃ  ，  Ａ５３１９Ｇ  ，  Ａ７０８３Ｇ  ，  Ａ８４３５Ｇ  ，  Ａ８８９４Ｔ  ，  Ｇ８９５０Ａ  ，  Ｔ１０９０７Ｃ  ，  Ｃ１１１５１Ｔ  ，  Ｔ１１２５３Ｃ  ，  Ａ１２４５１Ｇ  ，  Ｇ１３４７７Ａ  ，  Ｔ１３８７９Ｃ  ，  Ｃ１４００３Ｔ  ，  Ｔ１４０６３Ｃ  ，  Ｔ１４６３４Ｇ  ，  Ｃ１４９９０Ｔ  ，  Ｇ１５２２１Ａ  ，  Ｃ１５６３２Ａ  のうちの少なくとも一つ、または二つ以上の塩基の変異に基づくことができる。
本発明者らの解析によれば、非肥満者に比べて肥満者に多く確認された非同義置換（塩基置換がアミノ酸の変異を伴うもの。表２２を参照）、及び非肥満者のみに確認された非同義置換（表２４）をまとめることができた。これらの変異の有無を確認することにより、その者が肥満となるか否かについての判断資料を与えることができる。
【００１３】
また、第２の発明において、好ましくは、  Ｇ４０４８Ａ  ，  Ｃ４０７１Ｔ  ，  Ａ４１６４Ｇ  ，  Ａ５３５１Ｇ  ，  Ｇ５４６０Ａ  ，  Ｔ６６８０Ｃ  ，  Ｔ７６８４Ｃ  ，  Ｇ７８５３Ａ  ，  Ｔ１０３４５Ｃ  ，  Ｃ１２４０５Ｔ  ，  Ｔ１２８１１Ｃ  のうちの少なくとも一つ、または二つ以上の塩基の変異に基づくことができる。
本発明者らの解析によれば、肥満者群のヒトミトコンドリアＤＮＡをいくつかのグループに分類することができた。このうち、「Ｍ７ｂ２」と名付けたハプログループ（表２６の上段を参照）は、肥満に関与することが確認された。このため、これらの変異の有無を確認することにより、その者が肥満となるか否かについての判断資料を与えることができる。また、上記１１個の変異は、互いに強く関連しているので、いずれか一ヶ所の変異を確認すればよい。
【００１４】
第２の発明において、好ましくは、Ａ６６３Ｇ  ，  Ａ１７３６Ｇ  ，  ２１５１ｉｎｓＡ  ，  Ｔ４２４８Ｃ  ，  Ａ４８２４Ｇ  ，  Ｇ４６５５Ａ  ，  Ｇ５７７３Ａ  ，  Ａ８５６３Ｇ  ，  Ｃ８７９４Ｔ  ，  Ｇ１０８０１Ａ  ，  Ｃ１１５３６Ｔ  ，  Ｃ１１６４７Ｔ  ，  Ｔ１２８８０Ｃ  ，  Ｃ１４９４４Ｔ  のうちの少なくとも一つ、または二つ以上の塩基の変異に基づくことができる。
本発明者らの解析によれば、「Ａ１ａ」と名付けたハプログループ（表２７を参照）は、肥満に関与することが確認された。このため、これらの変異の有無を確認することにより、その者が肥満となるか否かについての判断資料を与えることができる。また、表２７中の＃が付いた５ヶ所の変異（  ２１５１  ｉｎｓ  Ａ  ，  Ｇ４６５５Ａ  ，  Ｇ１０８０１Ａ  ，  Ｃ１１６４７Ｔ  ，  Ｃ１４９４４Ｔ）は、互いに強く関連しているので、いずれか一ヶ所の変異を確認すればよい。なお、＃は、肥満者群と非肥満者群との間で、危険率５％以下で有意な変異である。
【００１５】
第２の発明において、好ましくは、  Ａ８５６Ｇ  ，  Ｃ２７６６Ｔ  ，  Ａ１４６９２Ｇ  ，  Ｔ１６２２４Ｃ  ，  Ｃ１６２９２Ｔ  のうちの少なくとも一つ、または二つ以上の塩基の変異に基づくことができる。
本発明者らの解析によれば、「Ｄ４ｄ」と名付けたハプログループ（表２９下段を参照）は、肥満に関与することが確認された。このため、これらの変異の有無を確認することにより、その者が肥満となるか否かについての判断資料を与えることができる。また、これら５ヶ所の変異は、互いに強く関連しているので、いずれか一ヶ所の変異を確認すればよい。
【００１６】
第２の発明において、好ましくは、  Ｔ２０４Ｃ  ，  Ｇ１５９８Ａ  ，  Ｇ８５８４Ａ  ，  Ｃ８８２９Ｔ  ，  Ｔ９９５０Ｃ  ，  Ａ１２３６１Ｇ  ，  Ｃ１５２２３Ｔ  ，  Ｃ１５５０８Ｔ  ，  Ａ１５６６２Ｇ  ，  Ａ１５８５１Ｇ  ，  Ｇ１５９２７Ａ  ，  Ｔ１６１４０Ｃ  ，  Ｔ１６２４３Ｃ  のうちの少なくとも一つ、または二つ以上の塩基の変異に基づくことができる。
本発明者らの解析によれば、「Ｂ５ｂ」と名付けたハプログループ（表３０を参照）は、肥満に関与することが確認された。このため、これらの変異の有無を確認することにより、その者が肥満となるか否かについての判断資料を与えることができる。
【００１７】
第３の発明は、ヒトミトコンドリアＤＮＡにおいて、  Ｔ２６２６Ｃ  ，  Ｃ２７７２Ｔ  ，  Ｔ４３８６Ｃ  ，  Ａ４９５８Ｇ  ，  Ｔ１１０１７Ｃ  ，  Ｇ１２７７１Ａ  ，  Ｇ１４３６４Ａ  ，  Ｃ３９７０Ｔ  ，  Ｃ４０８６Ｔ  ，  Ｔ６３９２Ｃ  ，  Ｇ６９６２Ａ  ，  Ｇ９０５３Ａ  ，  Ｇ１０３１０Ａ  ，  Ｔ１０６０９Ｃ  ，  Ｇ１２４０６Ａ  ，  Ｃ１２８８２Ｔ  ，  Ｇ１３７５９Ａ  ，  Ｇ１３９２８Ｃ  ，  Ｃ２８０Ｔ  ，  Ａ１３８２Ｃ  ，  Ｇ８０２０Ａ  ，  Ｃ８９６４Ｔ  ，  Ｔ９８２４Ａ  ，  Ａ１５５２４Ｇ  ，  Ｃ１６３５５Ｔ  のうちの少なくとも一つ、または二つ以上の塩基の変異に基づいて、その者がるい痩となるか否かについての判断資料を与えることを特徴とするヒトミトコンドリア遺伝子変異に基づく遺伝子検出法である。
本発明者らの解析によれば、肥満者群と非肥満者群との間で塩基変異を比較することにより、「るい痩」に関与する三つのハプログループ（すなわち、「Ｍ７ａ」（表２６下段を参照）、「Ｆ１ｂ」（表２８を参照）、「Ｄ４ｂ」（表２９上段を参照））を新たに見出した。このため、これらの変異の有無を確認することにより、その者がるい痩となるか否かについての判断資料を与えることができる。
本研究の結果、日本人のヒトミトコンドリアＤＮＡの塩基配列と、ｒＣＲＳとにおいて高度に相違する部位、或いは、個人個人において高度に相違する部位が確認された。すなわち、表３１〜表３６に示す高頻度変異部位１（ｈｖｒ１−３０３−３１７）、ＣＡリピート（ＣＡ−５１４−５２３）、Ｃストレッチ１（Ｃ１−５６８−５７３）、１２Ｓ  ｒＲＮＡ（９５６−９６５）、Ｃストレッチ２（Ｃ２−５８９５−５８９９）、９ｂｐ欠失／挿入（９−ｂｐ  ｄｅｌ／ｉｎｓ−８２７２−８２８９）、高頻度変異部位２（ｈｖｒ２−１６１８０−１６１９５）である。これらの部位は、ｒＣＲＳと各個人との間に（或いは、各個人間においても）高度に変異が認められた（表３１〜表３３には非肥満者群の９６名、表３４〜表３６には肥満者群の９６名）。このため、これらの位置の塩基配列を確認することにより、個人識別を行うことができる。
こうして、第４の発明の発明は、ヒトミトコンドリアＤＮＡにおいて、ｈｖｒ１−３０３−３１７、ＣＡ−５１４−５２３、Ｃ１−５６８−５７３、１２Ｓ  ｒＲＮＡ−９５６−９６５、Ｃ２−５８９５−５８９９、９−ｂｐ  ｄｅｌ／ｉｎｓ−８２７２−８２８９、ｈｖｒ２−１６１８０−１６１９５のうちの少なくとも一つ、または二つ以上の塩基の変異に基づいて、個人識別することを特徴とするヒトミトコンドリア遺伝子変異に基づく個人識別法である。
【００１８】
【発明の実施の形態】
次に、本発明の一実施形態について、図表を参照しつつ詳細に説明するが、本発明の技術的範囲は、下記の実施形態によって限定されるものではなく、その要旨を変更することなく、様々に改変して実施することができる。また、本発明の技術的範囲は、均等の範囲にまで及ぶものである。
【００１９】
＜対象＞
各々９６名の肥満者群［肥満度（ｂｏｄｙ  ｍａｓｓ  ｉｎｄｅｘ：ＢＭＩ）２６．９〜４１．１ｋｇ／ｍ２（平均±標準偏差  ３０．１±２．５ｋｇ／ｍ２）、年齢１８〜２５歳（２１．２歳）］、及び肥満者群と年齢がマッチした非肥満者群［ＢＭＩ：１４．０〜２４．３  ｋｇ／ｍ２  （２０．２±２．３  ｋｇ／ｍ２）、年齢１８〜２５歳（２０±２歳）］のミトコンドリアゲノム全塩基配列（１３個のｍＲＮＡ（タンパクコーディング領域）、２２個のｔＲＮＡ、及び２個のｒＲＮＡを含む。図１を参照。）を解析した。ＢＭＩ（ｋｇ／ｍ２）は体重と身長から算出した。全ての被験者は本研究への参加に同意した。また、本研究は名古屋大学総合保健体育科学センターの倫理委員会で承認された。
【００２０】
＜方法＞
各被験者から静脈血２ｍＬを５０ｍＭ  ＥＤＴＡを含有した採血管に集めた。総ＤＮＡは、ＭａｇＥｘｔｒａｃｔｏｒ  Ｓｙｓｔｅｍ  ＭＦＸ−２０００（Ｔｏｙｏｂｏ、大阪）を用いて血液から抽出した。ミトコンドリアゲノム全てを既報に示す通り（Ｍａｓａｓｈｉ  Ｔａｎａｋａ，  Ｍｉｋａ  Ｈａｙａｋａｗａ，  ａｎｄ  Ｔａｋａｙｕｋｉ  Ｏｚａｗａ，  Ａｕｔｏｍａｔｅｄ  Ｓｅｑｕｅｎｃｉｎｇ  ｏｆ  Ｍｉｔｏｃｈｏｎｄｒｉａｌ  ＤＮＡ，  Ｍｅｔｈｏｄｓ  ｉｎ  Ｅｎｚｙｍｏｌｏｇｙ，  Ｖｏｌｕｍｅ  ２６４，  ４０７−４２１，１９９６：特開平１１−１１３５９７号公報）、１度目のＰＣＲ（ｐｏｌｙｍｅｒａｓｅ  ｃｈａｉｎ  ｒｅａｃｔｉｏｎ，１ｓｔ  ＰＣＲ）で６つの断片を増幅し、その後、２度目のＰＣＲ（２ｎｄ  ＰＣＲ）で互いにオーバーラップする６０の領域を増幅した。
【００２１】
すなわち、ミトコンドリアゲノムは、表１に示したプライマー対（Ｌ１およびＨ１プライマー）を用いたＰＣＲ法により、約３．０ｋｂの領域（フラグメントＡ〜Ｆ）として増幅した。各プライマーの塩基配列は、次の通りである（なお、表１に記載されているプライマーのうち、Ｌ５５４５，ＦＬ８０５３，ＦＬ８６３５，ＦＬ９２１３，ＦＬ１２６００，ＦＬ１６２２１，Ｈ３０８２，Ｈ９２３５，Ｈ３４２を除く各プライマーの塩基配列は、上記既報に開示されているので、重複を避けるため記載を省略する）。Ｌ５５４５は、５’−ＡＣＡＧＣＴＡＡＧＧＡＣＴＧＣＡＡＡＡＣ−３’  （配列番号１）、ＦＬ８０５３は、５’−ＴＧＴＡＡＡＡＣＧＡＣＧＧＣＣＡＧＴＡＣＡＡＧＡＣＧＴＣＴＴＧＣＡＣＴＣＡＴ−３’（配列番号２）、ＦＬ８６３５は、５’−ＴＧＴＡＡＡＡＣＧＡＣＧＧＣＣＡＧＴＣＴＣＡＴＣＡＡＣＡＡＣＣＧＡＣＴＡＡＴ−３’（配列番号３）、ＦＬ９２１３は、５’−ＴＧＴＡＡＡＡＣＧＡＣＧＧＣＣＡＧＴＣＡＣＣＡＡＴＣＡＣＡＴＧＣＣＴＡＴＣＡ−３’（配列番号４）、ＦＬ１２６００は、５’−ＴＧＴＡＡＡＡＣＧＡＣＧＧＣＣＡＧＴＡＴＴＣＡＴＣＣＣＴＧＴＡＧＣＡＴＴＧＴ−３’（配列番号５）、ＦＬ１６２２１は、５’−ＴＧＴＡＡＡＡＣＧＡＣＧＧＣＣＡＧＴＣＣＣＴＣＡＡＣＴＡＴＣＡＣＡＣＡＴＣＡ−３’（配列番号６）、Ｈ３０８２は、５’−ＴＡＧＡＡＡＣＣＧＡＣＣＴＧＧＡＴＴＡＣ−３’（配列番号７）、Ｈ９２３５は、５’−ＴＣＡＴＧＧＧＣＴＧＧＧＴＴＴＴＡＣＴＡ−３’（配列番号８）、Ｈ３４２は、５’−ＴＴＴＴＴＧＧＧＧＴＴＴＧＧＣＡＧＡＧＡ−３’（配列番号９）である。
【００２２】
【表１】
2004298084.tif 000002
【００２３】
ＰＣＲ法の条件は、９４℃で５分間の熱変性から開始し、９４℃で１５秒の熱変性、６０℃で１５秒のアニーリング、および７２℃で３分の伸長反応を４０サイクル行い、最後に７２℃で１０分の伸長反応を行った。１ｓｔ  ＰＣＲ増幅産物は、１％アガロースゲルで電気泳動した後、エチジウムブロマイドで視覚化することにより確認した。その後、フラグメントＡ〜Ｆを表１に示したプライマー対（ＦＬ２およびＨ２プライマー）を用いたＰＣＲ法により、約６００〜１０００ｂｐの６０の小領域に分けて増幅した（２ｎｄ  ＰＣＲ）。２ｎｄ  ＰＣＲのフォーワード（Ｆｏｒｗｏｒｄ）プライマーは、３８塩基のオリゴヌクレオチドであり、２０塩基のＬ鎖特異的な配列の５’末端側に、ユニバーサルシークエンスプライマー（−２１Ｍ１３  ，  ５’−ＴＧＴＡＡＡＡＣＧＡＣＧＧＣＣＡＧＴ−３’：配列番号１０）の配列１８塩基を結合したものである。ＰＣＲ法の条件は、９４℃で１５秒の熱変性、６０℃で１５秒のアニーリング、および７２℃で３分の伸長反応を４０サイクル行い、その後７２℃で１０分の伸長反応を行った。これらの２ｎｄ  ＰＣＲ  ＤＮＡは、ＭｕｌｔｉＳｃｒｅｅｎーＰＣＲプレート（Ｍｉｌｌｉｐｏｒｅ，  Ｂｅｄｆｏｒｄ，  ＭＡ）を用いて精製した。精製後のＤＮＡの質は、Ｒｅａｄｙ−Ｔｏ−Ｒｕｎ  Ｓｅｐａｒａｔｉｏｎ  Ｕｎｉｔ（Ａｍｅｒｓｈａｍ  Ｐｈａｒｍａｃｉａ  Ｂｉｏｔｅｃｈ  ＡＢ，  Ｓａｎ  Ｆｒａｎｃｉｓｃｏ，  ＣＡ）を用いたエチジウムブロマイドを含む１．５％アガロースゲル電気泳動で確認した。
【００２４】
シークエンス反応は、２ｎｄ  ＰＣＲ  ＤＮＡ、−２１Ｍ１３ユニバーサルプライマー、およびＢｉｇＤｙｅ  Ｔｅｒｍｉｎａｔｏｒ  Ｃｙｃｌｅ  Ｓｅｑｕｅｎｃｅ  Ｒｅａｄｙ  Ｒｅａｃｔｉｏｎ  Ｋｉｔ  １．０または３．０  （Ａｐｐｌｉｅｄ  Ｂｉｏｓｙｓｔｅｍｓ，  Ｆｏｓｔｅｒ  Ｃｉｔｙ，  ＣＡ）を用いて行った。ＰＣＲ条件は、まず９６℃で５分間の熱変性をし、次に９６℃で１０秒の熱変性、５０℃で５秒のアニーリング、および６２℃で３分の伸長反応を２５サイクル行い、最後に６２℃で３分の伸長反応を行った。シークエンス反応の後、過剰なＤｙｅ  ＴｅｒｍｉｎａｔｏｒをＭｕｌｔｉＳｃｒｅｅｎ−ＰＣＲ  ＨＶプレート（Ｍｉｌｌｉｐｏｒｅ）を用いたゲルろ過によって除去した。精製されたＤＮＡサンプルは、乾燥させた後にｔｅｍｐｌａｔｅ  ｓｕｐｐｒｅｓｓｉｏｎ  ｒｅａｇｅｎｔ  （ＴＳＲ，  Ａｐｐｌｉｅｄ  Ｂｉｏｓｙｓｔｅｍｓ）、またはホルムアミド  （Ａｐｐｌｉｅｄ  Ｂｉｏｓｙｓｔｅｍｓ）に溶解させた。溶解させたＤＮＡサンプルは、９５℃で２分間熱変性させ、直ちに氷上に移した。ＤＮＡシークエンスは、自動ＤＮＡシークエンサー３１０または３７７（Ａｐｐｌｉｅｄ  Ｂｉｏｓｙｓｔｅｍｓ）を用いて分析した。
【００２５】
シークエンス解析は、Ｓｅｑｕｅｎｃｉｎｇ  Ａｎａｌｙｓｉｓ  Ｐｒｏｇｒａｍ  ｖｅｒｓｉｏｎ  ４．１  （Ａｐｐｌｉｅｄ  Ｂｉｏｓｙｓｔｅｍｓ）を用いて行った。シークエンス断片は、シークエンス解析ソフトウェアＳｅｑｕｅｎｃｈｅｒ  ３．１．１  （Ｇｅｎｅ  Ｃｏｄｅｓ，  Ａｎｎ  Ａｒｂｏｒ，  ＭＩ）を用いて整列させ、一塩基変異多型（以下、「ＳＮＰ」（ｓｉｎｇｌｅ  ｎｕｃｌｅｏｔｉｄｅ  ｐｏｌｙｍｏｒｐｈｉｓｍｓ）という）の場所の同定に用いた。各々のＳＮＰは目で再確認した。なお、ＤＮＡの増幅は、互いにオーバーラップさせたので、少なくても２つの領域で各々のＳＮＰを確認した。
各々のｍｔＤＮＡ配列は、オリジナルケンブリッジリファレンスシークエンス（ｏＣＲＳ）及び改訂版ケンブリッジリファレンスシークエンス（ｒＣＲＳ）（Ａｎｄｒｅｗｓ  Ｒ．Ｍ．，  Ｋｕｂａｃｋａ  Ｉ．，  Ｃｈｉｎｎｅｒｙ  Ｐ．Ｆ．，  Ｌｉｇｈｔｏｗｌｅｒｓ  Ｒ．Ｎ．，  Ｔｕｒｎｂｕｌｌ  Ｄ．Ｍ．，  Ｈｏｗｅｌｌ  Ｎ．  Ｒｅａｎａｌｙｓｉｓ  ａｎｄ  ｒｅｖｉｓｉｏｎ  ｏｆ  ｔｈｅ  Ｃａｍｂｒｉｄｇｅ  ｒｅｆｅｒｅｎｃｅ  ｓｅｑｕｅｎｃｅ  ｆｏｒ  ｈｕｍａｎ  ｍｉｔｏｃｈｏｎｄｒｉａｌ  ＤＮＡ．  Ｎａｔ  Ｇｅｎｅｔ  １９９９；  ２３：  １４７．）と比較した。
【００２６】
＜結果＞
１．日本人におけるコンセンサスシークエンス（Ｊａｐａｎｅｓｅ  ｃｏｎｓｅｎｓｕｓ  ｓｅｑｕｅｎｃｅ  （ＪＣＳ））
本研究において、ＳＮＰはｒＣＲＳとの比較により解析したが、その頻度が１００％、若しくはそれに近い場合には、その塩基配列を日本人におけるコンセンサスシークエンス（ＪＣＳ）とし、標準塩基配列として用いた（表２）。
【００２７】
【表２】
2004298084.tif 000003
【００２８】
２．ホモプラスミーおよびヘテロプラスミー
本研究において、多型は血液細胞から抽出したＤＮＡを用いたＰＣＲ増幅産物のダイレクトシークエンスにより解析したものである。したがって、クロマトグラムの各々のピークは、ｍｔＤＮＡの最も主要な配列である。また、検出された塩基置換は、分裂終了細胞で新たに蓄積した変異に起因するものではなく、母性遺伝によって伝えられた塩基置換である。肥満者および非肥満者で検出された塩基置換は、肥満者で検出された２カ所の塩基置換を除けば全てがホモプラスミーであった。肥満者で検出されたＭｔ１０２３５Ｔ→Ｃ  （ＮＤ３）、および  Ｍｔ１５４５５Ｃ→Ｔ  （Ｃｙｔｂ，  Ｌｅｕ２３７Ｐｈｅ）はヘテロプラスミーだと思われた。
【００２９】
３．塩基置換、挿入、および欠失数について
９６名の若年肥満者において、ミトコンドリアゲノム全体で５２１個の多型が見つかり、蛋白質コーディング領域では３１９カ所に多型があった。その内、２２４カ所（７０．２％）は同義置換（ｓｙｎｏｎｙｍｏｕｓ  ｓｕｂｓｔｉｔｕｔｉｏｎ；塩基置換がアミノ酸の置換を伴わないもの）であり、９５カ所（２９．８％）は非同義置換（ｎｏｎｓｙｎｏｎｙｍｏｕｓ  ｓｕｂｓｔｉｔｕｔｉｏｎ；塩基配列がアミノ酸の置換を伴うもの）であった。また、２個のｒＲＮＡ及び２２個のｔＲＮＡの塩基置換（置換、挿入、および欠失）は、それぞれ４８ヶ所、及び２３カ所で認められた。さらに、非コーディング領域においては、１３０カ所に多型が見つかり、Ｌ鎖複製開始領域で、この多型があった。
【００３０】
年齢が一致した９６名の若年非肥満者において、ミトコンドリアゲノム全体で５５２個の多型が見つかり、蛋白質コーディング領域では３５０カ所に多型があった。その内、２４０カ所（６８．６％）が同義置換であり、１１０カ所（３１．４％）が非同義置換であった。また、２個のｒＲＮＡ及び２２個のｔＲＮＡの塩基変異（置換、挿入、および欠失）は、それぞれ４２ヶ所、及び３２カ所で認められた。さらに、非コーディング領域においては、１２８カ所に多型が見つかった。
【００３１】
表３〜表２１には、コーディング領域、非コーディング領域、及びＲＮＡ遺伝子領域において、肥満者（Ｏｂｅｓｅ）及び非肥満者（Ｎｏｎ−ｏｂｅｓｅ）に確認された変異（置換、挿入、及び欠失）の全てを示した。
すなわち、（１）タンパク質コーディング領域において、肥満群（Ａ）および非肥満群（Ｂ）の間に生じた同義置換の頻度比較について、表３〜表１０に示した。
（２）タンパク質コーディング領域において、非同義置換の頻度について、表１１〜表１４に示した。
（３）肥満者群及び非肥満者群の両群から検出されたメジャー非コード領域（Ｍａｊｏｒ  ｎｏｎ−ｃｏｄｉｎｇ  ｒｅｇｉｏｎ）、およびマイナー非コード領域（Ｍｉｎｏｒ  ｎｏｎ−ｃｏｄｉｎｇ  ｒｅｇｉｏｎ）における塩基置換を表１５〜表１８に示した。
（４）また、肥満群（Ａ）および非肥満群（Ｂ）の両群から検出された２個のｒＲＮＡ、及び２２個のｔＲＮＡにおける塩基置換について、表１９〜表２１に示した。
なお、表中、「Ｖａｒｉａｎｔ  ｆｒｅｑｕｅｎｃｙ」は変異度（全９６例中のうち、変異したｍｔＤＮＡを有していた数）を、「Ｏｄｄｓ  ｒａｔｉｏ」はオッズ比を、「Ｐ  ｖａｌｕｅ」はＰ値を示す。また、肥満者と非肥満者との間に、危険率５％未満で有意さが認められた変異については「＃」を、危険率１％未満で有意さが認められた変異については「＃＃」を付した。
【００３２】
【表３】
2004298084.tif 000004
【００３３】
【表４】
2004298084.tif 000005
【００３４】
【表５】
2004298084.tif 000006
【００３５】
【表６】
2004298084.tif 000007
【００３６】
【表７】
2004298084.tif 000008
【００３７】
【表８】
2004298084.tif 000009
【００３８】
【表９】
2004298084.tif 000010
【００３９】
【表１０】
2004298084.tif 000011
【００４０】
【表１１】
2004298084.tif 000012
【００４１】
【表１２】
2004298084.tif 000013
【００４２】
【表１３】
2004298084.tif 000014
【００４３】
【表１４】
2004298084.tif 000015
【００４４】
【表１５】
2004298084.tif 000016
【００４５】
【表１６】
2004298084.tif 000017
【００４６】
【表１７】
2004298084.tif 000018
【００４７】
【表１８】
2004298084.tif 000019
【００４８】
【表１９】
2004298084.tif 000020
【００４９】
【表２０】
2004298084.tif 000021
【００５０】
【表２１】
2004298084.tif 000022
【００５１】
４．Ｌ鎖複製開始点の塩基置換
２名の高度肥満者（ＢＭＩ  ３６．０および３６．７  ｋｇ／ｍ２）でＬ鎖複製開始点の近傍にＭｔ５７４４Ｇ→Ａが認められた（表１６）。この置換は非肥満群では検出されなかった。
【００５２】
５．肥満に関連する非同義置換
非肥満群より肥満群で頻度の高い非同義置換を表２２に示した。
【００５３】
【表２２】
2004298084.tif 000023
【００５４】
６．るい痩に関連する非同義置換
非肥満群より肥満群で頻度の小さい非同義置換を表２３に示した。
【００５５】
【表２３】
2004298084.tif 000024
【００５６】
７．肥満群でのみ認められた頻度の低いアミノ酸置換
肥満群でのみ認められた頻度の低いアミノ酸置換を表２４に示した。この表に示すように、３９個のアミノ酸置換は非肥満群で検出されず肥満群でのみ検出された。これらの置換のうち、１３個のアミノ酸置換は６種の哺乳類（ラット、マウス、ウシ、アザラシ、クジラ、ヒト）で保存されている部位で生じており、残りの２６個のアミノ酸置換は保存されていない部位で生じていた。Ａ３３９５Ｇ  （ＮＤ１，  Ｔｙｒ３０Ｃｙｓ）、Ａ１２０２６Ｇ  （ＮＤ４，  Ｉｌｅ４２３Ｖａｌ）、および  Ｔ１４３２５Ｃ  （ＮＤ６，  Ａｓｎ１１７Ａｓｐ）の３つのアミノ酸置換は、２例の肥満者で検出された。また、その他のアミノ酸置換は１例でのみ検出された。これらのアミノ酸置換は肥満に関連しているかもしれないが、これら多型の肥満への寄与を考察するためには、さらなる疫学的研究が必要である。
【００５７】
【表２４】
2004298084.tif 000025
【００５８】
８．非肥満群でのみ認められた頻度の低いアミノ酸置換
さらに、表２５に示すように、５４個のアミノ酸置換は、肥満群で検出されず非肥満群でのみ検出された。これらの置換のうち、１９個のアミノ酸置換は上記６種の哺乳類で保存されている部位で生じており、残りの３５個のアミノ酸置換は保存されていない部位で生じていた。また、８個のアミノ酸置換は２例以上の非肥満で検出された。Ａ１５２１８Ｇ  （Ｃｙｔｂ，  Ｔｈｒ１５８Ａｌａ）は４例で、Ｔ４７０５Ｃ  （ＮＤ２，  Ｍｅｔ７９Ｔｈｒ）は３例で、Ｇ３３９１Ａ  （ＮＤ１，  Ｇｌｙ２９Ｓｅｒ）、Ｃ５２６３Ｔ  （ＮＤ２，  Ａｌａ２６５Ｖａｌ）、Ｃ８６８４Ｔ  （ＡＴＰ６，  Ｔｈｒ５３Ｉｌｅ）、Ｔ８７０５Ｃ  （ＡＴＰ６，  Ｍｅｔ６０Ｔｈｒ）、Ａ１３７４８Ｇ  （ＮＤ５，  Ａｓｎ４７１Ｓｅｒ）、およびＡ１４００２Ｇ  （ＮＤ５，  Ｔｈｒ５５６Ａｌａ）は２例で認められた。その他のアミノ酸置換は１例でのみ検出された。これらのアミノ酸置換は、るい痩に関連しているかもしれないが、これら多型のるい痩への寄与を考察するためには、さらなる疫学的研究が必要である。
【００５９】
【表２５】
2004298084.tif 000026
【００６０】
＜考察＞
図２及び図３には、従来のミトコンドリアＤＮＡに関する研究から判明しているハプログループ及び、今回の我々の研究によって判明したハプログループを含むヒトミトコンドリアＤＮＡの系統樹を示した。
このように、我々の大規模の研究において、各々９６名の肥満者および非肥満者のミトコンドリアゲノム全塩基配列（１６５６９塩基対）を決定した結果、ハプログループ（Ｈａｐｌｏｇｒｏｕｐ）Ｍ７ｂ２（図２中、左端側のＭ７分枝に見出された。図４を併せて参照。）及びハプログループＡ１ａ（図３中、右端側のＡ分枝に見出された。図５を併せて参照。）は若年の肥満に、ハプログループＦ（図３中、左端側のＦ分枝に見出された。図６を併せて参照。）は若年のるい痩に関連していることが判明した（表２６を参照）。
【００６１】
【表２６】
2004298084.tif 000027
【００６２】
互いに連鎖した１０個の塩基置換の頻度は、非肥満群より肥満群で有意に高かった。これらの塩基置換はハプログループＭ７ｂ２に分類された。これらは５つの同義置換Ｍｔ４１６４Ａ→Ｇ  （ＮＤ１），  Ｍｔ５３５１Ａ→Ｇ  （ＮＤ２），  Ｍｔ６６８０Ｔ→Ｃ  （ＣＯ１），  Ｍｔ７６８４Ｔ→Ｃ  （ＣＯ２），  ａｎｄ  Ｍｔ１２４０５Ｃ→Ｔ  （ＮＤ５）、および５つの非同義置換Ｍｔ４０４８Ｇ→Ａ  （ＮＤ１，  Ａｓｐ２４８Ａｓｎ），  Ｍｔ５４６０Ｇ→Ａ  （ＮＤ２，  Ａｌａ３３１Ｔｈｒ），  Ｍｔ７８５３Ｇ→Ａ  （ＣＯ２，  Ｖａｌ９０Ｉｌｅ），  Ｍｔ１０３４５Ｔ→Ｃ  （ＮＤ３，  Ｉｌｅ９６Ｔｈｒ）  ａｎｄ  Ｍｔ１２８１１Ｔ→Ｃ  （ＮＤ５，  Ｔｙｒ１５９Ｈｉｓ）が代表的なものであった。５つの非同義置換のうち、４つはＮＡＤＨデヒドロゲナーゼ（ＮＡＤＨ  ｄｅｈｙｄｒｏｇｅｎａｓｅ）に、また残りの１つはシトクロームｃオキシダーゼ（ｃｙｔｏｃｈｒｏｍｅ  ｃ  ｏｘｉｄａｓｅ）のサブユニットに生じていた。これらのアミノ酸置換は、哺乳類において保存されていなかった。これらのアミノ酸置換がＮＡＤＨデヒドロゲナーゼ、またはシトクロームｃオキシダーゼの機能的相違に寄与しているか否かは未解決である。
【００６３】
ＫｐｎＩ制限酵素サイトとハプログループＭ７ｂ２
Ｍｔ１２８１１Ｔ→Ｃを保有する全ての被験者は、Ｄループ（Ｄ−ｌｏｏｐ）におけるＭｔ１６１２９Ｇ→Ａを保有しており、このＭｔ１６１２９Ｇ→Ａにより１６１３３番目の塩基においてＫｐｎＩ制限酵素サイトの切断部位となる。リベラらは、５６７名の糖尿病に罹患していない白人成人女性のＢＭＩに及ぼすＤループの１６１３３  番目のＫｐｎＩ制限酵素サイトの影響を検討し、ＫｐｎＩ制限酵素サイトの多型は肥満の決定因子でないと結論付けている。本研究の分析において、Ｇ１６１２９ＡはハプログループＭ７ｂ２群の被験者だけでなく、他のハプログループＦ１ｂ、Ｎ９ａ、Ｍ７ｃ、およびＭ１０群の被験者にも認められ、Ｇ１６１２９Ａ頻度は肥満群および非肥満群とも同一であった（９６名中１１名）。これらの結果は、Ｇ１６１２９Ａの結果としてのＫｐｎＩ制限酵素サイトは肥満に関連する遺伝的マーカーとして適切でないことが明らかになった。
【００６４】
また、表２６に示すように、ハプログループＭ７ａは、るい痩に関連する傾向を示した。
Ｍｔ２６２６Ｔ→Ｃ  （１６Ｓ  ｒＲＮＡ）の頻度は非肥満群より肥満群で低値傾向を示した（９６例中５例対９６例中１０例、  ＯＲ＝０．４７３、  ｐ＝０．１４１）。また、互いに連鎖した３つのＳＮＰであるＭｔ  ２７７２Ｃ→Ｔ  （１６Ｓ  ｒＲＮＡ）、Ｍｔ４９５８Ａ→Ｇ  （ＮＤ２）、およびＭｔ１２７７１Ｇ→Ａ  （ＮＤ５）は、非肥満群より肥満群で低値傾向を示した（９６例中４例対９６例中１０例、  ＯＲ＝０．３７４、  ｐ＝０．０８２）。さらに、Ｍｔ４３８６Ｔ→Ｃ  （ｔＲＮＡ−Ｇｌｎ）の頻度においても非肥満群に比較し肥満群で低値傾向であった（９６例中４例対９６例中１１例、  ＯＲ＝０．３３６、  ｐ＝０．０５２）。これらの塩基置換は、ハプログループＭ７ａに分類された。バムシャッドら［Ｂａｍｓｈａｄ  Ｍ，  Ｋｉｖｉｓｉｌｄ  Ｔ，  Ｗａｔｋｉｎｓ  ＷＳ，  Ｄｉｘｏｎ  ＭＥ，  Ｒｉｃｋｅｒ  ＣＥ，  Ｒａｏ  ＢＢ，  Ｎａｉｄｕ  ＪＭ，  Ｐｒａｓａｄ  ＢＶ，  Ｒｅｄｄｙ  ＰＧ，  Ｒａｓａｎａｙａｇａｍ  Ａ，  Ｐａｐｉｈａ  ＳＳ，  Ｖｉｌｌｅｍｓ  Ｒ，  Ｒｅｄｄ  ＡＪ，  Ｈａｍｍｅｒ  ＭＦ，  Ｎｇｕｙｅｎ  ＳＶ，  Ｃａｒｒｏｌｌ  ＭＬ，  Ｂａｔｚｅｒ  ＭＡ，  Ｊｏｒｄｅ  ＬＢ  （２００１）  Ｇｅｎｅｔｉｃ  ｅｖｉｄｅｎｃｅ  ｏｎ  ｔｈｅ  ｏｒｉｇｉｎｓ  ｏｆ  Ｉｎｄｉａｎ  ｃａｓｔｅ  ｐｏｐｕｌａｔｉｏｎｓ．  Ｇｅｎｏｍｅ  Ｒｅｓ  １１：９９４−１００４．］の定義によれば、ハプログループＭ７は、１６２０９番目の転位によりハプログループＭ７ａに分類され、１６２９７番目の転位によりハプログループＭ７ｂに分類される。ヤオらはＭ７に分類される基本的なものとして１９９および９８２４番目の塩基置換を指定した［Ｙａｏ  ＹＧ，  Ｋｏｎｇ  ＱＰ，  Ｂａｎｄｅｌｔ  ＨＪ，  Ｋｉｖｉｓｉｌｄ  Ｔ，  Ｚｈａｎｇ  ＹＰ  （２００２）  Ｐｈｙｌｏｇｅｏｇｒａｐｈｉｃ  ｄｉｆｆｅｒｅｎｔｉａｔｉｏｎ  ｏｆ  ｍｉｔｏｃｈｏｎｄｒｉａｌ  ＤＮＡ  ｉｎ  Ｈａｎ  Ｃｈｉｎｅｓｅ．  Ａｍ  Ｊ  Ｈｕｍ  Ｇｅｎｅｔ  ７０：６３５−５１．］。しかしながら、我々の分子系統解析においては、１９９はＭ７ｂおよびＭ７ｃの下位集団でのみ保有していたが、ハプログループＭ７に分類される蛋白コーディング領域の基礎的な塩基置換として２つの同義置換Ｍｔ６４５５Ｃ→Ｔ  （ＣＯ１）およびＭｔ９８２４Ｔ→Ｃ  （ＣＯ３）を保有していることが明らかになった。このように、Ｍｔ１２７７１Ｇ→Ａ  （ＮＤ５）によって特徴付けられたハプログループＭ７ａと、Ｍｔ１２８１１Ｔ→Ｃによって特徴付けられたハプログループＭ７ｂ２の区別は、肥満またはるい痩のなりやすさを予測するのに重要であろう。
また、ハプログループＡ１ａは、肥満と関連することが明らかとなった（表２７を参照）。
【００６５】
【表２７】
2004298084.tif 000028
【００６６】
５つの互いに連鎖した同義置換  Ｍｔ４６５５Ｇ→Ａ  （ＮＤ２），  Ｍｔ１０８０１Ｇ→Ａ  （ＮＤ４），  Ｍｔ１１６４７Ｃ→Ｔ  （ＮＤ４），  ａｎｄ  Ｍｔ１４９４４Ｃ→Ｔ  （Ｃｙｔｂ）、及び１つの挿入Ｍｔ２１５１  ｉｎｓ  Ａ  （１６Ｓ  ｒＲＮＡ）の頻度は、非肥満群より肥満群で有意な高値であった（但し、Ｍｔ４６５５Ｇ→Ａ  と  Ｍｔ１１６４７Ｃ→Ｔについては、９６例中８例対９６例中２例（ＯＲ＝４．２７，  ｐ＝０．０５）であり、Ｍｔ１０８０１Ｇ→Ａについては、９６例中７例対９６例中１例（ＯＲ＝７．４７，  ｐ＝０．０３２）であり、Ｍｔ１４９４４Ｃ→Ｔについては、９６例中８例対９６例中１例（ＯＲ＝８．６３，  ｐ＝０．０１７）であった）。このハプログループは、Ａ１ａである。当初、ハプログループＡは、トローニらによって６６３個のＨａｅＩＩＩ制限酵素断片で分類していた［Ｔｏｒｒｏｎｉ，  Ａ．，  Ｓｃｈｕｒｒ，  Ｔ．  Ｇ．，  Ｙａｎｇ，  Ｃ．，  Ｓｚａｔｈｍａｒｙ，  Ｅ．  Ｊ．  Ｅ．，  Ｗｉｌ−ｌｉａｍｓ，Ｒ．  Ｃ．，  Ｓｃｈａｎｆｉｅｌｄ，  Ｍ．  Ｓ．，  Ｔｒｏｕｐ，  Ｃ．  Ａ．，  Ｋｎｏｗｌｅｒ，  Ｗ．  Ｃ．，Ｌａｗｒｅｎｃｅ，  Ｄ．  Ｎ．，  Ｗｅｉｓｓ，  Ｋ．  Ｍ．，  Ｗａｌｌａｃｅ，  Ｄ．  Ｃ．，  Ｇｅｎｅｔｉｃｓ  １９９２，  １３０，  １５３−１６２．］。ＨａｅＩＩＩ制限酵素サイトＭｔ６６３Ａ→Ｇの頻度は、非肥満群より肥満群で高値傾向を呈した（９６例中９例対９６例中４例，  ＯＲ＝２．３８，  ｐ＝０．１２５）。最近、ハプログループＡ１及びＡ２は、それぞれＨＶＳＩモチーフでの１６２２３＋１６２９０＋１６３１９および１６１１１＋１６２２３＋１６２９０＋１６３１９で分類できることがフォルスターらによって定義された［Ｆｏｒｓｔｅｒ  Ｐ，  Ｈａｒｄｉｎｇ  Ｒ，  Ｔｏｒｒｏｎｉ  Ａ，  Ｂａｎｄｅｌｔ  ＨＪ  （１９９６）  Ｏｒｉｇｉｎ  ａｎｄ  ｅｖｏｌｕｔｉｏｎ  ｏｆ  Ｎａｔｉｖｅ  Ａｍｅｒｉｃａｎ  ｍｔＤＮＡ  ｖａｒｉａｔｉｏｎ：  ａ  ｒｅａｐｐｒａｉｓａｌ．  Ａｍ  Ｊ  Ｈｕｍ  Ｇｅｎｅｔ  ５９：９３５−４５．］。
【００６７】
本研究によれば、日本人においては、３つの塩基置換、つまりＭｔ４６５５Ｇ→Ａ  （ＮＤ２）、Ｍｔ８５６３Ａ→Ｇ  （ＡＴＰ６，  Ｔｈｒ１３Ａｌａ）、およびＭｔ１１６４７Ｃ→Ｔ  （ＮＤ４）の多型により、ハプログループＡ１が２つに分けられた。本発明者は、Ｍｔ１１５３６Ｃ→Ｔ  （ＮＤ４）、Ｍｔ１４９４４Ｃ→Ｔ  （Ｃｙｔｂ）、およびＭｔ１６１８７  （Ｄ−ｌｏｏｐ）（但し、Ｍｔ１６１８７は、高頻度変異領域２（ＨＶＲ２）である）で塩基置換が認められたハプログループをＡ１ａと定義した。
表２８には、るい痩に関連することが判明したハプログループＦのＳＮＰについてまとめた。
【００６８】
【表２８】
2004298084.tif 000029
【００６９】
４つの互いに連鎖したＳＮＰ、すなわち２つの非同義置換Ｍｔ１２４０６Ｇ→Ａ  （ＮＤ５，  Ｖａｌ２４Ｉｌｅ）及びＭｔ１３９２８Ｇ→Ｃ  （ＮＤ５，  Ｓｅｒ５３１Ｔｈｒ）、並びに２つの同義置換Ｍｔ３９７０Ｃ→  Ｔ  （ＮＤ１）及びＭｔ４０８６Ｃ→Ｔ  （ＮＤ１）の塩基置換頻度は、非肥満群に比較し肥満群で有意な低値であった。我々は、これらのＳＮＰをハプログループＦ１ｂと仮に命名した。当初、ハプログループＦは、バリンジャーらによって、グループＡと定義されたが［Ｂａｌｌｉｎｇｅｒ  ＳＷ，  Ｓｃｈｕｒｒ  ＴＧ，  Ｔｏｒｒｏｎｉ  Ａ，  Ｇａｎ  ＹＹ，  Ｈｏｄｇｅ  ＪＡ，  Ｈａｓｓａｎ  Ｋ，  Ｃｈｅｎ  ＫＨ，  Ｗａｌｌａｃｅ  ＤＣ  （１９９２）  Ｓｏｕｔｈｅａｓｔ  Ａｓｉａｎ  ｍｉｔｏｃｈｏｎｄｒｉａｌ  ＤＮＡ  ａｎａｌｙｓｉｓ  ｒｅｖｅａｌｓ  ｇｅｎｅｔｉｃ  ｃｏｎｔｉｎｕｉｔｙ  ｏｆ  ａｎｃｉｅｎｔ  ｍｏｎｇｏｌｏｉｄ  ｍｉｇｒａｔｉｏｎｓ．  Ｇｅｎｅｔｉｃｓ  １３０：１３９−５２．］その後、トローニらによって、ハプログループＦと改名された［Ｔｏｒｒｏｎｉ  Ａ，  Ｍｉｌｌｅｒ  ＪＡ，  Ｍｏｏｒｅ  ＬＧ，  Ｚａｍｕｄｉｏ  Ｓ，  Ｚｈｕａｎｇ  Ｊ，  Ｄｒｏｍａ  Ｔ，  Ｗａｌｌａｃｅ  ＤＣ  （１９９４）  Ｍｉｔｏｃｈｏｎｄｒｉａｌ  ＤＮＡ  ａｎａｌｙｓｉｓ  ｉｎ  Ｔｉｂｅｔ：  ｉｍｐｌｉｃａｔｉｏｎｓ  ｆｏｒ  ｔｈｅ  ｏｒｉｇｉｎ  ｏｆ  ｔｈｅ  Ｔｉｂｅｔａｎ  ｐｏｐｕｌａｔｉｏｎ  ａｎｄ  ｉｔｓ  ａｄａｐｔａｔｉｏｎ  ｔｏ  ｈｉｇｈ  ａｌｔｉｔｕｄｅ．  Ａｍ  Ｊ  Ｐｈｙｓ  Ａｎｔｈｒｏｐｏｌ†９３：１８９−９９．］。このハプログループは、Ｍｔ１２４０６Ｇ→ＡによりＨｉｎｃＩＩおよびＨｐａＩの制限酵素サイトとなる。ハプログループＦは、南方アジアで特に高率である［Ｂａｌｌｉｎｇｅｒ，  １９９２  、前出］。
本研究において、ハプログループＦ１ｂは、日本人のるい痩と関連していることが明らかとなった。ハプログループＦ１ｂに関係した２つのアミノ酸置換（Ｓｅｒ５３１ＴｈｒおよびＶａｌ２４Ｉｌｅ）は、Ｃｏｍｐｌｅｘ  ＩのＮＤ５サブユニット中にある。これらのアミノ酸残基は哺乳類で保存されておらず、このアミノ酸置換が機能的違いに影響を及ぼしているかを解明するためにさらなる研究が必要である（図７を参照）。
【００７０】
表２９には、肥満に関連する傾向があることが判明したハプログループＤ４ｄと、るい痩に関連する傾向があることが判明したハプログループＤ４ｂとのＳＮＰについてまとめた。
【００７１】
【表２９】
2004298084.tif 000030
【００７２】
ハプログループＤ４ｄにおいては、Ｍｔ８５６Ａ→Ｇ  （１２Ｓ  ｒＲＮＡ）およびＭｔ１４６９２Ａ→Ｇ  （ｔＲＮＡ−Ｇｌｎ）の頻度は、非肥満群（９６例中０例）と比較し、肥満群（９６例中４例）で高値を示す傾向があった。このＭｔ８５６Ａ→Ｇ  （１２Ｓ  ｒＲＮＡ）およびＭｔ１４６９２Ａ→Ｇ  （ｔＲＮＡ−Ｇｌｎ）は、Ｍｔ５１７８  Ｃ→Ａ  （ＮＤ２，  Ｌｅｕ２３７Ｍｅｔ  ）と強く連鎖していた。
ハプログループＤ４ｂにおいては、Ｍｔ１５５２４Ａ→Ｇ  （Ｃｙｔｂ，  Ａｓｎ２６０Ａｓｐ）の頻度は、非肥満群（９６例中６例）に比較して肥満群（９６例中１例）で低値傾向にあった。このＭｔ１５５２４Ａ→Ｇ  （Ｃｙｔｂ，  Ａｓｎ２６０Ａｓｐ）は、Ｍｔ５１７８  Ｃ→Ａ  （ＮＤ２，  Ｌｅｕ２３７Ｍｅｔ  ）と強く連鎖していた。我々は、Ｍｔ１５５２４Ａ→Ｇ  （Ｃｙｔｂ，  Ａｓｎ２６０Ａｓｐ）は、パーキンソン病患者（９６例中１例）に比べると、百寿者（６４例中４例）でより高頻度であったことを認めている［Ｔａｎａｋａ  Ｍ，  Ｆｕｋｕ  Ｎ，  Ｔａｋｅｙａｓｕ  Ｔ，  Ｇｕｏ  ＬＪ，  Ｈｉｒｏｓｅ  Ｒ，  Ｋｕｒａｔａ  Ｍ，  Ｂｏｒｇｅｌｄ  ＨＪ，  Ｙａｍａｄａ  Ｙ，  Ｍａｒｕｙａｍａ  Ｗ，  Ａｒａｉ  Ｙ，  Ｈｉｒｏｓｅ  Ｎ，  Ｏｓｈｉｄａ  Ｙ，  Ｓａｔｏ  Ｙ，  Ｈａｔｔｏｒｉ  Ｎ，  Ｍｉｚｕｎｏ  Ｙ，  Ｉｗａｔａ  Ｓ，  Ｙａｇｉ  Ｋ  （２００２）  Ｇｏｌｄｅｎ  ｍｅａｎ  ｔｏ  ｌｏｎｇｅｖｉｔｙ：  Ｒａｒｅｎｅｓｓ  ｏｆ  ｍｉｔｏｃｈｏｎｄｒｉａｌ  ｃｙｔｏｃｈｒｏｍｅ  ｂ  ｖａｒｉａｎｔｓ  ｉｎ  ｃｅｎｔｅｎａｒｉａｎｓ  ｂｕｔ  ｎｏｔ  ｉｎ  ｐａｔｉｅｎｔｓ  ｗｉｔｈ  Ｐａｒｋｉｎｓｏｎ’ｓ  ｄｉｓｅａｓｅ．  Ｊ  Ｎｅｕｒｏｓｃｉ  Ｒｅｓ  ７０：３４７−５５．］。
さらに我々は、先行研究において、Ｍｔ５１７８  Ｃ→Ａ  （ＮＤ２，  Ｌｅｕ２３７Ｍｅｔ  ）が日本人における長寿に関連することを報告している［Ｔａｎａｋａ，  Ｍ．，  Ｇｏｎｇ，  Ｊ．  Ｓ．，  Ｚｈａｎｇ，  Ｊ．，  Ｙｏｎｅｄａ，  Ｍ．，  Ｙａｇｉ，  Ｋ．，  Ｌａｎｃｅｔ  １９９８，  ３５１，１８５−１８６．］。また、この多型は、肥満に関連した疾患である中性脂肪のレベルと関連していることが報告されている［Ｋｏｋａｚｅ  Ａ，  Ｉｓｈｉｋａｗａ  Ｍ，  Ｍａｔｓｕｎａｇａ  Ｎ，  Ｙｏｓｈｉｄａ  Ｍ，  Ｓｅｋｉｎｅ  Ｙ，  Ｔｅｒｕｙａ  Ｋ，  Ｔａｋｅｄａ  Ｎ，  Ｓｕｍｉｙａ  Ｙ，  Ｕｃｈｉｄａ  Ｙ，  Ｔａｋａｓｈｉｍａ  Ｙ  （２００１）  Ａｓｓｏｃｉａｔｉｏｎ  ｏｆ  ｔｈｅ  ｍｉｔｏｃｈｏｎｄｒｉａｌ  ＤＮＡ  ５１７８  Ａ／Ｃ  ｐｏｌｙｍｏｒｐｈｉｓｍ  ｗｉｔｈ  ｓｅｒｕｍ  ｌｉｐｉｄ  ｌｅｖｅｌｓ  ｉｎ  ｔｈｅ  Ｊａｐａｎｅｓｅ  ｐｏｐｕｌａｔｉｏｎ．  Ｈｕｍ  Ｇｅｎｅｔ  １０９：５２１−５．］。本研究において、Ｍｔ５１７８Ａを伴うハプログループＤは、さらに、少なくとも２つのサブグループに分類され、このうちハプログループＤ４ｄは肥満傾向を示し、ハプログループＤ４ｂはるい痩傾向を示すことが判った。
表３０には、肥満に関連するハプログループＢ５のＳＮＰについてまとめた。
【００７３】
【表３０】
2004298084.tif 000031
【００７４】
また、我々は、ミトコンドリアゲノムにおける蛋白コーディング領域の他に、Ｌ鎖複製開始点の塩基配列を解析した。Ｍｔ５７４４Ｃ→Ｔ  置換は、非肥満群では検出されなかったが、肥満者の９６名中２名において検出された。この二人は、日本肥満学会判定基準において、インスリン抵抗性を伴う高度の肥満者であった（ＢＭＩ  ＝  ３６．０および３６．７  ｋｇ／ｍ２）。Ｌ鎖複製開始点は、鳥においては存在しないが［Ｄｅｓｊａｒｄｉｎｓ  Ｐ，  Ｍｏｒａｉｓ  Ｒ  （１９９０）  Ｓｅｑｕｅｎｃｅ  ａｎｄ  ｇｅｎｅ  ｏｒｇａｎｉｚａｔｉｏｎ  ｏｆ  ｔｈｅ  ｃｈｉｃｋｅｎ  ｍｉｔｏｃｈｏｎｄｒｉａｌ  ｇｅｎｏｍｅ．  Ａ  ｎｏｖｅｌ  ｇｅｎｅ  ｏｒｄｅｒ  ｉｎ  ｈｉｇｈｅｒ  ｖｅｒｔｅｂｒａｔｅｓ．  Ｊ  Ｍｏｌ  Ｂｉｏｌ  ２１２：５９９−６３４．］、脊椎動物においては、ｔＲＮＡ−ＣｙｓとｔＲＮＡ−Ａｓｐの間にあるＬ鎖複製開始点はよく保存されている。このようにＬ鎖複製開始点のＭｔ５７４４Ｇ→Ａ多型、すなわち、Ｈ鎖配列でのＣ→Ｔ  置換は高度肥満に関連している有害変異かもしれない。
【００７５】
表３１〜表３６には、ｒＣＲＳと日本人のミトコンドリアＤＮＡとの間において、特に高度に変異が認められた７ヶ所（高頻度変異部位１（ｈｖｒ１−３０３−３１７）を「Ｗ３０３−３１７ｈｖｒ１」、ＣＡリピート（ＣＡ−５１４−５２３）を「Ｗ５１４ｉｎｓＣＡ２」または「Ｗ５１４ｄｅｌＣＡ２」、Ｃストレッチ１（Ｃ１−５６８−５７３）を「Ｗ５６８Ｃｎ−ｉｎｓ」、１２Ｓ  ｒＲＮＡ（９５６−９６５）を「Ｗ９５６Ｃｎ−ｉｎｓ」、Ｃストレッチ２（Ｃ２−５８９５−５８９９）を「Ｗ５８９５Ｃｎ−ｉｎｓ」、９ｂｐ欠失／挿入（９−ｂｐ  ｄｅｌ／ｉｎｓ−８２７２−８２８９）を「Ｗ８２７２−ｄｅｌ」、高頻度変異部位２（ｈｖｒ２−１６１８０−１６１９５）を「Ｗ１６１８０−９５−ｈｖｒ２」）に関する１９２名の塩基配列を示した。
ｒＣＲＳにおける上記各位置の塩基配列は、次の通りである。Ｈｙｐｅｒｖａｒｉａｂｌｅ  ｒｅｇｉｏｎ  １  （３０３−３１７）は「ＣＣＣＣＣＣＣＴＣＣＣＣＣＧＣ（配列番号１１）」、ＣＡ  ｒｅｐｅａｔ  （５１４−５２３）は「ＣＡＣＡＣＡＣＡＣＡ（配列番号１２）」、Ｃ  ｓｔｒｅｔｃｈ  １（５６８−５７３）は「ＣＣＣＣＣＣ（配列番号１３）」、１２Ｓ  ｒＲＮＡ  （９５６−９６５）は「ＣＣＣＣＣＴＣＣＣＣ（配列番号１４）」、Ｃ  ｓｔｒｅｔｃｈ  ２  （５８９５−５８９９）は「ＣＣＣＣＣ（配列番号１５）、９−ｂｐ  ｄｅｌｅｔｉｏｎ／ｉｎｓｅｒｔｉｏｎ  （８２７２−８２８９）は「ＣＣＣＣＣＴＣＴＡＣＣＣＣＣＴＣＴＡ（配列番号１６）」、Ｈｙｐｅｒｖａｒｉａｂｌｅ  ｒｅｇｉｏｎ  ２  （１６１８０−１６１９５）は「ＡＡＡＡＣＣＣＣＣＴＣＣＣＣＡＴ（配列番号１７）」である。
これらの部位の変異に基づいて、個人識別を行うこともできる。
【００７６】
【表３１】
2004298084.tif 000032
【００７７】
【表３２】
2004298084.tif 000033
【００７８】
【表３３】
2004298084.tif 000034
【００７９】
【表３４】
2004298084.tif 000035
【００８０】
【表３５】
2004298084.tif 000036
【００８１】
【表３６】
2004298084.tif 000037
【００８２】
【配列表】
2004298084.tif 000038
2004298084.tif 000039
2004298084.tif 000040
2004298084.tif 000041
2004298084.tif 000042
2004298084.tif 000043
2004298084.tif 000044
【図面の簡単な説明】
【図１】ヒトミトコンドリアＤＮＡの遺伝子の配置を示す図である。
【図２】ヒトミトコンドリアＤＮＡの系統樹（右側）である。
【図３】ヒトミトコンドリアＤＮＡの系統樹（左側）である。
【図４】Ｍ７分枝（グループ）を示す系統樹である。
【図５】Ａ分枝（グループ）を示す系統樹である。
【図６】Ｆ分枝（グループ）を示す系統樹である。
【図７】ＮＤ５遺伝子の二次構造とハプログループの変異ヶ所を示す図である。
【図１】
2004298084.tif 000045
【図２】
2004298084.tif 000046
【図３】
2004298084.tif 000047
【図４】
2004298084.tif 000048
【図５】
2004298084.tif 000049
【図６】
2004298084.tif 000050
【図７】
2004298084.tif 000051
【手続補正書】
【提出日】平成16年5月31日(2004.5.31)
【手続補正１】
【補正対象書類名】明細書
【補正対象項目名】特許請求の範囲
【補正方法】変更
【補正の内容】
【特許請求の範囲】
【請求項１】
ヒトミトコンドリアＤＮＡにおいて、G103A , T131C ,
G143A , C150T , C151T , 191insA , T195C , A235G , 248delA , C280T , C338T , C431T, A663G , G709A , C752T , A827G , A856G , A1041G , T1107C , T1119C , G1598A ,
A1736G , T1766C , 2151insA , T2626C , C2772T , C3204T , T3290C , A3395G ,
C3497T , C3970T , G4048A , C4071T , C4086T , A4164G , T4209C , T4248C , G4491A, G4655A , T4705C , A4824G , A4895G , A4958G , T5048C , C5049T , A5301G ,
A5351G , G5744A , 5895insCn , T6392C , T6680C , C6689T , T6956C , G6962A ,
T7684C , G7853A , G8020A , A8563G , C8628T , C8829T , G9053A , A9180G , A9242G, G9548A , T9950C , C10181T , G10310A , T10345C , G10373A , A10397G , T10609C ,
G10801A , T11017C , A11084G , C11536T , C11647T , T11944C , A12026G , A12172G ,
A12361G , C12405T , G12406A , G12771A , T12811C , T12880C , C12882T , G13759A ,
A13857G , A13887G , G13928C , T14287C , T14308C , T14325C , G14364A , A14692G ,
A14696G , C14944T , A15218G , C15223T , C15331A , G15346A , T15440C , C15508T ,
A15662G , T15850C , A15851G , G15927A , T15941C , A15951G , A15954G , T16092C ,
T16140C , C16150T , T16154C , A16162G , HVR of 16180-16195 , T16209C , G16213A, T16243C , C16250T , C16287T , T16297C , A16316G , T16324C , G16390A , A16463G
のうちの少なくとも一つ、または二つ以上の塩基の変異に基づいて、その者が肥満となるか否かについての判断資料を与えることを特徴とするヒトミトコンドリア遺伝子変異に基づく遺伝子検出法。
【請求項２】
ヒトミトコンドリアＤＮＡにおいて、 G4048A , C4071T, A4164G , A5351G , G5460A , T6680C , T7684C , G7853A , T10345C , C12405T ,
T12811C のうちの少なくとも一つ、または二つ以上の塩基の変異に基づいて、その者が肥満となるか否かについての判断資料を与えることを特徴とする請求項１に記載のヒトミトコンドリア遺伝子変異に基づく遺伝子検出法。
【請求項３】
ヒトミトコンドリアＤＮＡにおいて、 A663G , A1736G, 2151ｉｎｓA , T4248C , A4824G , G4655A , G5773A , A8563G , C8794T , G10801A ,
C11536T , C11647T , T12880C , C14944T のうちの少なくとも一つ、または二つ以上の塩基の変異に基づいて、その者が肥満となるか否かについての判断資料を与えることを特徴とする請求項１に記載のヒトミトコンドリア遺伝子変異に基づく遺伝子検出法。
【請求項４】
ヒトミトコンドリアＤＮＡにおいて、 A856G , C2766T
, A14692G , T16224C , C16292T のうちの少なくとも一つ、または二つ以上の塩基の変異に基づいて、その者が肥満となるか否かについての判断資料を与えることを特徴とする請求項１に記載のヒトミトコンドリア遺伝子変異に基づく遺伝子検出法。
【請求項５】
ヒトミトコンドリアＤＮＡにおいて、 T204C , G1598A, G8584A , C8829T , T9950C , A12361G , C15223T , C15508T , A15662G , A15851G ,
G15927A , T16140C , T16243C のうちの少なくとも一つ、または二つ以上の塩基の変異に基づいて、その者が肥満となるか否かについての判断資料を与えることを特徴とする請求項１に記載のヒトミトコンドリア遺伝子変異に基づく遺伝子検出法。
【請求項６】
ヒトミトコンドリアＤＮＡにおいて、 T2626C , C2772T, T4386C , A4958G , T11017C , G12771A , G14364A , C3970T , C4086T , T6392C ,
G6962A , G9053A , G10310A , T10609C , G12406A , C12882T , G13759A , G13928C ,
C280T , A1382C , G8020A , C8964T , T9824A , A15524G , C16355T のうちの少なくとも一つ、または二つ以上の塩基の変異に基づいて、その者が肥満となるか否かついての判断資料を与えることを特徴とする請求項１に記載のヒトミトコンドリア遺伝子変異に基づく遺伝子検出法。
【請求項７】
ヒトミトコンドリアＤＮＡにおいて、G3337A , T3338C, G3496T , T3593C , C4025T , A4129G , A4704C , A5319G , A7083G , G7757A ,
G8075A , A8435G , G8669C , A8894T , G8950A , G9182A , A9197G , T9498C , T9661C, A9664T , T10907C , C11151T , A12033G , A12451G , G13477A , T13879C , C14003T, T14063C , T14634G , A14750G , C14990T , G15221A , C15455T , C15632Aのうちの少なくとも一つ、または二つ以上の塩基の変異に基づいて、その者が肥満となるか否かついての判断資料を与えることを特徴とするヒトミトコンドリア遺伝子変異に基づく遺伝子検出法。